(57)【要約】  本発明の複数の実施形態は、無線ＡＰがパケットをアップリンクまたはダウンリンクで送信せず、無線ＡＰがステーションＳｔａｔｉｏｎに関連付けられていない間の時間が事前設定された時間閾値より大きいことが検出される場合、無線ＡＰによって、送信チャネルを無効にし、受信チャネルのみを保持する段階と、無線ＡＰによって、受信チャネルを介してＰｒｏｂｅ  Ｒｅｑｕｅｓｔをリッスンする段階と、リッスンすることによって取得されるＰｒｏｂｅ  Ｒｅｑｕｅｓｔが事前設定されたアクティベーション条件を満たす場合、無線ＡＰによって、送信チャネルを有効にする段階と、を備える、無線ＡＰのためのエネルギー節約方法を開示する。本発明の複数の実施形態は、無線ＡＰのためのウェイクアップ方法および複数の関連デバイスをさらに開示する。本発明を用いることによって、無線ＡＰの電力消費量は効果的に低減可能である。
2017515324.tif 000002
【特許請求の範囲】
【請求項１】
無線アクセスポイント（Ａｃｃｅｓｓ  Ｐｏｉｎｔ，ＡＰ）がパケットをアップリンクまたはダウンリンクで送信せず、前記無線ＡＰがステーションＳｔａｔｉｏｎに関連付けられていない間の時間が事前設定された時間閾値より大きいことが検出される場合、前記無線ＡＰによって、送信チャネルを無効にし、受信チャネルのみを保持する段階と、
前記無線ＡＰによって、前記受信チャネルを介してＰｒｏｂｅ  Ｒｅｑｕｅｓｔをリッスンする段階と、
リッスンすることによって取得される前記Ｐｒｏｂｅ  Ｒｅｑｕｅｓｔが事前設定されたアクティベーション条件を満たす場合、前記無線ＡＰによって、前記送信チャネルを有効にする段階と、を備える、無線ＡＰのためのエネルギー節約方法。
【請求項２】
リッスンすることによって取得される前記Ｐｒｏｂｅ  Ｒｅｑｕｅｓｔが事前設定されたアクティベーション条件を満たす場合、前記無線ＡＰによって、前記送信チャネルを有効にする前記段階は、
前記無線ＡＰが、前記受信チャネルを介して、Ｐｒｏｂｅ  Ｒｅｑｕｅｓｔを検出する場合、前記無線ＡＰによって、前記送信チャネルを有効にする段階を含む、請求項１に記載の方法。
【請求項３】
リッスンすることによって取得される前記Ｐｒｏｂｅ  Ｒｅｑｕｅｓｔが事前設定されたアクティベーション条件を満たす場合、前記無線ＡＰによって、前記送信チャネルを有効にする前記段階は、
前記無線ＡＰがＰｒｏｂｅ  Ｒｅｑｕｅｓｔを検出する場合、検出される前記Ｐｒｏｂｅ  Ｒｅｑｕｅｓｔの信号強度および／またはＭＡＣアドレスを取得する段階と、
前記ＭＡＣアドレスが事前設定された、承認されたデバイス情報内に存在する場合および／または前記信号強度が事前設定された強度閾値より大きい場合、前記無線ＡＰによって、前記送信チャネルを有効にする段階と、を含む、請求項１に記載の方法。
【請求項４】
前記無線ＡＰがＰｒｏｂｅ  Ｒｅｑｕｅｓｔを検出する場合、検出される前記Ｐｒｏｂｅ  Ｒｅｑｕｅｓｔの信号強度および／またはＭＡＣアドレスを取得する前記段階の前に、
前記承認されたデバイス情報を構成する段階をさらに含み、
前記承認されたデバイス情報は、前記無線ＡＰをウェイクアップすることが可能な複数のＳｔａｔｉｏｎのＭＡＣアドレスの一覧を含む、請求項３に記載の方法。
【請求項５】
無線アクセスポイントＡＰがパケットをアップリンクまたはダウンリンクで送信せず、前記無線ＡＰがステーションＳｔａｔｉｏｎに関連付けられていない間の時間が事前設定された時間閾値より大きいことが検出される場合、前記無線ＡＰによって、送信チャネルを無効にし、受信チャネルのみを保持する前記段階の前に、
前記事前設定された時間閾値を構成する段階をさらに備え、
前記事前設定された時間閾値は、前記無線ＡＰのビーコンＢｅａｃｏｎ送信時間間隔の整数（１より大きい）倍に等しい、請求項１から４のいずれか一項に記載の方法。
【請求項６】
無線ＡＰがパケットをアップリンクまたはダウンリンクで送信せず、前記無線ＡＰがステーションＳｔａｔｉｏｎに関連付けられていない間の時間が事前設定された時間閾値より大きいことが検出される場合、前記無線ＡＰによって、パワーアップ命令をスニファ装置に送信する段階と、
前記無線ＡＰによって、電力を切断する段階と、を備え、
前記パワーアップ命令は、前記スニファ装置に対し、パワーアップするよう命令するために使用される、無線ＡＰのためのエネルギー節約方法。
【請求項７】
前記無線ＡＰによって、電力を切断する前記段階は、
前記スニファ装置が正常にパワーアップされたことを確認するためのメッセージが受信される場合、前記無線ＡＰによって、電力を切断する前記段階を実行する段階を含む、請求項６に記載の方法。
【請求項８】
スニファ装置が無線ＡＰによって送信されるパワーアップ命令を受信した後、パワーアップを開始する段階と、
前記スニファ装置によって、Ｐｒｏｂｅ  Ｒｅｑｕｅｓｔをリッスンする段階と、
リッスンすることによって取得される前記Ｐｒｏｂｅ  Ｒｅｑｕｅｓｔが事前設定されたアクティベーション条件を満たす場合、前記スニファ装置が前記無線ＡＰに対し、パワーアップするよう命令した後、電力を切断する段階と、を備える、無線ＡＰのためのウェイクアップ方法。
【請求項９】
リッスンすることによって取得される前記Ｐｒｏｂｅ  Ｒｅｑｕｅｓｔが事前設定されたアクティベーション条件を満たす場合、前記スニファ装置が前記無線ＡＰに対し、パワーアップするよう命令した後、電力を切断する前記段階は、
前記スニファ装置がＰｒｏｂｅ  Ｒｅｑｕｅｓｔを検出する場合、前記スニファ装置が前記無線ＡＰに対し、パワーアップするよう命令した後、電力を切断する段階を含む、請求項８に記載の方法。
【請求項１０】
リッスンすることによって取得される前記Ｐｒｏｂｅ  Ｒｅｑｕｅｓｔが事前設定されたアクティベーション条件を満たす場合、前記スニファ装置が前記無線ＡＰに対し、パワーアップするよう命令した後、電力を切断する前記段階は、
前記スニファ装置がＰｒｏｂｅ  Ｒｅｑｕｅｓｔを検出する場合、検出される前記Ｐｒｏｂｅ  Ｒｅｑｕｅｓｔの信号強度および／またはＭＡＣアドレスを取得する段階と、
前記ＭＡＣアドレスが事前設定された、承認されたデバイス情報内に存在する場合および／または前記信号強度が事前設定された強度閾値より大きい場合、前記スニファ装置が前記無線ＡＰに対し、パワーアップするよう命令した後、電力を切断する段階と、を含む、請求項８に記載の方法。
【請求項１１】
前記スニファ装置がＰｒｏｂｅ  Ｒｅｑｕｅｓｔを検出する場合、検出される前記Ｐｒｏｂｅ  Ｒｅｑｕｅｓｔの信号強度および／またはＭＡＣアドレスを取得する前記段階の前に、
前記承認されたデバイス情報を構成する段階をさらに含み、
前記承認されたデバイス情報は、前記無線ＡＰをウェイクアップすることが可能な複数のＳｔａｔｉｏｎのＭＡＣアドレスの一覧を含む、請求項１０に記載の方法。
【請求項１２】
パケットがアップリンクまたはダウンリンクで送信されず、ステーションＳｔａｔｉｏｎが関連付けられていない間の時間が事前設定された時間閾値より大きいことが検出される場合、送信チャネルを無効にし、受信チャネルのみを保持するよう構成された無効化モジュールと、
前記受信チャネルを介して、Ｐｒｏｂｅ  Ｒｅｑｕｅｓｔをリッスンするよう構成された第１のリスニングモジュールと、
リッスンすることによって取得される前記Ｐｒｏｂｅ  Ｒｅｑｕｅｓｔが事前設定されたアクティベーション条件を満たす場合、前記送信チャネルを有効にするよう構成された有効化モジュールと、を備える、無線ＡＰ。
【請求項１３】
前記有効化モジュールは、Ｐｒｏｂｅ  Ｒｅｑｕｅｓｔが前記受信チャネルを介して検出される場合、前記送信チャネルを有効にするよう構成されている、請求項１２に記載の無線ＡＰ。
【請求項１４】
前記有効化モジュールは、
Ｐｒｏｂｅ  Ｒｅｑｕｅｓｔが検出される場合、検出される前記Ｐｒｏｂｅ  Ｒｅｑｕｅｓｔの信号強度および／またはＭＡＣアドレスを取得するよう構成された取得ユニットと、
前記ＭＡＣアドレスが事前設定された、承認されたデバイス情報内に存在する場合および／または前記信号強度が事前設定された強度閾値より大きい場合、前記送信チャネルを有効にするよう構成された有効化ユニットと、を含む、請求項１２に記載の無線ＡＰ。
【請求項１５】
前記承認されたデバイス情報を構成するよう構成された第１の構成モジュールをさらに備え、
前記承認されたデバイス情報は、前記無線ＡＰをウェイクアップすることが可能な複数のＳｔａｔｉｏｎのＭＡＣアドレスの一覧を含む、請求項１４に記載の無線ＡＰ。
【請求項１６】
前記事前設定された時間閾値を構成するよう構成された時間閾値構成モジュールをさらに備え、
前記事前設定された時間閾値は、前記無線ＡＰのビーコンＢｅａｃｏｎ送信時間間隔の整数（１より大きい）倍に等しい、請求項１２から１５のいずれか一項に記載の無線ＡＰ。
【請求項１７】
パケットがアップリンクまたはダウンリンクで送信されず、ステーションＳｔａｔｉｏｎが関連付けられていない間の時間が事前設定された時間閾値より大きいことが検出される場合、パワーアップ命令をスニファ装置に送信するよう構成された命令モジュールと、
電力を切断するよう構成された電源オフモジュールと、を備え、
前記パワーアップ命令は、前記スニファ装置に対し、パワーアップするよう命令するために使用される、無線ＡＰ。
【請求項１８】
前記スニファ装置が正常にパワーアップされたことを確認するためのメッセージが受信される場合、前記電源オフモジュールに対し、動作を開始するよう命令するように構成された判断モジュールをさらに備える、請求項１７に記載の無線ＡＰ。
【請求項１９】
無線ＡＰによって送信されるパワーアップ命令が受信された後、パワーアップを開始するよう構成された受信モジュールと、
Ｐｒｏｂｅ  Ｒｅｑｕｅｓｔをリッスンするよう構成された第２のリスニングモジュールと、
リッスンすることによって取得される前記Ｐｒｏｂｅ  Ｒｅｑｕｅｓｔが事前設定されたアクティベーション条件を満たす場合、前記無線ＡＰがパワーアップするよう命令された後、電力を切断するよう構成されたパワーアップモジュールと、を備える、スニファ装置。
【請求項２０】
前記パワーアップモジュールは、Ｐｒｏｂｅ  Ｒｅｑｕｅｓｔが検出される場合、前記無線ＡＰがパワーアップするよう命令された後、電力を切断するよう構成されている、請求項１９に記載のスニファ装置。
【請求項２１】
前記パワーアップモジュールは、
Ｐｒｏｂｅ  Ｒｅｑｕｅｓｔが検出される場合、検出される前記Ｐｒｏｂｅ  Ｒｅｑｕｅｓｔの信号強度および／またはＭＡＣアドレスを取得するよう構成された検出ユニットと、
前記ＭＡＣアドレスが事前設定された、承認されたデバイス情報内に存在する場合および／または前記信号強度が事前設定された強度閾値より大きい場合、前記無線ＡＰがパワーアップするよう命令された後、電力を切断するよう構成されたパワーアップユニットと、を含む、請求項１９に記載のスニファ装置。
【請求項２２】
前記承認されたデバイス情報を構成するよう構成された第２の構成モジュールをさらに備え、
前記承認されたデバイス情報は、前記無線ＡＰをウェイクアップすることが可能な複数のＳｔａｔｉｏｎのＭＡＣアドレスの一覧を含む、請求項２１に記載のスニファ装置。
【請求項２３】
プロセッサと、メモリと、を備える無線ＡＰであって、
前記メモリはプログラムコードのセットを格納し、前記プロセッサは前記メモリ内に格納された前記プログラムコードを呼び出して、
パケットがアップリンクまたはダウンリンクで送信されず、ステーションＳｔａｔｉｏｎが関連付けられていない間の時間が事前設定された時間閾値より大きいことが検出される場合、送信チャネルを無効にし、受信チャネルのみを保持すること、
前記受信チャネルを介して、Ｐｒｏｂｅ  Ｒｅｑｕｅｓｔをリッスンすること、および
リッスンすることによって取得される前記Ｐｒｏｂｅ  Ｒｅｑｕｅｓｔが事前設定されたアクティベーション条件を満たす場合、前記送信チャネルを有効にすること、を実行するよう構成されている、無線ＡＰ。
【請求項２４】
リッスンすることによって取得される前記Ｐｒｏｂｅ  Ｒｅｑｕｅｓｔが事前設定されたアクティベーション条件を満たす場合、前記プロセッサによって実行される、前記送信チャネルを有効にすることは、
Ｐｒｏｂｅ  Ｒｅｑｕｅｓｔが前記受信チャネルを介して検出される場合、前記送信チャネルを有効にすることを含む、請求項２３に記載の無線ＡＰ。
【請求項２５】
リッスンすることによって取得される前記Ｐｒｏｂｅ  Ｒｅｑｕｅｓｔが事前設定されたアクティベーション条件を満たす場合、前記プロセッサによって実行される、前記送信チャネルを有効にすることは、
Ｐｒｏｂｅ  Ｒｅｑｕｅｓｔが検出される場合、検出される前記Ｐｒｏｂｅ  Ｒｅｑｕｅｓｔの信号強度および／またはＭＡＣアドレスを取得することと、
前記ＭＡＣアドレスが事前設定された、承認されたデバイス情報内に存在する場合および／または前記信号強度が事前設定された強度閾値より大きい場合、前記送信チャネルを有効にすることと、を含む、請求項２３に記載の無線ＡＰ。
【請求項２６】
前記プロセッサは、前記承認されたデバイス情報を構成するようさらに構成されており、
前記承認されたデバイス情報は、前記無線ＡＰをウェイクアップすることが可能な複数のＳｔａｔｉｏｎのＭＡＣアドレスの一覧を含む、請求項２５に記載の無線ＡＰ。
【請求項２７】
前記プロセッサは、前記事前設定された時間閾値を構成するようさらに構成されており、
前記事前設定された時間閾値は、前記無線ＡＰのビーコンＢｅａｃｏｎ送信時間間隔の整数（１より大きい）倍に等しい、請求項２３から２６のいずれか一項に記載の無線ＡＰ。
【請求項２８】
プロセッサと、メモリと、を備える無線ＡＰであって、前記メモリはプログラムコードのセットを格納し、前記プロセッサは前記メモリ内に格納された前記プログラムコードを呼び出して、
パケットがアップリンクまたはダウンリンクで送信されず、ステーションＳｔａｔｉｏｎが関連付けられていない間の時間が事前設定された時間閾値より大きいことが検出される場合、パワーアップ命令をスニファ装置に送信すること、および
電力を切断すること、を実行するよう構成されており、
前記パワーアップ命令は、前記スニファ装置に対し、パワーアップするよう命令するために使用される、無線ＡＰ。
【請求項２９】
前記プロセッサは、
前記スニファ装置が正常にパワーアップされたことを確認するためのメッセージが受信される場合、電力を切断することを実行するようさらに構成されている、請求項２８に記載の無線ＡＰ。
【請求項３０】
プロセッサと、メモリと、を備えるスニファ装置であって、前記メモリはプログラムコードのセットを格納し、前記プロセッサは前記メモリ内に格納された前記プログラムコードを呼び出して、
無線ＡＰによって送信されるパワーアップ命令が受信された後、パワーアップを開始すること、
Ｐｒｏｂｅ  Ｒｅｑｕｅｓｔをリッスンすること、および
リッスンすることによって取得される前記Ｐｒｏｂｅ  Ｒｅｑｕｅｓｔが事前設定されたアクティベーション条件を満たす場合、前記無線ＡＰがパワーアップするよう命令された後、電力を切断すること、
を実行するよう構成されている、スニファ装置。
【請求項３１】
リッスンすることによって取得される前記Ｐｒｏｂｅ  Ｒｅｑｕｅｓｔが事前設定されたアクティベーション条件を満たす場合、前記プロセッサによって実行される、前記無線ＡＰがパワーアップするよう命令された後、電力を切断することは、
Ｐｒｏｂｅ  Ｒｅｑｕｅｓｔが検出される場合、前記無線ＡＰがパワーアップするよう命令された後、電力を切断することを含む、請求項３０に記載のスニファ装置。
【請求項３２】
リッスンすることによって取得される前記Ｐｒｏｂｅ  Ｒｅｑｕｅｓｔが事前設定されたアクティベーション条件を満たす場合、前記プロセッサによって実行される、前記無線ＡＰがパワーアップするよう命令された後、電力を切断することは、
Ｐｒｏｂｅ  Ｒｅｑｕｅｓｔが検出される場合、検出される前記Ｐｒｏｂｅ  Ｒｅｑｕｅｓｔの信号強度および／またはＭＡＣアドレスを取得することと、
前記ＭＡＣアドレスが事前設定された、承認されたデバイス情報内に存在する場合および／または前記信号強度が事前設定された強度閾値より大きい場合、前記無線ＡＰがパワーアップするよう命令された後、電力を切断することと、を含む、請求項３０に記載のスニファ装置。
【請求項３３】
前記プロセッサは、
前記承認されたデバイス情報を構成するようさらに構成されており、
前記承認されたデバイス情報は、前記無線ＡＰをウェイクアップすることが可能な複数のＳｔａｔｉｏｎのＭＡＣアドレスの一覧を含む、請求項３２に記載のスニファ装置。
【請求項３４】
無線ＡＰと、Ｓｔａｔｉｏｎと、を備える通信システムであって、
パケットがアップリンクまたはダウンリンクで送信されず、ステーションＳｔａｔｉｏｎが関連付けられていない間の時間が事前設定された時間閾値より大きいことが検出される場合、前記無線ＡＰは送信チャネルを無効にし、受信チャネルのみを保持し、
前記無線ＡＰは、前記受信チャネルを介して、事前設定された間隔に従い、前記ＳｔａｔｉｏｎによってブロードキャストされるＰｒｏｂｅ  Ｒｅｑｕｅｓｔをリッスンし、
リッスンすることによって取得される前記Ｐｒｏｂｅ  Ｒｅｑｕｅｓｔが事前設定されたアクティベーション条件を満たす場合、前記無線ＡＰは前記送信チャネルを有効にする、通信システム。
【請求項３５】
無線ＡＰと、スニファ装置と、Ｓｔａｔｉｏｎと、を備える通信システムであって、
パケットがアップリンクまたはダウンリンクで送信されず、ステーションＳｔａｔｉｏｎが関連付けられていない間の時間が事前設定された時間閾値より大きいことが検出される場合、前記無線ＡＰはパワーアップ命令を前記スニファ装置に送信し、前記無線ＡＰは電力を切断し、
前記無線ＡＰによって送信されるパワーアップ命令を受信した後、前記スニファ装置はパワーアップを開始し、
前記スニファ装置は、事前設定された間隔に従い、前記ＳｔａｔｉｏｎによってブロードキャストされるＰｒｏｂｅ  Ｒｅｑｕｅｓｔをリッスンし、
リッスンすることによって取得される前記Ｐｒｏｂｅ  Ｒｅｑｕｅｓｔが事前設定されたアクティベーション条件を満たす場合、前記無線ＡＰに対し、パワーアップするよう命令した後、前記スニファ装置は電力を切断する、通信システム。
【発明の詳細な説明】
【技術分野】
【０００１】
本発明は、通信分野に関し、具体的には、無線ＡＰのためのエネルギー節約方法およびウェイクアップ方法、並びに関連デバイスおよびシステムに関する。
【背景技術】
【０００２】
無線ＡＰ（Ａｃｃｅｓｓ  Ｐｏｉｎｔ，ＡＰ）は、無線ネットワークのアクセスポイントであり、ルーティング、切り替え、並びにアクセスおよびピュアアクセスポイントデバイスを統合する複数のデバイスを主に含む。統合されたデバイスは、アクセスおよびルーティング動作を実行し、ピュアアクセスポイントデバイスは無線クライアントのアクセスのみを担う。ピュアアクセスポイントデバイスは概して、無線ネットワークの拡張として使用され、無線カバレッジを増大させるべく、別のＡＰまたはメインＡＰに接続され、統合されたデバイスは概して無線ネットワークのコアである。
【０００３】
無線ＡＰは、アクセスポイントであり、そこを介して無線デバイス（携帯電話等のモバイルデバイスまたはノートブックコンピュータ等の無線デバイス）を使用するユーザは、有線ネットワークにアクセスし、無線ＡＰはブロードバンドネットワークが設置された自宅、ビル、スクールキャンパス、および公園並びにウェアハウスおよび工場等の無線モニタリングが必要な場所で主に使用される。カバレッジの通常の距離は、数十メートルから数百メートルである。無線ＡＰは長距離送信にも使用され得、現在、最大距離は約３０ｋｍに及ぶ可能性があり、主な技術はＩＥＥＥ８０２．１１シリーズである。多くの無線ＡＰはまた、アクセスポイントクライアントモード（ＡＰクライアント）を有し、ネットワークのカバレッジを拡張すべく、別のＡＰに無線接続され得る。
【０００４】
ステーションのバッテリ容量の制約が原因で、先行技術においては、Ｓｔａｔｉｏｎに対しエネルギー節約手段が通常取られ、その結果、Ｓｔａｔｉｏｎのサービス時間を延長している。しかしながら、無線ＡＰについては、エネルギー節約のための解決手段が存在していない。
【発明の概要】
【０００５】
本発明の複数の実施形態は、無線ＡＰのためのエネルギー節約方法およびウェイクアップ方法、並びに関連デバイスを提供し、その結果、無線ＡＰの電力消費量を効果的に低減し、無線ＡＰのサービス時間を延長する。
【０００６】
第１の態様によると、無線ＡＰがパケットをアップリンクまたはダウンリンクで送信せず、上記無線ＡＰがステーションＳｔａｔｉｏｎに関連付けられていない間の時間が事前設定された時間閾値より大きいことが検出される場合、上記無線ＡＰによって、送信チャネルを無効にし、受信チャネルのみを保持する段階と、上記無線ＡＰによって、上記受信チャネルを介してＰｒｏｂｅ  Ｒｅｑｕｅｓｔをリッスンする段階と、リッスンすることによって取得される上記Ｐｒｏｂｅ  Ｒｅｑｕｅｓｔが事前設定されたアクティベーション条件を満たす場合、上記無線ＡＰによって、上記送信チャネルを有効にする段階と、を備える、無線ＡＰのためのエネルギー節約方法が提供される。
【０００７】
第１の態様に関し、第１の可能な実装方式において、リッスンすることによって取得される上記Ｐｒｏｂｅ  Ｒｅｑｕｅｓｔが事前設定されたアクティベーション条件を満たす場合、上記無線ＡＰによって、上記送信チャネルを有効にする上記段階は、上記無線ＡＰが、上記受信チャネルを介して、Ｐｒｏｂｅ  Ｒｅｑｕｅｓｔを検出する場合、上記無線ＡＰによって、上記送信チャネルを有効にする段階を含む。
【０００８】
第１の態様に関し、第２の可能な実装方式において、リッスンすることによって取得される上記Ｐｒｏｂｅ  Ｒｅｑｕｅｓｔが事前設定されたアクティベーション条件を満たす場合、上記無線ＡＰによって、上記送信チャネルを有効にする上記段階は、上記無線ＡＰがＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する段階と、上記ＭＡＣアドレスが事前設定された、承認されたデバイス情報内に存在する場合および／または上記信号強度が事前設定された強度閾値より大きい場合、上記無線ＡＰによって、上記送信チャネルを有効にする段階と、を含む。
【０００９】
第１の態様に係る第２の可能な実装方式に関し、第３の可能な実装方式において、上記無線ＡＰがＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する上記段階の前に、上記承認されたデバイス情報を構成する段階をさらに含み、上記承認されたデバイス情報は、上記無線ＡＰをウェイクアップすることが可能な複数のＳｔａｔｉｏｎのＭＡＣアドレスの一覧を含む。
【００１０】
第１の態様および第１の態様に係る第１から第３の可能な実装方式のいずれかに関し、第４の可能な実装方式において、無線アクセスポイントＡＰがパケットをアップリンクまたはダウンリンクで送信せず、上記無線ＡＰがステーションＳｔａｔｉｏｎに関連付けられていない間の時間が事前設定された時間閾値より大きいことが検出される場合、上記無線ＡＰによって、送信チャネルを無効にし、受信チャネルのみを保持する上記段階の前に、上記事前設定された時間閾値を構成する段階をさらに備え、上記事前設定された時間閾値は、上記無線ＡＰのビーコンＢｅａｃｏｎ送信時間間隔の整数（１より大きい）倍に等しい。
【００１１】
第２の態様によると、無線ＡＰがパケットをアップリンクまたはダウンリンクで送信せず、上記無線ＡＰがステーションＳｔａｔｉｏｎに関連付けられていない間の時間が事前設定された時間閾値より大きいことが検出される場合、上記無線ＡＰによって、パワーアップ命令をスニファ装置に送信する段階と、上記無線ＡＰによって、電力を切断する段階と、を備え、上記パワーアップ命令は、上記スニファ装置に対し、パワーアップするよう命令するために使用される、無線ＡＰのためのエネルギー節約方法が提供される。
【００１２】
第２の態様に関し、第１の可能な実装方式において、上記無線ＡＰによって、電力を切断する上記段階は、上記スニファ装置が正常にパワーアップされたことを確認するためのメッセージが受信される場合、上記無線ＡＰによって、電力を切断する上記段階を実行する段階を含む。
【００１３】
第３の態様によると、本発明の一実施形態は、スニファ装置が無線ＡＰによって送信されるパワーアップ命令を受信した後、パワーアップを開始する段階と、上記スニファ装置によって、Ｐｒｏｂｅ  Ｒｅｑｕｅｓｔをリッスンする段階と、リッスンすることによって取得される上記Ｐｒｏｂｅ  Ｒｅｑｕｅｓｔが事前設定されたアクティベーション条件を満たす場合、上記スニファ装置が上記無線ＡＰに対し、パワーアップするよう命令した後、電力を切断する段階と、を備える、無線ＡＰのためのウェイクアップ方法を提供する。
【００１４】
第３の態様に関し、第１の可能な実装方式において、リッスンすることによって取得される上記Ｐｒｏｂｅ  Ｒｅｑｕｅｓｔが事前設定されたアクティベーション条件を満たす場合、上記スニファ装置が上記無線ＡＰに対し、パワーアップするよう命令した後、電力を切断する上記段階は、上記スニファ装置がＰｒｏｂｅ  Ｒｅｑｕｅｓｔを検出する場合、上記スニファ装置が上記無線ＡＰに対し、パワーアップするよう命令した後、電力を切断する段階を含む。
【００１５】
第３の態様に関し、第２の可能な実装方式において、リッスンすることによって取得される上記Ｐｒｏｂｅ  Ｒｅｑｕｅｓｔが事前設定されたアクティベーション条件を満たす場合、上記スニファ装置が上記無線ＡＰに対し、パワーアップするよう命令した後、電力を切断する上記段階は、上記スニファ装置がＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する段階と、上記ＭＡＣアドレスが事前設定された、承認されたデバイス情報内に存在する場合および／または上記信号強度が事前設定された強度閾値より大きい場合、上記スニファ装置が上記無線ＡＰに対し、パワーアップするよう命令した後、電力を切断する段階と、を含む。
【００１６】
第２の可能な実装方式に関し、第３の可能な実装方式において、上記スニファ装置がＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する段階の前に、当該方法は、上記承認されたデバイス情報を構成する段階をさらに含み、上記承認されたデバイス情報は、上記無線ＡＰをウェイクアップすることが可能な複数のＳｔａｔｉｏｎのＭＡＣアドレスの一覧を含む。
【００１７】
第４の態様によると、本発明の一実施形態は、パケットがアップリンクまたはダウンリンクで送信されず、ステーションＳｔａｔｉｏｎが関連付けられていない間の時間が事前設定された時間閾値より大きいことが検出される場合、送信チャネルを無効にし、受信チャネルのみを保持するよう構成された無効化モジュールと、上記受信チャネルを介して、Ｐｒｏｂｅ  Ｒｅｑｕｅｓｔをリッスンするよう構成された第１のリスニングモジュールと、リッスンすることによって取得される上記Ｐｒｏｂｅ  Ｒｅｑｕｅｓｔが事前設定されたアクティベーション条件を満たす場合、上記送信チャネルを有効にするよう構成された有効化モジュールと、を備える、無線ＡＰを提供する。
【００１８】
第４の態様に関し、第１の可能な実装方式において、上記有効化モジュールは、Ｐｒｏｂｅ  Ｒｅｑｕｅｓｔが上記受信チャネルを介して検出される場合、上記送信チャネルを有効にするよう構成されている。
【００１９】
第４の態様に関し、第２の可能な実装方式において、上記有効化モジュールは、Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得するよう構成された取得ユニットと、上記ＭＡＣアドレスが事前設定された、承認されたデバイス情報内に存在する場合および／または上記信号強度が事前設定された強度閾値より大きい場合、上記送信チャネルを有効にするよう構成された有効化ユニットと、を含む。
【００２０】
第４の態様に係る第２の可能な実装方式に関し、第３の可能な実装方式において、上記無線ＡＰは、上記承認されたデバイス情報を構成するよう構成された第１の構成モジュールをさらに備え、上記承認されたデバイス情報は、上記無線ＡＰをウェイクアップすることが可能な複数のＳｔａｔｉｏｎのＭＡＣアドレスの一覧を含む。
【００２１】
第４の態様または第４の態様に係る第１から第３の可能な実装方式のいずれかに関し、第４の可能な実装方式において、上記無線ＡＰは、上記事前設定された時間閾値を構成するよう構成された時間閾値構成モジュールをさらに備え、上記事前設定された時間閾値は、上記無線ＡＰのビーコンＢｅａｃｏｎ送信時間間隔の整数（１より大きい）倍に等しい。
【００２２】
第５の態様によると、本発明は、パケットがアップリンクまたはダウンリンクで送信されず、ステーションＳｔａｔｉｏｎが関連付けられていない間の時間が事前設定された時間閾値より大きいことが検出される場合、パワーアップ命令をスニファ装置に送信するよう構成された命令モジュールと、電力を切断するよう構成された電源オフモジュールと、を備え、上記パワーアップ命令は、上記スニファ装置に対し、パワーアップするよう命令するために使用される、無線ＡＰを提供する。
【００２３】
第５の態様に関し、第１の可能な実装方式において、上記無線ＡＰは、上記スニファ装置が正常にパワーアップされたことを確認するためのメッセージが受信される場合、上記電源オフモジュールに対し、動作を開始するよう命令するように構成された判断モジュールをさらに備える。
【００２４】
第６の態様によると、本発明の一実施形態は、無線ＡＰによって送信されるパワーアップ命令が受信された後、パワーアップを開始するよう構成された受信モジュールと、Ｐｒｏｂｅ  Ｒｅｑｕｅｓｔをリッスンするよう構成された第２のリスニングモジュールと、リッスンすることによって取得される上記Ｐｒｏｂｅ  Ｒｅｑｕｅｓｔが事前設定されたアクティベーション条件を満たす場合、上記無線ＡＰがパワーアップするよう命令された後、電力を切断するよう構成されたパワーアップモジュールと、を備える、スニファ装置を提供する。
【００２５】
第６の態様に関し、第１の可能な実装方式において、Ｐｒｏｂｅ  Ｒｅｑｕｅｓｔが検出される場合、上記無線ＡＰがパワーアップするよう命令された後、電力を切断する。
【００２６】
第６の態様に関し、第２の可能な実装方式において、上記パワーアップモジュールは、Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得するよう構成された検出ユニットと、上記ＭＡＣアドレスが事前設定された、承認されたデバイス情報内に存在する場合および／または上記信号強度が事前設定された強度閾値より大きい場合、上記無線ＡＰがパワーアップするよう命令された後、電力を切断するよう構成されたパワーアップユニットと、を含む。
【００２７】
第６の態様に係る第２の可能な実装方式に関し、第３の可能な実装方式において、上記スニファ装置は、上記承認されたデバイス情報を構成するよう構成された第２の構成モジュールをさらに備え、上記承認されたデバイス情報は、上記無線ＡＰをウェイクアップすることが可能な複数のＳｔａｔｉｏｎのＭＡＣアドレスの一覧を含む。
【００２８】
第７の態様によると、本発明の一実施形態は、プロセッサと、メモリと、を備える無線ＡＰであって、
上記メモリはプログラムコードのセットを格納し、上記プロセッサは上記メモリ内に格納された上記プログラムコードを呼び出して、パケットがアップリンクまたはダウンリンクで送信されず、ステーションＳｔａｔｉｏｎが関連付けられていない間の時間が事前設定された時間閾値より大きいことが検出される場合、送信チャネルを無効にし、受信チャネルのみを保持すること、上記受信チャネルを介して、Ｐｒｏｂｅ  Ｒｅｑｕｅｓｔをリッスンすること、およびリッスンすることによって取得される上記Ｐｒｏｂｅ  Ｒｅｑｕｅｓｔが事前設定されたアクティベーション条件を満たす場合、上記送信チャネルを有効にすること、を実行するよう構成されている、無線ＡＰを提供する。
【００２９】
第７の態様に関し、第１の可能な実装方式において、リッスンすることによって取得される上記Ｐｒｏｂｅ  Ｒｅｑｕｅｓｔが事前設定されたアクティベーション条件を満たす場合、上記プロセッサによって実行される、上記送信チャネルを有効にすることは、Ｐｒｏｂｅ  Ｒｅｑｕｅｓｔが上記受信チャネルを介して検出される場合、上記送信チャネルを有効にすることを含む。
【００３０】
第７の態様に関し、第２の可能な実装方式において、リッスンすることによって取得される上記Ｐｒｏｂｅ  Ｒｅｑｕｅｓｔが事前設定されたアクティベーション条件を満たす場合、上記プロセッサによって実行される、上記送信チャネルを有効にすることは、Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得することと、上記ＭＡＣアドレスが事前設定された、承認されたデバイス情報内に存在する場合および／または上記信号強度が事前設定された強度閾値より大きい場合、上記送信チャネルを有効にすることと、を含む。
【００３１】
第７の態様に係る第２の可能な実装方式に関し、第３の可能な実装方式において、上記プロセッサは、上記承認されたデバイス情報を構成するようさらに構成されており、上記承認されたデバイス情報は、上記無線ＡＰをウェイクアップすることが可能な複数のＳｔａｔｉｏｎのＭＡＣアドレスの一覧を含む。
【００３２】
第７の態様または第７の態様に係る第１から第３の可能な実装方式のいずれかに関し、第４の可能な実装方式において、上記プロセッサは、上記事前設定された時間閾値を構成するようさらに構成されており、上記事前設定された時間閾値は、上記無線ＡＰのビーコンＢｅａｃｏｎ送信時間間隔の整数（１より大きい）倍に等しい。
【００３３】
第８の態様によると、本発明の一実施形態は、プロセッサと、メモリと、を備える無線ＡＰであって、上記メモリはプログラムコードのセットを格納し、上記プロセッサは上記メモリ内に格納された上記プログラムコードを呼び出して、パケットがアップリンクまたはダウンリンクで送信されず、ステーションＳｔａｔｉｏｎが関連付けられていないが事前設定された時間閾値より大きいことが検出される場合、パワーアップ命令をスニファ装置に送信すること、および電力を切断すること、を実行するよう構成されており、上記パワーアップ命令は、上記スニファ装置に対し、パワーアップするよう命令するために使用される、無線ＡＰを提供する。
【００３４】
第８の態様に関し、第１の可能な実装方式において、上記プロセッサは、上記スニファ装置が正常にパワーアップされたことを確認するためのメッセージが受信される場合、電力を切断することを実行するようさらに構成されている。
【００３５】
第９の態様によると、本発明の一実施形態は、プロセッサと、メモリと、を備えるスニファ装置であって、上記メモリはプログラムコードのセットを格納し、上記プロセッサは上記メモリ内に格納された上記プログラムコードを呼び出して、無線ＡＰによって送信されるパワーアップ命令が受信された後、パワーアップを開始すること、Ｐｒｏｂｅ  Ｒｅｑｕｅｓｔをリッスンすること、およびリッスンすることによって取得される上記Ｐｒｏｂｅ  Ｒｅｑｕｅｓｔが事前設定されたアクティベーション条件を満たす場合、上記無線ＡＰがパワーアップするよう命令された後、電力を切断すること、を実行するよう構成されている、スニファ装置を提供する。
【００３６】
第９の態様に関し、第１の可能な実装方式において、リッスンすることによって取得される上記Ｐｒｏｂｅ  Ｒｅｑｕｅｓｔが事前設定されたアクティベーション条件を満たす場合、上記プロセッサによって実行される、上記無線ＡＰがパワーアップするよう命令された後、電力を切断することは、Ｐｒｏｂｅ  Ｒｅｑｕｅｓｔが検出される場合、上記無線ＡＰがパワーアップするよう命令された後、電力を切断することを含む。
【００３７】
第９の態様に関し、第２の可能な実装方式において、リッスンすることによって取得される上記Ｐｒｏｂｅ  Ｒｅｑｕｅｓｔが事前設定されたアクティベーション条件を満たす場合、上記プロセッサによって実行される、上記無線ＡＰがパワーアップするよう命令された後、電力を切断することは、Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得することと、上記ＭＡＣアドレスが事前設定された、承認されたデバイス情報内に存在する場合および／または上記信号強度が事前設定された強度閾値より大きい場合、上記無線ＡＰがパワーアップするよう命令された後、電力を切断することと、を含む。
【００３８】
第９の態様に係る第２の可能な実装方式に関し、第３の可能な実装方式において、上記プロセッサは、上記承認されたデバイス情報を構成するようさらに構成されており、上記承認されたデバイス情報は、上記無線ＡＰをウェイクアップすることが可能な複数のＳｔａｔｉｏｎのＭＡＣアドレスの一覧を含む。
【００３９】
第１０の態様によると、本発明の一実施形態は、無線ＡＰと、Ｓｔａｔｉｏｎと、を備える通信システムであって、無線ＡＰがパケットをアップリンクまたはダウンリンクで送信せず、無線ＡＰがステーションＳｔａｔｉｏｎに関連付けられていない間の時間が事前設定された時間閾値より大きいことが検出される場合、送信チャネルが無効にされ、受信チャネルのみが保持され、上記無線ＡＰは、上記受信チャネルを介して、事前設定された間隔に従い、上記ＳｔａｔｉｏｎによってブロードキャストされるＰｒｏｂｅ  Ｒｅｑｕｅｓｔをリッスンし、リッスンすることによって取得される上記Ｐｒｏｂｅ  Ｒｅｑｕｅｓｔが事前設定されたアクティベーション条件を満たす場合、上記無線ＡＰは上記送信チャネルを有効にする、通信システムを提供する。
【００４０】
第１１の態様によると、本発明の一実施形態は、無線ＡＰと、スニファ装置と、Ｓｔａｔｉｏｎと、を備える通信システムであって、無線ＡＰがパケットをアップリンクまたはダウンリンクで送信せず、無線ＡＰがステーションＳｔａｔｉｏｎに関連付けられていない間の時間が事前設定された時間閾値より大きいことが検出される場合、上記無線ＡＰはパワーアップ命令を上記スニファ装置に送信し、上記無線ＡＰは電力を切断し、上記スニファ装置は、上記無線ＡＰによって送信されるパワーアップ命令を受信した後、パワーアップを開始し、上記スニファ装置は、事前設定された間隔に従い、上記ＳｔａｔｉｏｎによってブロードキャストされるＰｒｏｂｅ  Ｒｅｑｕｅｓｔをリッスンし、リッスンすることによって取得される上記Ｐｒｏｂｅ  Ｒｅｑｕｅｓｔが事前設定されたアクティベーション条件を満たす場合、上記スニファ装置が、上記無線ＡＰに対し、パワーアップするよう命令した後、電力を切断する、通信システムを提供する。
【００４１】
本発明の複数の実施形態に係る実装は、以下の複数の有益な効果を有する。
【００４２】
無線ＡＰがパケットをアップリンクまたはダウンリンクで送信せず、無線ＡＰがステーションＳｔａｔｉｏｎに関連付けられていない間の時間が事前設定された時間閾値より大きい場合、無線ＡＰの送信チャネルは無効にされ、受信チャネルのみが保持され、無線ＡＰはスリープ状態に入る。無線ＡＰは、受信チャネルを介し、リッスンすることによって取得されるＰｒｏｂｅ  Ｒｅｑｕｅｓｔが事前設定されたアクティベーション条件を満たすことを判断し、送信チャネルは有効にされ、無線ＡＰは標準状態に入る。このようにして、無線ＡＰの電力消費量は効果的に低減可能であり、無線ＡＰの標準の通信は影響を受けない。
【００４３】
本発明の複数の実施形態または先行技術における技術的解決手段をより明確に記載すべく、以下に実施形態の記載に必要な添付図面を簡単に紹介する。以下の詳細な説明における添付図面は、本発明のいくつかの実施形態を示すにすぎないことは明らかであり、当業者であれば、創造的な取り組みなしに、これらの添付図面から他の図面をさらに導き出すであろう。本発明の複数の実施形態または先行技術における技術的な解決手段をより明確に記載すべく、以下に当該実施形態の記載に必要な添付図面を簡単に紹介する。以下の詳細な説明における添付図面は、本発明のいくつかの実施形態を示すにすぎないことは明らかであり、当業者であれば、創造的な取り組みなしに、これらの添付図面から他の図面をさらに導き出すであろう。
【図面の簡単な説明】
【００４４】
【図１】本発明の第１の実施形態による、無線ＡＰのためのエネルギー節約方法の概略フローチャートである。
【００４５】
【図２】本発明の第２の実施形態による、無線ＡＰのためのエネルギー節約方法の概略フローチャートである。
【００４６】
【図３】本発明の第３の実施形態による、無線ＡＰのためのエネルギー節約方法の概略フローチャートである。
【００４７】
【図４】本発明の第４の実施形態による、無線ＡＰのためのエネルギー節約方法の概略フローチャートである。
【００４８】
【図５】本発明の第５の実施形態による、無線ＡＰのためのエネルギー節約方法の概略フローチャートである。
【００４９】
【図６】本発明の第１の実施形態による、無線ＡＰのためのウェイクアップ方法の概略フローチャートである。
【００５０】
【図７】本発明の第２の実施形態による、無線ＡＰのためのウェイクアップ方法の概略フローチャートである。
【００５１】
【図８】本発明の第３の実施形態による、無線ＡＰのためのウェイクアップ方法の概略フローチャートである。
【００５２】
【図９】本発明の第１の実施形態による、無線ＡＰの概略構造図である。
【００５３】
【図１０】本発明の第２の実施形態による、無線ＡＰの概略構造図である。
【００５４】
【図１１】図１０中の有効化モジュールの概略構造図である。
【００５５】
【図１２】本発明の第３の実施形態による、無線ＡＰの概略構造図である。
【００５６】
【図１３】本発明の第４の実施形態による、無線ＡＰの概略構造図である。
【００５７】
【図１４】本発明の第５の実施形態による、無線ＡＰの概略構造図である。
【００５８】
【図１５】本発明の第６の実施形態による、無線ＡＰの概略構造図である。
【００５９】
【図１６】本発明の第１の実施形態による、スニファ装置の概略構造図である。
【００６０】
【図１７】本発明の第２の実施形態による、スニファ装置の概略構造図である。
【００６１】
【図１８】図１７中のパワーアップモジュールの概略構造図である。
【００６２】
【図１９】本発明の第３の実施形態による、スニファ装置の概略構造図である。
【００６３】
【図２０】本発明の一実施形態による、通信システムのやり取りの概略図である。
【００６４】
【図２１】本発明の一実施形態による、別の通信システムのやり取りの概略図である。
【発明を実施するための形態】
【００６５】
以下では、本発明の複数の実施形態における複数の技術的解決手段が、本発明の複数の実施形態における添付図面に関連し、明確かつ完全に説明される。記載される複数の実施形態は、本発明の複数の実施形態のうちすべてではなく、一部にすぎないことは明らかである。当業者が創造的な取り組みなしに本発明の複数の実施形態に基づき、得られるすべての他の実施形態は、本発明の保護範囲に属することとなる。
【００６６】
図１を参照すると、本発明の第１の実施形態による、無線ＡＰのためのエネルギー節約方法の概略フローチャートである。本発明のこの実施形態において、方法は以下を含む。
【００６７】
Ｓ１０１。無線ＡＰがパケットをアップリンクまたはダウンリンクを送信せず、無線ＡＰがステーションＳｔａｔｉｏｎに関連付けられていない間の時間が、事前設定された時間閾値より大きいことが検出された場合、無線ＡＰは送信チャネルを無効にし、受信チャネルのみを保持する。
【００６８】
具体的には、本発明のこの実施形態において、無線ＡＰおよびＳｔａｔｉｏｎの両方が、８０２．１１プロトコルをサポートするデバイスである。無線ネットワークをスキャンすべく、Ｓｔａｔｉｏｎは定期的に、ブロードキャストプローブリクエストフレームＰｒｏｂｅ  Ｒｅｑｕｅｓｔをネットワークアダプタによってサポートされるチャネルの一覧内にあるチャネル上で送信する。プローブリクエストフレームを受信した後、無線ＡＰは、無線ＡＰによって提供される無線ネットワークに関する情報を通知すべく、プローブ応答フレームＰｒｏｂｅ  Ｒｅｓｐｏｎｓｅを戻す。Ｓｔａｔｉｏｎは、Ｐｒｏｂｅ  Ｒｅｓｐｏｎｓｅ内の無線ネットワークに関する情報に従い、関連を形成すべく、最も強い信号を有する無線ＡＰを選択する。
【００６９】
無線ＡＰの動作処理において、パケットがアップリンクまたはダウンリンクで送信されず、Ｓｔａｔｉｏｎが関連付けられていないことが検出された場合、時間を測定するためのタイマがオンにされる。パケットがアップリンクまたはダウンリンクで送信されず、Ｓｔａｔｉｏｎが関連付けられていない間の時間が、事前設定された時間閾値を超える場合、無線ＡＰは送信チャネルを無効にし、受信チャネルのみを保持する。この場合、無線ＡＰはスリープ状態に入り、受信チャネルのみが動作中である。無線ＡＰは、無線ＡＰの受信チャネルの標準の動作を維持するための電気量を供給されるのみでよく、無線ＡＰの送信チャネルの標準の動作を維持するための電気量は供給される必要がなく、従って、無線ＡＰの電力消費量は効果的に低減可能である。
【００７０】
無線ＡＰがパワーアップ処理を完了したばかりの場合、無線ＡＰのパワーアップの完了時にタイマが開始されることを理解されたい。無線ＡＰがパケットをアップリンクまたはダウンリンクで送信せず、無線ＡＰがＳｔａｔｉｏｎに関連付けられていない間の時間が、事前設定された時間閾値を超えることが検出される場合、無線ＡＰは送信チャネルを無効にし、受信チャネルのみを保持する。
【００７１】
例えば、無線ＡＰが一定時間実行中であり、事前設定された時間閾値が５分であると想定すると、無線ＡＰが、パケットがアップリンクまたはダウンリンクで送信されておらず、Ｓｔａｔｉｏｎが関連付けられていないことを検出する場合、現在の時間ポイント１０：３６：００が記録され、タイマが同時にオンにされる。無線ＡＰがパケットをアップリンクまたはダウンリンクで送信せず、無線ＡＰがＳｔａｔｉｏｎに関連付けられていない間の時間が５分の時間閾値を超える場合、無線ＡＰは送信チャネルを無効にし、受信チャネルのみを保持する。
【００７２】
Ｓ１０２。無線ＡＰは受信チャネルを介してＰｒｏｂｅ  Ｒｅｑｕｅｓｔをリッスンする。
【００７３】
具体的には、無線ＡＰは、保持された受信チャネルを介して、カバレッジ内のＳｔａｔｉｏｎによって送信されるＰｒｏｂｅ  Ｒｅｑｕｅｓｔをリッスンする。
【００７４】
Ｓ１０３。リッスンすることによって取得されるＰｒｏｂｅ  Ｒｅｑｕｅｓｔが事前設定されたアクティベーション条件を満たす場合、送信チャネルを有効にする。
【００７５】
具体的には、無線ＡＰがスリープ状態から標準状態へと切り替わることを可能にすべく、無線ＡＰは、Ｓ１０２におけるリッスンすることによって取得されるＰｒｏｂｅ  Ｒｅｑｕｅｓｔが事前設定されたアクティベーション条件を満たすかどうかを判断する。はいの場合、無線ＡＰは送信チャネルを有効にする。この場合、無線ＡＰの送信チャネルおよび受信チャネルの両方が有効にされた状態であり、無線ＡＰはアップリンク方向およびダウンリンク方向において端末と標準で通信可能である。
【００７６】
上記より、本発明のこの実施形態の実装においては、無線ＡＰがパケットをアップリンクまたはダウンリンクで送信せず、無線ＡＰがステーションＳｔａｔｉｏｎに関連付けられていない間の時間が事前設定された時間閾値より大きいことが検出された場合、無線ＡＰは送信チャネルを無効にし、受信チャネルのみを保持することが理解できる。この場合、無線ＡＰはスリープ状態に入る。無線ＡＰが受信チャネルを介して、リッスンすることによって取得されるＰｒｏｂｅ  Ｒｅｑｕｅｓｔが事前設定されたアクティベーション条件を満たすと判断する場合、送信チャネルが有効にされ、無線ＡＰは標準状態に入る。このようにして、無線ＡＰの電力消費量は効果的に低減可能であり、無線ＡＰの標準の通信は影響を受けない。
【００７７】
図２を参照すると、本発明の第２の実施形態による、無線ＡＰのためのエネルギー節約方法の概略フローチャートである。この実施形態において、方法は以下を含む。
【００７８】
Ｓ２０１。事前設定された時間閾値を構成する。
【００７９】
具体的には、無線ＡＰが事前設定された時間閾値を構成し、当該時間閾値は、無線ＡＰのビーコンＢｅａｃｏｎ送信時間間隔の整数（１より大きい）倍である。例えば、無線ＡＰのＢｅａｃｏｎ送信時間間隔が５０ｍｓであり、構成された時間閾値は、当該時間間隔の１００倍であり、すなわち構成された時間閾値は５０ｓである。必要に応じて、特定の整数倍が設定される必要があり、それは本発明において限定はされない。
【００８０】
Ｓ２０２。無線ＡＰがパケットをアップリンクまたはダウンリンクで送信せず、無線ＡＰがステーションＳｔａｔｉｏｎに関連付けられていない間の時間が事前設定された時間閾値より大きいかどうかを検出する。
【００８１】
具体的には、本発明のこの実施形態において、無線ＡＰおよびＳｔａｔｉｏｎの両方が、８０２．１１プロトコルをサポートするデバイスである。無線ネットワークをスキャンすべく、Ｓｔａｔｉｏｎは定期的に、ブロードキャストプローブリクエストフレームＰｒｏｂｅ  Ｒｅｑｕｅｓｔをネットワークアダプタによってサポートされるチャネルの一覧内にあるチャネル上で送信する。プローブリクエストフレームを受信した後、無線ＡＰは、無線ＡＰによって提供される無線ネットワークに関する情報を通知すべく、プローブ応答フレームＰｒｏｂｅ  Ｒｅｓｐｏｎｓｅを戻す。Ｓｔａｔｉｏｎは、Ｐｒｏｂｅ  Ｒｅｓｐｏｎｓｅ内の無線ネットワークに関する情報に従い、関連を形成し、通信接続を確立すべく、最も強い信号を有する無線ＡＰを選択する。通信接続が、カバレッジ内の無線ＡＰおよびＳｔａｔｉｏｎ間に確立される場合、無線ＡＰは、関連リストに、通信接続の確立先のＳｔａｔｉｏｎを追加してよく、無線ＡＰは、関連リストをクエリすることによって、Ｓｔａｔｉｏｎが関連付けられているかどうかを判断してよい。
【００８２】
パケットが送信チャネルまたは受信チャネルで送信されず、Ｓｔａｔｉｏｎが関連付けられていないことが検出される場合、無線ＡＰはタイマを開始させる。パケットがアップリンクまたはダウンリンクで送信されず、ステーションＳｔａｔｉｏｎが関連付けられていない間の時間が事前設定された時間閾値より大きい場合、Ｓ２０３が実行され、そうでない場合、処理は終了される。
【００８３】
無線ＡＰがパワーアップ時に、パワーアップ処理を完了させたばかりの場合、無線ＡＰはデータをアップリンクまたはダウンリンクで送信せず、無線ＡＰはいかなるＳｔａｔｉｏｎにも関連付けられず、無線ＡＰはタイマをオンにすることを理解されたい。無線ＡＰがパケットをアップリンクまたはダウンリンクで送信せず、無線ＡＰがＳｔａｔｉｏｎに関連付けられていない間の時間が事前設定された時間閾値より大きい場合、Ｓ２０３が実行され、そうでない場合、処理は終了される。
【００８４】
例えば、無線ＡＰが一定時間実行中であり、事前設定された時間閾値が５分であると想定すると、無線ＡＰがパケットがアップリンクまたはダウンリンクで送信されず、Ｓｔａｔｉｏｎが関連付けられていないことを検出する場合、無線Ａはタイマを開始させ、現在の時間ポイント１０：３６：００が記録される。パケットがアップリンクまたはダウンリンクで送信されず、ステーションが関連付けられていない間の時間が事前設定された５分の時間閾値を超える場合、Ｓ２０３が実行され、そうでない場合、処理は終了される。
【００８５】
本発明のこの実施形態において、無線ＡＰがＳｔａｔｉｏｎに関連付けられておらず、パケットをアップリンクまたはダウンリンクで送信していないという両方の条件を満たす間の時間が事前設定された時間閾値より大きい場合、それは無線ＡＰのカバレッジ内のＳｔａｔｉｏｎは通信の必要性がないことを示す。この場合、無線ＡＰは無線ＡＰの送信チャネルを無効にし、それによって、カバレッジ内のＳｔａｔｉｏｎの標準の通信に影響を与えることはない。
【００８６】
Ｓ２０３。無線ＡＰは送信チャネルを無効にし、受信チャネルのみを保持する。
【００８７】
具体的には、無線ＡＰは無線ＡＰの送信チャネルを無効にし、無線ＡＰの受信チャネルのみを保持し、無線ＡＰはスリープ状態に入る。この場合、無線ＡＰの受信チャネルのみが実行中であり、無線ＡＰは無線ＡＰの受信チャネルの標準の動作を維持するための電気量を供給されるのみでよく、従って、無線ＡＰの電力消費量は効果的に低減可能である。
【００８８】
Ｓ２０４。無線ＡＰは受信チャネルを介して、Ｐｒｏｂｅ  Ｒｅｑｕｅｓｔをリッスンする。
【００８９】
具体的には、無線ＡＰは、保持された受信チャネルを介して、カバレッジ内のＳｔａｔｉｏｎによって送信されるＰｒｏｂｅ  Ｒｅｑｕｅｓｔをリッスンする。
【００９０】
Ｓ２０５。無線ＡＰがＰｒｏｂｅ  Ｒｅｑｕｅｓｔを検出するかどうか。
【００９１】
具体的には、無線ＡＰがカバレッジ内の任意のＳｔａｔｉｏｎによって送信されるＰｒｏｂｅ  Ｒｅｑｕｅｓｔを検出する場合、それは、当該Ｓｔａｔｉｏｎは無線ＡＰと標準の通信を開始する必要があることを示しており、Ｓ２０６が実行され、そうでない場合、Ｓ２０４が実行される。
【００９２】
Ｓ２０６。無線ＡＰは、無線ＡＰの送信チャネルを有効にする。
【００９３】
具体的には、無線ＡＰが検出されるＰｒｏｂｅ  Ｒｅｑｕｅｓｔのアクティベーション条件を満たす場合、無線ＡＰは、無線ＡＰの送信チャネルを有効にする。この場合、無線ＡＰの送信チャネルおよび受信チャネルの両方が標準の動作状態にある。
【００９４】
例えば、パブリックな場所に配備される無線ＡＰの場合、無線ＡＰによってサービス提供されることになるステーションは限定されず、無線ＡＰはカバレッジ内の任意のＳｔａｔｉｏｎによって送信されるＰｒｏｂｅ  Ｒｅｑｕｅｓｔに応答する必要がある。ひとたび、任意のＳｔａｔｉｏｎによって送信されるＰｒｏｂｅ  Ｒｅｑｕｅｓｔを検出すると、無線ＡＰは直ちに、無線ＡＰの送信チャネルを有効にし、現在のスリープ状態から標準状態に切り替わる。
【００９５】
オプションとして、Ｐｒｏｂｅ  Ｒｅｑｕｅｓｔの検出時、無線ＡＰは、検出されるＰｒｏｂｅ  Ｒｅｑｕｅｓｔの信号強度を取得する。信号強度が事前設定された強度閾値より大きい場合、無線ＡＰは、無線ＡＰの送信チャネルを有効にし、そうでない場合、無線ＡＰはＰｒｏｂｅ  Ｒｅｑｕｅｓｔの検出を続行する。このように、無線ＡＰは高い信号強度を有するＳｔａｔｉｏｎにのみ通信サービスを提供する結果、Ｓｔａｔｉｏｎに所望のサービスの品質を提供する。
【００９６】
この実施形態において、上記処理を完了するためには、無線ＡＰのソフトウェアのみが変更される必要があり、無線ＡＰのハードウェアは変更される必要がない。無線ＡＰが、パケットがアップリンクまたはダウンリンクで送信されず、Ｓｔａｔｉｏｎが関連付けられていない間の時間が事前設定された時間閾値より大きいことを検出する場合、無線ＡＰの送信チャネルは無効にされ、無線ＡＰはスリープ状態に入る。この場合、無線ＡＰの受信チャネルのみが実行中である。このようにして、無線ＡＰの電力消費量は約５０％低減可能である。また、無線ＡＰは、標準状態に入るべく、受信チャネルを介してＰｒｏｂｅ  Ｒｅｑｕｅｓｔをリッスンすることによって、送信チャネルが有効かどうかを判断し、無線ＡＰは高速な応答速度でスリープ状態から標準状態に切り替わり、それによって、無線ＡＰのカバレッジ内のＳｔａｔｉｏｎの標準の通信に影響を与えることはない。
【００９７】
図３を参照すると、本発明の第３の実施形態による、無線ＡＰのためのエネルギー節約方法の概略フローチャートである。この実施形態において、方法は以下を含む。
【００９８】
Ｓ３０１。承認されたデバイス情報を構成する。ここで承認されたデバイス情報は、無線ＡＰをウェイクアップすることが可能な複数のＳｔａｔｉｏｎのＭＡＣアドレスの一覧を含む。
【００９９】
具体的には、無線ＡＰは、承認されたデバイス情報を用いて構成され、承認されたデバイス情報は、無線ＡＰをウェイクアップすることが可能な複数のＳｔａｔｉｏｎのＭＡＣアドレスの一覧を含み、ＭＡＣアドレスの一覧は、一意および変更不能という複数の特徴を有し、無線ＡＰはＭＡＣアドレスの一覧を使用することによってＳｔａｔｉｏｎに対し、ウェイクアップ権限制御を実行してよい。
【０１００】
例えば、承認されたデバイス情報内に含まれるＭＡＣアドレスの一覧が、０５−１６−ＤＣ−５９−Ｃ２−３４、５０−６１−ＣＤ−５９−２Ｃ−４３、および０６−２６−ＤＣ−６９−Ｃ３−４４の場合、一覧の３つのＭＡＣアドレスに対応する複数のＳｔａｔｉｏｎが、無線ＡＰをウェイクアップする権限を有することを示す。
【０１０１】
Ｓ３０２。無線ＡＰがパケットをアップリンクまたはダウンリンクで送信せず、無線ＡＰがステーションＳｔａｔｉｏｎに関連付けられていない間の時間が事前設定された時間閾値より大きいかどうかを検出する。
【０１０２】
具体的には、本発明のこの実施形態において、無線ＡＰおよびＳｔａｔｉｏｎの両方が、８０２．１１プロトコルをサポートするデバイスである。無線ネットワークをスキャンすべく、Ｓｔａｔｉｏｎは定期的に、ブロードキャストプローブリクエストフレームＰｒｏｂｅ  Ｒｅｑｕｅｓｔをネットワークアダプタによってサポートされるチャネルの一覧内にあるチャネル上で送信する。プローブリクエストフレームを受信した後、無線ＡＰは、無線ＡＰによって提供される無線ネットワークに関する情報を通知すべく、プローブ応答フレームＰｒｏｂｅ  Ｒｅｓｐｏｎｓｅを戻す。Ｓｔａｔｉｏｎは、Ｐｒｏｂｅ  Ｒｅｓｐｏｎｓｅ内の無線ネットワークに関する情報に従い、関連を形成し、通信接続を確立すべく、最も強い信号を有する無線ＡＰを選択する。通信接続が、カバレッジ内の無線ＡＰおよびＳｔａｔｉｏｎ間に確立される場合、無線ＡＰは、関連リストに、通信接続の確立先のＳｔａｔｉｏｎを追加してよく、無線ＡＰは、関連リストをクエリすることによって、Ｓｔａｔｉｏｎが関連付けられているかどうかを判断してよい。
【０１０３】
パケットが送信チャネルまたは受信チャネルで送信されず、Ｓｔａｔｉｏｎが関連付けられていないことが検出される場合、無線ＡＰはタイマを開始させる。パケットがアップリンクまたはダウンリンクで送信されず、Ｓｔａｔｉｏｎが関連付けられていない間の時間が事前設定された時間閾値より大きい場合、Ｓ３０３が実行され、そうでない場合、処理は終了される。
【０１０４】
無線ＡＰがパワーアップ時に、パワーアップ処理を完了させたばかりの場合、無線ＡＰはデータをアップリンクまたはダウンリンクで送信せず、無線ＡＰはいかなるＳｔａｔｉｏｎにも関連付けられず、無線ＡＰはタイマを開始させることを理解されたい。無線ＡＰがパケットをアップリンクまたはダウンリンクで送信せず、Ｓｔａｔｉｏｎに関連付けられていない間の時間が事前設定された時間閾値より大きい場合、Ｓ３０３が実行され、そうでない場合、処理は終了される。
【０１０５】
例えば、無線ＡＰが一定時間実行中であり、事前設定された時間閾値が５分であると想定すると、パケットがアップリンクまたはダウンリンクで送信されず、Ｓｔａｔｉｏｎが関連付けられていないことを検出する場合、無線ＡＰはタイマを開始させ、現在の時間ポイント１０：３６：００が記録される。パケットがアップリンクまたはダウンリンクで送信されず、ステーションが関連付けられていない間の時間が事前設定された５分の時間閾値を超える場合、Ｓ３０３が実行され、そうでない場合、処理は終了される。
【０１０６】
本発明のこの実施形態において、無線ＡＰがＳｔａｔｉｏｎに関連付けられておらず、パケットをアップリンクまたはダウンリンクで送信していないという両方の条件を満たす間の時間が事前設定された時間閾値より大きい場合、それは無線ＡＰのカバレッジ内のＳｔａｔｉｏｎは通信の必要性がないことを示す。この場合、無線ＡＰは無線ＡＰの送信チャネルを無効にし、それによって、カバレッジ内のＳｔａｔｉｏｎの標準の通信に影響を与えることはない。
【０１０７】
Ｓ３０３。無線ＡＰは、送信チャネルを無効にし、受信チャネルのみを保持する。
【０１０８】
具体的には、無線ＡＰは無線ＡＰの送信チャネルを無効にし、無線ＡＰの受信チャネルのみを保持する。この場合、無線ＡＰはスリープ状態に入り、無線ＡＰの受信チャネルのみが実行中である。無線ＡＰは無線ＡＰの受信チャネルの標準の動作を維持するための電気量を供給されるのみでよく、これによって、無線ＡＰの電力消費量は効果的に低減される。
【０１０９】
Ｓ３０４。無線ＡＰは受信チャネルを介して、Ｐｒｏｂｅ  Ｒｅｑｕｅｓｔをリッスンする。
【０１１０】
具体的には、無線ＡＰは、保持された受信チャネルを介して、カバレッジ内のＳｔａｔｉｏｎによって送信されるＰｒｏｂｅ  Ｒｅｑｕｅｓｔをリッスンする。
【０１１１】
Ｓ３０５。無線ＡＰがＰｒｏｂｅ  Ｒｅｑｕｅｓｔを検出するかどうか。
【０１１２】
具体的には、無線ＡＰがカバレッジ内のＳｔａｔｉｏｎによって送信されるＰｒｏｂｅ  Ｒｅｑｕｅｓｔを検出する場合、それは、当該Ｓｔａｔｉｏｎは無線ＡＰと標準の通信を開始する必要があることを示しており、Ｓ３０６が実行され、そうでない場合、Ｓ３０４が実行される。
【０１１３】
Ｓ３０６。検出されるＰｒｏｂｅ  Ｒｅｑｕｅｓｔの信号強度を取得する。
【０１１４】
具体的には、無線ＡＰは、検出されるＰｒｏｂｅ  ＲｅｑｕｅｓｔのＲＳＳＩ値を取得する。ＲＳＳＩ値は、Ｐｒｏｂｅ  Ｒｅｑｕｅｓｔの信号強度を示す。より大きいＲＳＳＩ値は、より高い信号強度を示し、より小さいＲＳＳＩ値は、より低い信号強度を示す。
【０１１５】
Ｓ３０７。信号強度が事前設定された強度閾値より大きいかどうか。
【０１１６】
具体的には、無線ＡＰが、検出されるＰｒｏｂｅ  Ｒｅｑｕｅｓｔの信号強度が、事前設定された強度閾値より大きいと判断する場合、Ｓ３０９が実行され、そうでない場合、処理は終了される。
【０１１７】
Ｓ３０８。検出されるＰｒｏｂｅ  ＲｅｑｕｅｓｔのＭＡＣアドレスを取得する。
【０１１８】
具体的には、Ｓｔａｔｉｏｎによって送信されるＰｒｏｂｅ  Ｒｅｑｕｅｓｔは、Ｐｒｏｂｅ  ＲｅｑｕｅｓｔのＭＡＣアドレスを搬送し、Ｐｒｏｂｅ  Ｒｅｑｕｅｓｔを受信した後、無線ＡＰは、Ｐｒｏｂｅ  ＲｅｑｕｅｓｔからＰｒｏｂｅ  Ｒｅｑｕｅｓｔを送信するＳｔａｔｉｏｎのＭＡＣアドレスを抽出する。
【０１１９】
Ｓ３０９。ＭＡＣアドレスが事前設定された、承認されたデバイス情報内にあるかどうか。
【０１２０】
具体的には、無線ＡＰは、抽出されたＭＡＣアドレスがＳ３０１において、事前設定された、承認されたデバイス情報内にあるかどうかを判断し、はいの場合、Ｓ３１０が実行され、そうでない場合、処理は終了される。
【０１２１】
例えば、無線ＡＰによって抽出された、受信されるＰｒｏｂｅ  Ｒｅｑｕｅｓｔ内のＭＡＣアドレスの一覧が０５−１６−ＤＣ−５９−Ｃ２−３４であり、そのＭＡＣアドレスの一覧はＳ１０１において構成された承認されたデバイス情報内に存在し、それは、ＭＡＣアドレスの一覧に対応するＳｔａｔｉｏｎが、無線ＡＰをウェイクアップする権限を有することを示す。
【０１２２】
Ｓ３１１。無線ＡＰは、送信チャネルを有効にする。
【０１２３】
具体的には、検出されるＰｒｏｂｅ  Ｒｅｑｕｅｓｔの信号強度が事前設定された強度閾値より大きく、ＭＡＣアドレスの一覧が、事前設定された、承認されたデバイス情報内に存在するというアクティベーション条件を満たす場合、無線ＡＰは無線ＡＰの送信チャネルを有効にする。この場合、無線ＡＰの送信チャネルおよび受信チャネルの両方が標準の動作状態にあり、無線ＡＰはカバレッジ内のＳｔａｔｉｏｎと標準で通信可能である。
【０１２４】
例えば、プライベートな場所に配備される無線ＡＰの場合、無線ＡＰはカバレッジ内のＳｔａｔｉｏｎによるウェイクアップを制限する。受信されるＰｒｏｂｅ  Ｒｅｑｕｅｓｔの信号強度が、事前設定された強度閾値より大きく、Ｐｒｏｂｅ  Ｒｅｑｕｅｓｔを送信するＳｔａｔｉｏｎがウェイクアップ権限を有することを検出する場合、無線ＡＰは直ちに無線ＡＰの送信チャネルを有効にし、無線ＡＰは現在のスリープ状態から標準状態へ切り替わる。このようにして、無線ＡＰはＳｔａｔｉｏｎに高品質な通信サービスを提供可能であり、ウェイクアップ権限を有さないＳｔａｔｉｏｎによって誤ってウェイクアップされるのを回避可能である。
【０１２５】
本発明のいくつかの実施形態において、Ｓｔａｔｉｏｎがサービス品質に対する高い要求を有さないシナリオでは、無線ＡＰはＰｒｏｂｅ  Ｒｅｑｕｅｓｔの信号強度を判断する必要はなく、Ｐｒｏｂｅ  ＲｅｑｕｅｓｔのＭＡＣアドレスが事前設定された、承認されたデバイス情報内に存在するかどうかを判断する必要があるのみで、はいの場合、無線ＡＰは無線ＡＰの送信チャネルを有効にする。
【０１２６】
この実施形態において、上記処理を完了するためには、無線ＡＰのソフトウェアのみが変更される必要があり、無線ＡＰのハードウェアは変更される必要がない。無線ＡＰが、パケットがアップリンクまたはダウンリンクで送信されず、Ｓｔａｔｉｏｎが関連付けられていない間の時間が事前設定された時間閾値より大きいことを検出する場合、無線ＡＰの送信チャネルは無効にされ、無線ＡＰはスリープ状態に入る。この場合、無線ＡＰの受信チャネルのみが実行中である。このようにして、無線ＡＰの電力消費量は約５０％低減可能である。また、無線ＡＰは、標準状態に入るべく、受信チャネルを介してＰｒｏｂｅ  Ｒｅｑｕｅｓｔをリッスンすることによって、送信チャネルが有効かどうかを判断し、無線ＡＰは高速な応答速度でスリープ状態から標準状態に切り替わり、それによって、無線ＡＰのカバレッジ内のＳｔａｔｉｏｎの標準の通信に影響を与えることはない。
【０１２７】
図４を参照すると、本発明の第４の実施形態による、無線ＡＰのためのエネルギー節約方法の概略フローチャートである。この実施形態において、方法は以下を含む。
【０１２８】
Ｓ４０１。無線ＡＰがパケットをアップリンクまたはダウンリンクで送信せず、無線ＡＰがステーションＳｔａｔｉｏｎに関連付けられていない間の時間が事前設定された時間閾値より大きいことが検出された場合、無線ＡＰは、スニファ装置にパワーアップ命令を送信し、ここでパワーアップ命令は、スニファ装置に対し、パワーアップするよう命令するために使用される。
【０１２９】
具体的には、本発明のこの実施形態において、無線ＡＰおよびＳｔａｔｉｏｎの両方が、８０２．１１プロトコルをサポートするデバイスである。無線ネットワークをスキャンすべく、Ｓｔａｔｉｏｎは定期的に、ブロードキャストプローブリクエストフレームＰｒｏｂｅ  Ｒｅｑｕｅｓｔをネットワークアダプタによってサポートされるチャネルの一覧内にあるチャネル上で送信する。プローブリクエストフレームを受信した後、無線ＡＰは、無線ＡＰによって提供される無線ネットワークに関する情報を通知すべく、プローブ応答フレームＰｒｏｂｅ  Ｒｅｓｐｏｎｓｅを戻す。Ｓｔａｔｉｏｎは、Ｐｒｏｂｅ  Ｒｅｓｐｏｎｓｅ内の無線ネットワークに関する情報に従い、関連を形成すべく、最も強い信号を有する無線ＡＰを選択する。
【０１３０】
無線ＡＰの動作処理において、パケットがアップリンクまたはダウンリンクで送信されず、Ｓｔａｔｉｏｎが関連付けられていないことを検出する場合、無線ＡＰはタイマを開始させる。パケットがアップリンクまたはダウンリンクで送信されず、Ｓｔａｔｉｏｎが関連付けられていない間の時間が事前設定された時間閾値より大きい場合、無線ＡＰは、スニファ装置にパワーアップ命令を送信し、ここでパワーアップ命令は、スニファ装置に対し、パワーアップするよう命令するために使用される。
【０１３１】
無線ＡＰがパワーアップ時に、パワーアップ処理を完了させたばかりの場合、無線ＡＰはデータをアップリンクまたはダウンリンクで送信せず、いかなるＳｔａｔｉｏｎにも関連付けられず、無線ＡＰはタイマを開始させることを理解されたい。パケットがアップリンクまたはダウンリンクで送信されず、ステーションＳｔａｔｉｏｎが関連付けられていない間の時間が、事前設定された時間閾値より大きい場合、無線ＡＰは、スニファ装置に対し、パワーアップを開始するよう命令すべく、スニファ装置にパワーアップ命令を送信する。
【０１３２】
例えば、無線ＡＰが一定時間実行中であり、事前設定された時間閾値が５分であると想定すると、無線ＡＰが、パケットがアップリンクまたはダウンリンクで送信されておらず、ステーションＳｔａｔｉｏｎが関連付けられていないことを検出する場合、無線ＡＰはタイマをオンにし、現在の時間ポイント１０：３６：００が記録される。タイマの記録時間が、事前設定された５分の時間閾値を超える場合、無線ＡＰは、スニファ装置にパワーアップ命令を送信し、スニファ装置はパワーアップ命令を受信し、スニファ装置は電源に接続され、パワーアップを開始する。
【０１３３】
Ｓ４０２。無線ＡＰは電力を切断する。
【０１３４】
具体的には、スニファ装置にパワーアップを開始するよう命令した後、無線ＡＰは電力を切断する。この場合、無線ＡＰは電源オフ状態にあり、無線ＡＰは電力を一切消費せず、スニファ装置のみが電力を消費し、その結果、無線ＡＰの電力消費量は効果的に低減されてよい。
【０１３５】
スニファ装置は無線ＡＰ内に位置付けられてよく、無線ＡＰに統合されてよく、または無線ＡＰとは別個の独立したコンポーネントであってよいことに留意されたい。好ましくは、動作時の電力消費量がさらに低減可能となるよう、低電力消費要素がスニファ装置において使用されてよい。
【０１３６】
上記より、本発明のこの実施形態の実装においては、無線ＡＰがパケットをアップリンクまたはダウンリンクで送信せず、無線ＡＰがステーションＳｔａｔｉｏｎに関連付けられていない間の時間が事前設定された時間閾値より大きいことが検出された場合、無線ＡＰは、スニファ装置に対し、パワーアップ動作の実行を開始するよう命令し、無線ＡＰの電力を切断することが理解できる。このように、無線ＡＰが電力を消費せず、スニファ装置のみが電力を消費する結果、電力消費量が大きく低減可能である。
【０１３７】
図５を参照すると、本発明の第５の実施形態による、無線ＡＰのためのエネルギー節約方法の概略フローチャートである。この実施形態において、方法は以下を含む。
【０１３８】
Ｓ５０１。無線ＡＰは、事前設定された時間閾値を構成する。
【０１３９】
具体的には、無線ＡＰは事前設定された時間閾値を構成し、当該時間閾値は、無線ＡＰのビーコンＢｅａｃｏｎ送信時間間隔の整数（１より大きい）倍である。例えば、無線ＡＰのＢｅａｃｏｎ送信時間間隔が５０ｍｓの場合、構成された時間閾値は、当該時間間隔の１００倍であり、すなわち、構成された時間閾値は５０ｓである。必要に応じて、特定の整数倍が設定される必要があり、それは本発明において限定はされない。
【０１４０】
Ｓ５０２。無線ＡＰがパケットをアップリンクまたはダウンリンクで送信せず、無線ＡＰがステーションＳｔａｔｉｏｎに関連付けられていない間の時間が事前設定された時間閾値より大きいことが検出された場合、無線ＡＰは、スニファ装置にパワーアップ命令を送信し、ここでパワーアップ命令は、スニファ装置に対し、パワーアップするよう命令するために使用される。
【０１４１】
具体的には、本発明のこの実施形態において、無線ＡＰおよびＳｔａｔｉｏｎの両方が、８０２．１１プロトコルをサポートするデバイスである。無線ネットワークをスキャンすべく、Ｓｔａｔｉｏｎは定期的に、ブロードキャストプローブリクエストフレームＰｒｏｂｅ  Ｒｅｑｕｅｓｔをネットワークアダプタによってサポートされるチャネルの一覧内にあるチャネル上で送信する。プローブリクエストフレームを受信した後、無線ＡＰは、無線ＡＰによって提供される無線ネットワークに関する情報を通知すべく、プローブ応答フレームＰｒｏｂｅ  Ｒｅｓｐｏｎｓｅを戻す。Ｓｔａｔｉｏｎは、Ｐｒｏｂｅ  Ｒｅｓｐｏｎｓｅ内の無線ネットワークに関する情報に従い、関連を形成すべく、最も強い信号を有する無線ＡＰを選択する。
【０１４２】
無線ＡＰの動作処理において、パケットがアップリンクまたはダウンリンクで送信されず、Ｓｔａｔｉｏｎが関連付けられていないことを検出する場合、無線ＡＰはタイマを開始させる。パケットがアップリンクまたはダウンリンクで送信されず、Ｓｔａｔｉｏｎが関連付けられていない間の時間が事前設定された時間閾値より大きい場合、無線ＡＰは、スニファ装置にパワーアップ命令を送信し、ここでパワーアップ命令は、スニファ装置に対し、パワーアップするよう命令するために使用される。
【０１４３】
無線ＡＰがパワーアップ時に、パワーアップ処理を完了させたばかりの場合、無線ＡＰはデータをアップリンクまたはダウンリンクで送信せず、いかなるＳｔａｔｉｏｎにも関連付けられず、無線ＡＰはタイマを開始させることを理解されたい。パケットがアップリンクまたはダウンリンクで送信されず、ステーションＳｔａｔｉｏｎが関連付けられていない間の時間が、事前設定された時間閾値より大きい場合、無線ＡＰは、スニファ装置に対し、パワーアップを開始するよう命令すべく、スニファ装置にパワーアップ命令を送信する。
【０１４４】
例えば、無線ＡＰが一定時間実行中であり、事前設定された時間閾値が５分であると想定すると、パケットがアップリンクまたはダウンリンクで送信されず、ステーションＳｔａｔｉｏｎが関連付けられていないことを検出する場合、無線ＡＰはタイマをオンにし、現在の時間ポイント１０：３６：００が記録される。タイマの記録時間が、事前設定された５分の時間閾値を超える場合、無線ＡＰは、スニファ装置にパワーアップ命令を送信し、スニファ装置はパワーアップ命令を受信し、スニファ装置は電源に接続され、パワーアップを開始する。
【０１４５】
Ｓ５０３。無線ＡＰが、スニファ装置が正常にパワーアップされたことを確認するためのメッセージを受信するかどうか。
【０１４６】
具体的には、無線ＡＰによって送信されるパワーアップ命令を受信した後、スニファ装置はパワーアップする。パワーアップ後、スニファ装置は、無線ＡＰに対し、スニファ装置が正常にパワーアップされたことを示す確認メッセージを送信する。無線ＡＰは、確認メッセージが受信されたかどうかを判断し、はいの場合、Ｓ５０４が実行され、そうでない場合、処理は終了される。
【０１４７】
Ｓ５０４。無線ＡＰは電力を切断する。
【０１４８】
具体的には、確認メッセージを受信した後、無線ＡＰは、スニファ装置が正常にパワーアップされたことを判断する。この場合、無線ＡＰは無線ＡＰの電力を切断し、無線ＡＰは電源オフ状態にあり、無線ＡＰは電力を一切消費せず、スニファ装置のみが電力を消費し、その結果、電力消費量は効果的に低減されてよい。
【０１４９】
スニファ装置は無線ＡＰ内に位置付けられてよく、無線ＡＰに統合されてよく、または無線ＡＰとは別個の独立したコンポーネントであってよいことに留意されたい。好ましくは、動作時の電力消費量がさらに低減可能となるよう、低電力消費要素がスニファ装置において使用されてよい。
【０１５０】
上記より、本発明のこの実施形態の実装においては、無線ＡＰがパケットをアップリンクまたはダウンリンクで送信せず、無線ＡＰがステーションＳｔａｔｉｏｎに関連付けられていない間の時間が事前設定された時間閾値より大きいことが検出された場合、無線ＡＰは、スニファ装置に対し、パワーアップ動作の実行を開始するよう命令し、無線ＡＰの電力を切断することが理解できる。このように、無線ＡＰが電力を消費せず、スニファ装置のみが電力を消費する結果、電力消費量が大きく低減可能である。
【０１５１】
図６を参照すると、本発明の第１の実施形態による、無線ＡＰのためのウェイクアップ方法の概略フローチャートである。この実施形態において、方法は以下を含む。
【０１５２】
Ｓ６０１。スニファ装置が、無線ＡＰによって送信されるパワーアップ命令を受信した後、パワーアップを開始する。
【０１５３】
具体的には、パワーアップ命令が受信される前、スニファ装置は電源オフ状態にあり、電力を消費していない。無線ＡＰは、パワーアップ命令をスニファ装置に送信し、スニファ装置の電源スイッチを駆動して、有効状態から無効状態に切り替える。このようにして、スニファ装置はパワーアップ可能である。例えば、スニファ装置の電源スイッチは、リレーによって実装されてよい。スニファ装置がパワーアップ命令を受信した後、標準では有効なリレーのコンタクトが無効にされ、その結果、スニファ装置がパワーアップを開始する。
【０１５４】
Ｓ６０１。スニファ装置はＰｒｏｂｅ  Ｒｅｑｕｅｓｔをリッスンする。
【０１５５】
Ｓ６０２。リッスンすることによって取得されるＰｒｏｂｅ  Ｒｅｑｕｅｓｔが事前設定されたアクティベーション条件を満たす場合、スニファ装置が無線ＡＰに対し、パワーアップするよう命令した後、電力を切断する。
【０１５６】
具体的には、スニファ装置は、リッスンすることによって取得されるＰｒｏｂｅ  Ｒｅｑｕｅｓｔが事前設定されたアクティベーション条件を満たすかどうかを判断し、はいの場合、スニファ装置は無線ＡＰにパルス信号を送信し、無線ＡＰの電源スイッチを駆動して、有効にされた状態から無効にされた状態に切り替える。このように、無線ＡＰはパワーアップされる。無線ＡＰがパワーアップされた後、無線ＡＰは、カバレッジ内のＳｔａｔｉｏｎに関連付けられた後、標準の通信を実行可能である。スニファ装置が無線ＡＰに対し、パワーアップするよう命令した後、スニファ装置はスニファ装置の電力を切断する。この場合、スニファ装置は電源オフ状態にあり、もはや電力を消費しなくなる。
【０１５７】
本発明のこの実施形態の実装において、無線ＡＰによって送信されるパワーアップ命令を受信した後、スニファ装置はパワーアップを開始する。スニファ装置によってリッスンされることにより取得されるＰｒｏｂｅ  Ｒｅｑｕｅｓｔが事前設定されたアクティベーション条件を満たす場合、無線ＡＰはパワーアップするよう命令され、その結果、無線ＡＰはカバレッジ内のＳｔａｔｉｏｎと通信し、その後、スニファ装置はスニファ装置の電力を切断する。このように、無線ＡＰの電力消費量は効果的に低減可能であり、無線ＡＰの標準の通信ニーズは影響を受けない。
【０１５８】
図７を参照すると、本発明の第２の実施形態による、無線ＡＰのためのウェイクアップ方法の概略フローチャートである。本発明のこの実施形態において、方法は以下を含む。
【０１５９】
Ｓ７０１。スニファ装置が無線ＡＰによって送信されるパワーアップ命令を受信した後、パワーアップを開始する。
【０１６０】
具体的には、パワーアップ命令を受信する前、スニファ装置は電源オフ状態にあり、電力を消費していない。無線ＡＰは、パワーアップ命令をスニファ装置に送信し、スニファ装置の電源スイッチを駆動して、有効状態から無効状態に切り替える。このようにして、スニファ装置はパワーアップ可能である。例えば、スニファ装置の電源スイッチは、リレーによって実装されてよい。スニファ装置がパワーアップ命令を受信した後、標準では有効なリレーのコンタクトが無効にされ、その結果、スニファ装置がパワーアップを開始する。
【０１６１】
Ｓ７０２。スニファ装置はＰｒｏｂｅ  Ｒｅｑｕｅｓｔをリッスンする。
【０１６２】
Ｓ７０２。スニファ装置がＰｒｏｂｅ  Ｒｅｑｕｅｓｔを検出する場合、スニファ装置は無線ＡＰに対し、パワーアップするよう命令した後、電力を切断する。
【０１６３】
具体的には、スニファ装置が任意のＳｔａｔｉｏｎによって送信されるＰｒｏｂｅ  Ｒｅｑｕｅｓｔを検出する場合、それは、Ｓｔａｔｉｏｎが無線ＡＰとの標準の通信を開始する必要があることを示す。検出されるＰｒｏｂｅ  Ｒｅｑｕｅｓｔのアクティベーション条件が満たされると判断される場合、スニファ装置は無線ＡＰに対し、パワーアップを命令する。無線ＡＰがパワーアップされた後、無線ＡＰの送信チャネルおよび受信チャネルの両方は標準の動作状態にあり、その後、スニファ装置はスニファ装置の電力を切断する。
【０１６４】
例えば、パブリックな場所に配備される無線ＡＰの場合、無線ＡＰによってサービス提供されことになるＳｔａｔｉｏｎは限定されず、無線ＡＰはカバレッジ内の任意のＳｔａｔｉｏｎによって送信されるＰｒｏｂｅ  Ｒｅｑｕｅｓｔに応答する必要がある。任意のＳｔａｔｉｏｎによって送信されるＰｒｏｂｅ  Ｒｅｑｕｅｓｔを検出した後、スニファ装置は無線ＡＰに対し、パワーアップするよう命令する。無線ＡＰがパワーアップされた後、スニファ装置はスニファ装置の電力を切断し、このようにして、無線ＡＰは現在の電源オフ状態から標準状態に切り替わる。
【０１６５】
オプションとして、スニファ装置はＰｒｏｂｅ  Ｒｅｑｕｅｓｔを検出し、検出されるＰｒｏｂｅ  Ｒｅｑｕｅｓｔの信号強度を取得し、信号強度が事前設定された強度閾値より大きい場合、無線ＡＰにパワーアップするよう命令した後、スニファ装置はスニファ装置の電力を切断し、そうでない場合、スニファ装置はＰｒｏｂｅ  Ｒｅｑｕｅｓｔの検出を続行する。このように、無線ＡＰは高い信号強度を有するＳｔａｔｉｏｎにのみ通信サービスを提供する結果、Ｓｔａｔｉｏｎに所望のサービスの品質を提供する。
【０１６６】
図８を参照すると、本発明の第３の実施形態による、無線ＡＰのためのウェイクアップ方法の概略フローチャートである。本発明のこの実施形態において、方法は以下を含む。
【０１６７】
Ｓ８０１。承認されたデバイス情報を構成する。ここで承認されたデバイス情報は、無線ＡＰをウェイクアップすることが可能な複数のＳｔａｔｉｏｎのＭＡＣアドレスの一覧を含む。
【０１６８】
具体的には、承認されたデバイス情報がスニファ装置において構成され、承認されたデバイス情報は、無線ＡＰをウェイクアップする権限を有するステーションのＭＡＣアドレスの一覧を含み、ＭＡＣアドレスの一覧は、一意および変更不能という複数の特徴を有し、スニファ装置は、ＭＡＣアドレスの一覧を使用することによって無線ＡＰに対し、ウェイクアップ制御を実行してよい。
【０１６９】
例えば、承認されたデバイス情報内に含まれるＭＡＣアドレスの一覧が０５−１６−ＤＣ−５９−Ｃ２−３４、５０−６１−ＣＤ−５９−２Ｃ−４３、および０６−２６−ＤＣ−６９−Ｃ３−４４の場合、一覧の３つのＭＡＣアドレスに対応する複数のＳｔａｔｉｏｎが、無線ＡＰをウェイクアップする権限を有することを示す。
【０１７０】
Ｓ８０２。スニファ装置が無線ＡＰによって送信されるパワーアップ命令を受信した後、パワーアップを開始する。
【０１７１】
Ｓ８０３。スニファ装置はＰｒｏｂｅ  Ｒｅｑｕｅｓｔをリッスンする。
【０１７２】
Ｓ８０４。スニファ装置がＰｒｏｂｅ  Ｒｅｑｕｅｓｔを検出するかどうか。はいの場合、Ｓ５０８が実行され、そうでない場合、処理は終了される。
【０１７３】
Ｓ８０５。検出されるＰｒｏｂｅ  Ｒｅｑｕｅｓｔの信号強度を取得する。
【０１７４】
Ｓ８０６。信号強度が事前設定された強度閾値より大きいかどうか。
【０１７５】
Ｓ８０７。検出されるＰｒｏｂｅ  ＲｅｑｕｅｓｔのＭＡＣアドレスを取得する。
【０１７６】
Ｓ８０８。ＭＡＣアドレスが事前設定された、承認されたデバイス情報内に存在するかどうか。
【０１７７】
Ｓ８０９。スニファ装置が無線ＡＰに対し、パワーアップを命令した後、電力を切断する。
【０１７８】
具体的には、スニファ装置が、検出されるＰｒｏｂｅ  Ｒｅｑｕｅｓｔの信号強度が事前設定された強度閾値より大きく、ＭＡＣアドレスの一覧が、事前設定された、承認されたデバイス情報内に存在するというアクティベーション条件を満たす場合、スニファ装置は無線ＡＰに対し、パワーアップするよう命令する。無線ＡＰがパワーアップされた後、スニファ装置はスニファ装置の電力を切断する。この場合、無線ＡＰの送信チャネルおよび受信チャネルの両方が標準の動作状態にある。
【０１７９】
例えば、プライベートな場所に配備される無線ＡＰの場合、無線ＡＰはカバレッジ内のＳｔａｔｉｏｎによるウェイクアップを制限する。受信されるＰｒｏｂｅ  Ｒｅｑｕｅｓｔの信号強度が十分強く、Ｐｒｏｂｅ  Ｒｅｑｕｅｓｔを送信するＳｔａｔｉｏｎがウェイクアップ権限を有することが検出される場合、スニファ装置は直ちに無線ＡＰに対し、パワーアップするよう命令し、次に、スニファ装置はスニファ装置の電力を切断し、無線ＡＰは現在の電源オフ状態から標準状態に切り替わり、無線ＡＰはＳｔａｔｉｏｎに高品質な通信サービスを提供し、ウェイクアップ権限を有さないＳｔａｔｉｏｎによって誤ってウェイクアップされるのを回避する。
【０１８０】
本発明のこの実施形態の実装において、無線ＡＰによって送信されるパワーアップ命令を受信した後、スニファ装置はパワーアップを開始する。スニファ装置によってリッスンされることにより取得されるＰｒｏｂｅ  Ｒｅｑｕｅｓｔが事前設定されたアクティベーション条件を満たす場合、無線ＡＰはパワーアップするよう命令され、その結果、無線ＡＰはカバレッジ内のＳｔａｔｉｏｎと通信し、その後、スニファ装置はスニファ装置の電力を切断する。このように、無線ＡＰの電力消費量は効果的に低減可能であり、無線ＡＰの標準の通信ニーズは影響を受けない。
【０１８１】
図９を参照すると、本発明の第１の実施形態による、無線ＡＰの概略構造図である。この実施形態において、無線ＡＰは、無効化モジュール１０、第１のリスニングモジュール１１、および有効化モジュール１２を含む。
【０１８２】
無効化モジュール１０はパケットがアップリンクまたはダウンリンクで送信されず、ステーションＳｔａｔｉｏｎが関連付けられていない間の時間が事前設定された時間閾値より大きい場合、送信チャネルを無効にし、受信チャネルのみを保持するよう構成される。
【０１８３】
無効化モジュール１０はパケットがアップリンクまたはダウンリンクで送信されず、ステーションＳｔａｔｉｏｎが関連付けられていない間の時間が事前設定された時間閾値より大きいことが検出される場合、送信チャネルを無効にし、受信チャネルのみを保持するよう構成される。
【０１８４】
第１のリスニングモジュール１１は、受信チャネルを介して、Ｐｒｏｂｅ  Ｒｅｑｕｅｓｔをリッスンするよう構成される。
【０１８５】
有効化モジュール１２はリッスンすることによって取得されるＰｒｏｂｅ  Ｒｅｑｕｅｓｔが事前設定されたアクティベーション条件を満たす場合、送信チャネルを有効にするよう構成される。
【０１８６】
本発明のこの実施形態は、図１の方法の実施形態と同一概念に属し、本発明のこの実施形態によりもたらされる複数の技術的効果も、図１の方法の実施形態のそれと同一である。具体的な処理については、図１の方法の実施形態に関する記載を参照することとし、本明細書に再度記載しない。
【０１８７】
図１０および図１１を参照すると、本発明の第２の実施形態による、無線ＡＰの概略構造図である。本発明のこの実施形態において、無効化モジュール１０、第１のリスニングモジュール１１、および有効化モジュール１２を含むことに加え、無線ＡＰは第１の構成モジュール１３および時間閾値構成モジュール１４をさらに含む。
【０１８８】
第１の構成モジュール１３は、承認されたデバイス情報を構成するよう構成されており、ここで承認されたデバイス情報は、無線ＡＰをウェイクアップすることが可能な複数のＳｔａｔｉｏｎのＭＡＣアドレスの一覧を含む。
【０１８９】
時間閾値構成モジュール１４は、事前設定された時間閾値を構成するよう構成されており、ここで事前設定された時間閾値は、無線ＡＰのビーコンＢｅａｃｏｎ送信時間間隔の整数（１より大きい）倍に等しい。
【０１９０】
オプションとして、有効化モジュール１２はＰｒｏｂｅ  Ｒｅｑｕｅｓｔが受信チャネルを介して検出される場合、送信チャネルを有効にするよう構成される。
【０１９１】
オプションとして、有効化モジュール１２は、取得ユニット１２１および有効化ユニット１２２を含む。
【０１９２】
取得ユニット１２１は、Ｐｒｏｂｅ  Ｒｅｑｕｅｓｔが検出される場合、検出されるＰｒｏｂｅ  Ｒｅｑｕｅｓｔの信号強度および／またはＭＡＣアドレスを取得するよう構成される。
【０１９３】
有効化ユニット１２２は、ＭＡＣアドレスが事前設定された、承認されたデバイス情報内に存在する場合および／または信号強度が事前設定された強度閾値より大きい場合、送信チャネルを有効にするよう構成される。
【０１９４】
本発明のこの実施形態は、図２および図３の方法の実施形態と同一概念に属し、本発明のこの実施形態によってもたらされる複数の技術的効果も、図２および図３の方法の実施形態のそれと同一である。詳細については、図２および図３の方法の実施形態の記載を参照することとし、本明細書では再度記載しない。
【０１９５】
図１２を参照すると、本発明の第３の実施形態による、無線ＡＰの概略構造図である。この実施形態において、無線ＡＰ１はプロセッサ６１、メモリ６２、および通信インタフェース６３を含む。通信インタフェース６３は、外部デバイスと通信するよう構成されており、無線ＡＰ１内に１または複数のプロセッサ６１が存在してよく、図１２では１つのプロセッサの例が使用されている。本発明のいくつかの実施形態において、プロセッサ６１、メモリ６２、および通信インタフェース６３はバスを介してまたは別の態様で接続されてよく、図１２ではプロセッサ６１、メモリ６２、および通信インタフェース６３がバスを介して接続される例が使用されている。
【０１９６】
メモリ６２は、プログラムコードのセットを格納し、プロセッサ６１はメモリ６２内に格納されたプログラムコードを呼び出し、以下の複数の動作を実行すべく接続される。パケットがアップリンクまたはダウンリンクで送信されず、ステーションＳｔａｔｉｏｎが関連付けられていない間の時間が、事前設定された時間閾値より大きいことが検出された場合、送信チャネルを無効にし、受信チャネルのみを保持する。受信チャネルを介して、Ｐｒｏｂｅ  Ｒｅｑｕｅｓｔをリッスンする。リッスンすることによって取得されるＰｒｏｂｅ  Ｒｅｑｕｅｓｔが事前設定されたアクティベーション条件を満たす場合、送信チャネルを有効にする。
【０１９７】
本発明のいくつかの実施形態において、プロセッサ６１によって実行される、リッスンすることによって取得されるＰｒｏｂｅ  Ｒｅｑｕｅｓｔが事前設定されたアクティベーション条件を満たす場合、送信チャネルを有効にする段階は、以下を含む。Ｐｒｏｂｅ  Ｒｅｑｕｅｓｔが受信チャネルを介して検出される場合、送信チャネルを有効にする。
【０１９８】
本発明のいくつかの実施形態において、プロセッサ６１によって実行される、リッスンすることによって取得されるＰｒｏｂｅ  Ｒｅｑｕｅｓｔが事前設定されたアクティベーション条件を満たす場合、送信チャネルを有効にする段階は、以下を含む。Ｐｒｏｂｅ  Ｒｅｑｕｅｓｔが検出される場合、検出されるＰｒｏｂｅ  Ｒｅｑｕｅｓｔの信号強度および／またはＭＡＣアドレスを取得する。ＭＡＣアドレスが事前設定された、承認されたデバイス情報内に存在する場合および／または信号強度が事前設定された強度閾値寄り大きい場合、送信チャネルを有効にする。
【０１９９】
本発明のいくつかの実施形態において、プロセッサ６１は、以下を実行するようさらに構成される。すなわち、承認されたデバイス情報を構成し、ここで、承認されたデバイス情報は、無線ＡＰをウェイクアップすることが可能な複数のＳｔａｔｉｏｎのＭＡＣアドレスの一覧を含む。
【０２００】
本発明のいくつかの実施形態において、プロセッサ６１は、以下を実行するようさらに構成される。すなわち、事前設定された時間閾値を構成し、ここで、事前設定された時間閾値は、無線ＡＰのビーコンＢｅａｃｏｎ送信時間間隔の整数（１より大きい）倍に等しい。
【０２０１】
図１３を参照すると、本発明の第４の実施形態による、無線ＡＰの概略構造図である。本発明のこの実施形態において、無線ＡＰは、命令モジュール２０および電源オフモジュール２１を含む。
【０２０２】
命令モジュール２０は、パケットがアップリンクまたはダウンリンクで送信されず、ステーションＳｔａｔｉｏｎが関連付けられていない間の時間が、事前設定された時間閾値より大きいことが検出された場合、パワーアップ命令をスニファ装置に送信するよう構成され、ここでパワーアップ命令は、スニファ装置に対し、パワーアップするよう命令するために使用される。
【０２０３】
電源オフモジュール２１は電力を切断するよう構成される。
【０２０４】
本発明のこの実施形態は、図４の方法の実施形態と同一概念に属し、本発明のこの実施形態によってもたらされる複数の技術的効果も、図４の方法の実施形態のそれと同一である。詳細については、図４の方法の実施形態の記載を参照することとし、本明細書では再度記載しない。
【０２０５】
図１４を参照すると、本発明の第５の実施形態による、無線ＡＰの概略構造図である。この実施形態において、命令モジュール２０および電源オフモジュール２１に加え、無線ＡＰは判断モジュール２２をさらに含む。
【０２０６】
判断モジュール２２は、スニファ装置が正常にパワーアップされたことを確認するためのメッセージが受信される場合、電源オフモジュールに対し、動作を開始するよう命令するよう構成される。
【０２０７】
本発明のこの実施形態は、図５の方法の実施形態と同一概念に属し、本発明のこの実施形態によってもたらされる複数の技術的効果も、図５の方法の実施形態のそれと同一である。詳細については、図５の方法の実施形態の記載を参照することとし、本明細書では再度記載しない。
【０２０８】
図１５を参照すると、本発明の第６の実施形態による、無線ＡＰの概略構造図である。この実施形態において、無線ＡＰ  ２は、プロセッサ７１、メモリ７２、および通信インタフェース７３を含む。通信インタフェース７３は、外部デバイスと通信するよう構成されており、無線ＡＰ  ２内に１または複数のプロセッサ７１が存在してよく、図１５では、１つのプロセッサの例が使用されている。本発明のいくつかの実施形態において、プロセッサ７１、メモリ７２、および通信インタフェース７３は、バスを介してまたは別の態様において接続されてよく、図１５では、プロセッサ７１、メモリ７２、および通信インタフェース７３がバスを介して接続されている例が使用されている。
【０２０９】
メモリ７２は、プログラムコードのセットを格納し、プロセッサ７１はメモリ７２内に格納されたプログラムコードを呼び出して、以下の複数の動作、すなわち、パケットがアップリンクまたはダウンリンクで送信されず、ステーションＳｔａｔｉｏｎが関連付けられていない間の時間が事前設定された時間閾値より大きいことが検出される場合、パワーアップ命令をスニファ装置に送信すること、電力を切断することを実行すべく接続されており、ここでパワーアップ命令は、スニファ装置に対し、パワーアップするよう命令するために使用される。
【０２１０】
本発明のいくつかの実施形態において、プロセッサ７１は、スニファ装置が正常にパワーアップされたことを確認するためのメッセージが受信される場合、電力を切断することを実行するようさらに構成されている。
【０２１１】
図１６を参照すると、本発明の第１の実施形態による、スニファ装置の概略構造図である。本発明のこの実施形態において、スニファ装置は、受信モジュール３０、第２のリスニングモジュール３１、およびパワーアップモジュール３２を含む。
【０２１２】
受信モジュール３０は、無線ＡＰによって送信されるパワーアップ命令を受信した後、パワーアップを開始するよう構成されている。
【０２１３】
第２のリスニングモジュール３１は、Ｐｒｏｂｅ  Ｒｅｑｕｅｓｔをリッスンするよう構成されている。
【０２１４】
パワーアップモジュール３２は、リッスンすることによって取得されるＰｒｏｂｅ  Ｒｅｑｕｅｓｔが事前設定されたアクティベーション条件を満たす場合、無線ＡＰがパワーアップするよう命令された後、電力を切断するよう構成されている。
【０２１５】
本発明のこの実施形態は、図６の方法の実施形態と同一概念に属し、本発明のこの実施形態によってもたらされる複数の技術的効果も、図６の方法の実施形態のそれと同一である。詳細については、図６の方法の実施形態の記載を参照することとし、本明細書では再度記載しない。
【０２１６】
図１７および図１８を参照すると、本発明の第２の実施形態による、スニファ装置の概略構造図である。本発明のこの実施形態において、受信モジュール３０、第２のリスニングモジュール３１、およびパワーアップモジュール３２を含むことに加え、スニファ装置は第２の構成モジュール３３をさらに含む。
【０２１７】
第２の構成モジュール３３は、承認されたデバイス情報を構成するよう構成されており、ここで承認されたデバイス情報は、無線ＡＰをウェイクアップすることが可能な複数のＳｔａｔｉｏｎのＭＡＣアドレスの一覧を含む。
【０２１８】
オプションとして、パワーアップモジュール３２は、Ｐｒｏｂｅ  Ｒｅｑｕｅｓｔが検出される場合、無線ＡＰがパワーアップするよう命令された後、電力を切断するよう構成される。
【０２１９】
オプションとして、パワーアップモジュール３２は、検出ユニット３２１およびパワーアップユニット３２２を含む。
【０２２０】
検出ユニット３２１は、Ｐｒｏｂｅ  Ｒｅｑｕｅｓｔが検出される場合、検出されるＰｒｏｂｅ  Ｒｅｑｕｅｓｔの信号強度および／またはＭＡＣアドレスを取得するよう構成される。
【０２２１】
パワーアップユニット３２２は、ＭＡＣアドレスが事前設定された、承認されたデバイス情報内に存在する場合および／または信号強度が事前設定された強度閾値より大きい場合、無線ＡＰがパワーアップするよう命令された後、電力を切断するよう構成される。
【０２２２】
本発明のこの実施形態は、図７および図８の方法の実施形態と同一概念に属し、本発明のこの実施形態によってもたらされる複数の技術的効果も、図７および図８の実施形態のそれと同一である。詳細については、図７および図８の実施形態の記載を参照することとし、本明細書では再度記載しない。
【０２２３】
図１９を参照すると、本発明の第３の実施形態による、スニファ装置の概略構造図である。本発明のこの実施形態において、スニファ装置３は、プロセッサ８１、メモリ８２、および通信インタフェース８３を含む。通信インタフェース８３は、外部デバイスと通信するよう構成されており、スニファ装置３内に１または複数のプロセッサ８１が存在してよく、図１９では、１つのプロセッサの例が使用されている。本発明のいくつかの実施形態において、プロセッサ８１、メモリ８２、および通信インタフェース８３は、バスを介してまたは別の態様において接続されてよく、図１９では、プロセッサ８１、メモリ８２、および通信インタフェース８３がバスを介して接続されている例が使用されている。
【０２２４】
メモリ８２はプログラムコードのセットを格納し、プロセッサ８１はメモリ８２内に格納されたプログラムコードを呼び出して、以下の複数の動作、すなわち、無線ＡＰによって送信されるパワーアップ命令が受信された後、パワーアップを開始すること、Ｐｒｏｂｅ  Ｒｅｑｕｅｓｔをリッスンすること、リッスンすることによって取得されるＰｒｏｂｅ  Ｒｅｑｕｅｓｔが事前設定されたアクティベーション条件を満たす場合、無線ＡＰがパワーアップするよう命令された後、電力を切断すること、を実行すべく接続される。
【０２２５】
本発明のいくつかの実施形態において、プロセッサ８１が特に実行するよう構成されている、リッスンすることによって取得されるＰｒｏｂｅ  Ｒｅｑｕｅｓｔが事前設定されたアクティベーション条件を満たす場合、無線ＡＰがパワーアップするよう命令された後、電力を切断することは、以下を含む。Ｐｒｏｂｅ  Ｒｅｑｕｅｓｔが検出される場合、無線ＡＰはパワーアップするよう命令された後、電力を切断する。
【０２２６】
本発明のいくつかの実施形態において、リッスンすることによって取得されるＰｒｏｂｅ  Ｒｅｑｕｅｓｔが事前設定されたアクティベーション条件を満たす場合、プロセッサ８１によって実行される、無線ＡＰがパワーアップするよう命令された後、電力を切断することは、Ｐｒｏｂｅ  Ｒｅｑｕｅｓｔが検出される場合、検出されるＰｒｏｂｅ  Ｒｅｑｕｅｓｔの信号強度および／またはＭＡＣアドレスを取得することと、ＭＡＣアドレスが事前設定された、承認されたデバイス情報内に存在する場合および／または信号強度が事前設定された強度閾値より大きい場合、無線ＡＰがパワーアップするよう命令された後、電力を切断することと、を含む。
【０２２７】
本発明のいくつかの実施形態において、プロセッサ８１は、承認されたデバイス情報を構成するようさらに構成され、ここで、承認されたデバイス情報は、無線ＡＰをウェイクアップすることが可能な複数のＳｔａｔｉｏｎのＭＡＣアドレスの一覧を含む。
【０２２８】
図２０を参照すると、本発明の一実施形態による、通信システムにおけるやり取りの概略図である。この実施形態において、通信システムは、無線ＡＰおよびＳｔａｔｉｏｎを含み、無線ＡＰ１およびＳｔａｔｉｏｎ４の動作手順は以下の通りである。
【０２２９】
Ｓ１。Ｓｔａｔｉｏｎは定期的にＰｒｏｂｅ  Ｒｅｑｕｅｓｔをブロードキャストする。
【０２３０】
Ｓ２。パケットがアップリンクまたはダウンリンクで送信されず、ステーションＳｔａｔｉｏｎが関連付けられていない間の時間が事前設定された時間閾値より大きいことが検出される場合、無線ＡＰは送信チャネルを無効にし、受信チャネルのみを保持する。
【０２３１】
Ｓ３。無線ＡＰは、受信チャネルを介して、Ｓｔａｔｉｏｎによって送信されるＰｒｏｂｅ  Ｒｅｑｕｅｓｔをリッスンする。
【０２３２】
Ｓ４。リッスンすることによって取得されるＰｒｏｂｅ  Ｒｅｑｕｅｓｔが事前設定されたアクティベーション条件を満たす場合、無線ＡＰは送信チャネルを有効にする。
【０２３３】
本発明のこの実施形態の実装において、パケットがアップリンクまたはダウンリンクで送信されず、ステーションＳｔａｔｉｏｎが関連付けられていない間の時間が事前設定された時間閾値より大きい場合、無線ＡＰは無線ＡＰの送信チャネルを無効にし、受信チャネルのみを保持し、無線ＡＰはスリープ状態に入る。無線ＡＰは、受信チャネルを介して、リッスンすることによって取得されるＰｒｏｂｅ  Ｒｅｑｕｅｓｔが事前設定されたアクティベーション条件を満たすと判断し、送信チャネルを有効にし、標準状態に入る。このようにして、無線ＡＰの電力消費量は効果的に低減可能であり、無線ＡＰの標準の通信は影響を受けない。
【０２３４】
図２１を参照すると、本発明の一実施形態による、別の通信システムのやり取りの概略図である。この実施形態において、通信システムは、無線ＡＰ２、スニファ装置１、およびＳｔａｔｉｏｎ３を含み、ここで無線ＡＰ２、スニファ装置１、およびＳｔａｔｉｏｎ３の動作手順は以下の通りである。
【０２３５】
Ｓ１。Ｓｔａｔｉｏｎは定期的にＰｒｏｂｅ  Ｒｅｑｕｅｓｔをブロードキャストする。
【０２３６】
Ｓ２。無線ＡＰが、パケットがアップリンクまたはダウンリンクで送信されず、ステーションＳｔａｔｉｏｎが関連付けられていない間の時間が事前設定された時間閾値より大きいことを検出する。
【０２３７】
Ｓ３。無線ＡＰがパワーアップ命令をスニファ装置に送信する。
【０２３８】
Ｓ４。パワーアップ命令を受信した後、スニファ装置は、パワーアップを開始する。
【０２３９】
Ｓ５。無線ＡＰは、電力を切断する。
【０２４０】
Ｓ６。スニファ装置は、Ｓｔａｔｉｏｎによって送信されるＰｒｏｂｅ  Ｒｅｑｕｅｓｔをリッスンする。
【０２４１】
Ｓ７。リッスンすることによって取得されるＰｒｏｂｅ  Ｒｅｑｕｅｓｔが事前設定されたアクティベーション条件を満たす場合。
【０２４２】
Ｓ８。スニファ装置は無線ＡＰに対し、パワーアップするよう命令する。
【０２４３】
Ｓ９。無線ＡＰはパワーアップを開始する。
【０２４４】
Ｓ１０。スニファ装置は電力を切断する。
【０２４５】
本発明のこの実施形態の実装において、無線ＡＰが、パケットがアップリンクまたはダウンリンクで送信されず、ステーションＳｔａｔｉｏｎが関連付けられていない間の時間が事前設定された時間閾値より大きいことを検出する場合、無線ＡＰは、スニファ装置に対し、パワーアップ動作の実行を開始するよう命令し、無線ＡＰの電力を切断する。このように、無線ＡＰが電力を消費せず、スニファ装置のみが電力を消費する結果、電力消費量が大きく低減可能である。
【０２４６】
当業者は、複数の実施形態における複数の方法に係る処理の全部または一部は、関連のハードウェアに命令するコンピュータプログラムによって実装可能であることを理解可能である。プログラムは、コンピュータ可読記憶媒体に格納されてよい。プログラムの実行時、複数の実施形態における複数の方法に係る処理が実行される。記憶媒体としては、磁気ディスク、光ディスク、リードオンリメモリ（Ｒｅａｄ  Ｏｎｌｙ  Ｍｅｍｏｒｙ，ＲＯＭ）またはランダムアクセスメモリ（Ｒａｎｄｏｍ  Ａｃｃｅｓｓ  Ｍｅｍｏｒｙ，ＲＡＭ）が含まれてよい。
【０２４７】
上記開示内容は、本発明の例示的な実施形態にすぎず、本発明の保護範囲を限定する意図でないことは明らかである。当業者は、上記の複数の実施形態を実装する処理の全部または一部および本発明の特許請求の範囲に従い成される均等な修正は、本発明の範囲に属することを理解できる。
【図１】
2017515324.tif 000003
【図２】
2017515324.tif 000004
【図３】
2017515324.tif 000005
【図４】
2017515324.tif 000006
【図５】
2017515324.tif 000007
【図６】
2017515324.tif 000008
【図７】
2017515324.tif 000009
【図８】
2017515324.tif 000010
【図９】
2017515324.tif 000011
【図１０】
2017515324.tif 000012
【図１１】
2017515324.tif 000013
【図１２】
2017515324.tif 000014
【図１３】
2017515324.tif 000015
【図１４】
2017515324.tif 000016
【図１５】
2017515324.tif 000017
【図１６】
2017515324.tif 000018
【図１７】
2017515324.tif 000019
【図１８】
2017515324.tif 000020
【図１９】
2017515324.tif 000021
【図２０】
2017515324.tif 000022
【図２１】
2017515324.tif 000023
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
無線アクセスポイント（ＡＰ）がパケットをアップリンクまたはダウンリンクで送信せず、前記無線ＡＰがステーションに関連付けられていない間の時間が事前設定された時間閾値より大きいことが検出される場合、前記無線ＡＰによって、送信チャネルを無効にし、受信チャネルのみを保持する段階と、
前記無線ＡＰによって、前記受信チャネルを介してＰｒｏｂｅ  Ｒｅｑｕｅｓｔをリッスンする段階と、
リッスンすることによって取得される前記Ｐｒｏｂｅ  Ｒｅｑｕｅｓｔが事前設定されたアクティベーション条件を満たす場合、前記無線ＡＰによって、前記送信チャネルを有効にする段階と、を備える、無線ＡＰのためのエネルギー節約方法。
【請求項２】
リッスンすることによって取得される前記Ｐｒｏｂｅ  Ｒｅｑｕｅｓｔが事前設定されたアクティベーション条件を満たす場合、前記無線ＡＰによって、前記送信チャネルを有効にする前記段階は、
前記無線ＡＰが、前記受信チャネルを介して、Ｐｒｏｂｅ  Ｒｅｑｕｅｓｔを検出する場合、前記無線ＡＰによって、前記送信チャネルを有効にする段階を含む、請求項１に記載の方法。
【請求項３】
リッスンすることによって取得される前記Ｐｒｏｂｅ  Ｒｅｑｕｅｓｔが事前設定されたアクティベーション条件を満たす場合、前記無線ＡＰによって、前記送信チャネルを有効にする前記段階は、
前記無線ＡＰがＰｒｏｂｅ  Ｒｅｑｕｅｓｔを検出する場合、検出される前記Ｐｒｏｂｅ  Ｒｅｑｕｅｓｔの信号強度およびＭＡＣアドレスのうちの少なくとも１つを取得する段階と、
前記ＭＡＣアドレスが事前設定された、承認されたデバイス情報内に存在する場合および前記信号強度が事前設定された強度閾値より大きい場合のうちの少なくとも１つの場合、前記無線ＡＰによって、前記送信チャネルを有効にする段階と、を含む、請求項１に記載の方法。
【請求項４】
前記無線ＡＰがＰｒｏｂｅ  Ｒｅｑｕｅｓｔを検出する場合、検出される前記Ｐｒｏｂｅ  Ｒｅｑｕｅｓｔの信号強度およびＭＡＣアドレスのうちの少なくとも１つを取得する前記段階の前に、
前記承認されたデバイス情報を構成する段階をさらに含み、
前記承認されたデバイス情報は、前記無線ＡＰをウェイクアップすることが可能な複数のＳｔａｔｉｏｎのＭＡＣアドレスの一覧を含む、請求項３に記載の方法。
【請求項５】
無線アクセスポイントＡＰがパケットをアップリンクまたはダウンリンクで送信せず、前記無線ＡＰがステーションに関連付けられていない間の時間が事前設定された時間閾値より大きいことが検出される場合、前記無線ＡＰによって、送信チャネルを無効にし、受信チャネルのみを保持する前記段階の前に、
前記事前設定された時間閾値を構成する段階をさらに備え、
前記事前設定された時間閾値は、前記無線ＡＰのビーコン送信時間間隔の整数（１より大きい）倍に等しい、請求項１から４のいずれか一項に記載の方法。
【請求項６】
無線アクセスポイント（ＡＰ）がパケットをアップリンクまたはダウンリンクで送信せず、前記無線ＡＰがステーションに関連付けられていない間の時間が事前設定された時間閾値より大きいことが検出される場合、前記無線ＡＰによって、パワーアップ命令をスニファ装置に送信する段階と、
前記無線ＡＰによって、電力を切断する段階と、を備え、
前記パワーアップ命令は、前記スニファ装置に対し、パワーアップするよう命令するために使用される、無線ＡＰのためのエネルギー節約方法。
【請求項７】
前記無線ＡＰによって、電力を切断する前記段階は、
前記スニファ装置が正常にパワーアップされたことを確認するためのメッセージが受信される場合、前記無線ＡＰによって、電力を切断する前記段階を実行する段階を含む、請求項６に記載の方法。
【請求項８】
スニファ装置が無線ＡＰによって送信されるパワーアップ命令を受信した後、パワーアップを開始する段階と、
前記スニファ装置によって、Ｐｒｏｂｅ  Ｒｅｑｕｅｓｔをリッスンする段階と、
リッスンすることによって取得されるＰｒｏｂｅ  Ｒｅｑｕｅｓｔが事前設定されたアクティベーション条件を満たす場合、前記スニファ装置が前記無線ＡＰに対し、パワーアップするよう命令した後、電力を切断する段階と、を備える、無線ＡＰのためのウェイクアップ方法。
【請求項９】
リッスンすることによって取得される前記Ｐｒｏｂｅ  Ｒｅｑｕｅｓｔが事前設定されたアクティベーション条件を満たす場合、前記スニファ装置が前記無線ＡＰに対し、パワーアップするよう命令した後、電力を切断する前記段階は、
前記スニファ装置がＰｒｏｂｅ  Ｒｅｑｕｅｓｔを検出する場合、前記スニファ装置が前記無線ＡＰに対し、パワーアップするよう命令した後、電力を切断する段階を含む、請求項８に記載の方法。
【請求項１０】
リッスンすることによって取得される前記Ｐｒｏｂｅ  Ｒｅｑｕｅｓｔが事前設定されたアクティベーション条件を満たす場合、前記スニファ装置が前記無線ＡＰに対し、パワーアップするよう命令した後、電力を切断する前記段階は、
前記スニファ装置がＰｒｏｂｅ  Ｒｅｑｕｅｓｔを検出する場合、検出される前記Ｐｒｏｂｅ  Ｒｅｑｕｅｓｔの信号強度およびＭＡＣアドレスのうちの少なくとも１つを取得する段階と、
前記ＭＡＣアドレスが事前設定された、承認されたデバイス情報内に存在する場合および前記信号強度が事前設定された強度閾値より大きい場合のうちの少なくとも１つの場合、前記スニファ装置が前記無線ＡＰに対し、パワーアップするよう命令した後、電力を切断する段階と、を含む、請求項８に記載の方法。
【請求項１１】
前記スニファ装置がＰｒｏｂｅ  Ｒｅｑｕｅｓｔを検出する場合、検出される前記Ｐｒｏｂｅ  Ｒｅｑｕｅｓｔの信号強度およびＭＡＣアドレスのうちの少なくとも１つを取得する前記段階の前に、
前記承認されたデバイス情報を構成する段階をさらに含み、
前記承認されたデバイス情報は、前記無線ＡＰをウェイクアップすることが可能な複数のＳｔａｔｉｏｎのＭＡＣアドレスの一覧を含む、請求項１０に記載の方法。
【請求項１２】
プロセッサと、メモリと、を備える無線ＡＰであって、
前記メモリはプログラムコードのセットを格納し、前記プロセッサは前記メモリ内に格納された前記プログラムコードを呼び出して、
パケットがアップリンクまたはダウンリンクで送信されず、ステーションが関連付けられていない間の時間が事前設定された時間閾値より大きいことが検出される場合、送信チャネルを無効にし、受信チャネルのみを保持すること、
前記受信チャネルを介して、Ｐｒｏｂｅ  Ｒｅｑｕｅｓｔをリッスンすること、および
リッスンすることによって取得される前記Ｐｒｏｂｅ  Ｒｅｑｕｅｓｔが事前設定されたアクティベーション条件を満たす場合、前記送信チャネルを有効にすること、を実行する、無線ＡＰ。
【請求項１３】
リッスンすることによって取得される前記Ｐｒｏｂｅ  Ｒｅｑｕｅｓｔが事前設定されたアクティベーション条件を満たす場合、前記プロセッサによって実行される、前記送信チャネルを有効にすることは、
Ｐｒｏｂｅ  Ｒｅｑｕｅｓｔが前記受信チャネルを介して検出される場合、前記送信チャネルを有効にすることを含む、請求項１２に記載の無線ＡＰ。
【請求項１４】
リッスンすることによって取得される前記Ｐｒｏｂｅ  Ｒｅｑｕｅｓｔが事前設定されたアクティベーション条件を満たす場合、前記プロセッサによって実行される、前記送信チャネルを有効にすることは、
Ｐｒｏｂｅ  Ｒｅｑｕｅｓｔが検出される場合、検出される前記Ｐｒｏｂｅ  Ｒｅｑｕｅｓｔの信号強度およびＭＡＣアドレスのうちの少なくとも１つを取得することと、
前記ＭＡＣアドレスが事前設定された、承認されたデバイス情報内に存在する場合および前記信号強度が事前設定された強度閾値より大きい場合のうちの少なくとも１つの場合、前記送信チャネルを有効にすることと、を含む、請求項１２に記載の無線ＡＰ。
【請求項１５】
前記プロセッサはさらに、前記承認されたデバイス情報を構成し、
前記承認されたデバイス情報は、前記無線ＡＰをウェイクアップすることが可能な複数のＳｔａｔｉｏｎのＭＡＣアドレスの一覧を含む、請求項１４に記載の無線ＡＰ。
【請求項１６】
前記プロセッサはさらに、前記事前設定された時間閾値を構成し、
前記事前設定された時間閾値は、前記無線ＡＰのビーコン送信時間間隔の整数（１より大きい）倍に等しい、請求項１２から１５のいずれか一項に記載の無線ＡＰ。
【請求項１７】
プロセッサと、メモリと、を備える無線ＡＰであって、前記メモリはプログラムコードのセットを格納し、前記プロセッサは前記メモリ内に格納された前記プログラムコードを呼び出して、
パケットがアップリンクまたはダウンリンクで送信されず、ステーションが関連付けられていない間の時間が事前設定された時間閾値より大きいことが検出される場合、パワーアップ命令をスニファ装置に送信すること、および
電力を切断すること、を実行し、
前記パワーアップ命令は、前記スニファ装置に対し、パワーアップするよう命令するために使用される、無線ＡＰ。
【請求項１８】
前記プロセッサはさらに、
前記スニファ装置が正常にパワーアップされたことを確認するためのメッセージが受信される場合、電力を切断することを実行する、請求項１７に記載の無線ＡＰ。
【請求項１９】
プロセッサと、メモリと、を備えるスニファ装置であって、前記メモリはプログラムコードのセットを格納し、前記プロセッサは前記メモリ内に格納された前記プログラムコードを呼び出して、
無線ＡＰによって送信されるパワーアップ命令が受信された後、パワーアップを開始すること、
Ｐｒｏｂｅ  Ｒｅｑｕｅｓｔをリッスンすること、および
リッスンすることによって取得される前記Ｐｒｏｂｅ  Ｒｅｑｕｅｓｔが事前設定されたアクティベーション条件を満たす場合、前記無線ＡＰがパワーアップするよう命令された後、電力を切断すること、
を実行する、スニファ装置。
【請求項２０】
リッスンすることによって取得される前記Ｐｒｏｂｅ  Ｒｅｑｕｅｓｔが事前設定されたアクティベーション条件を満たす場合、前記プロセッサによって実行される、前記無線ＡＰがパワーアップするよう命令された後、電力を切断することは、
Ｐｒｏｂｅ  Ｒｅｑｕｅｓｔが検出される場合、前記無線ＡＰがパワーアップするよう命令された後、電力を切断することを含む、請求項１９に記載のスニファ装置。
【請求項２１】
リッスンすることによって取得される前記Ｐｒｏｂｅ  Ｒｅｑｕｅｓｔが事前設定されたアクティベーション条件を満たす場合、前記プロセッサによって実行される、前記無線ＡＰがパワーアップするよう命令された後、電力を切断することは、
Ｐｒｏｂｅ  Ｒｅｑｕｅｓｔが検出される場合、検出される前記Ｐｒｏｂｅ  Ｒｅｑｕｅｓｔの信号強度およびＭＡＣアドレスのうちの少なくとも１つを取得することと、
前記ＭＡＣアドレスが事前設定された、承認されたデバイス情報内に存在する場合および前記信号強度が事前設定された強度閾値より大きい場合のうちの少なくとも１つの場合、前記無線ＡＰがパワーアップするよう命令された後、電力を切断することと、を含む、請求項１９に記載のスニファ装置。
【請求項２２】
前記プロセッサはさらに、
前記承認されたデバイス情報を構成し、
前記承認されたデバイス情報は、前記無線ＡＰをウェイクアップすることが可能な複数のＳｔａｔｉｏｎのＭＡＣアドレスの一覧を含む、請求項２１に記載のスニファ装置。
【請求項２３】
無線ＡＰと、Ｓｔａｔｉｏｎと、を備える通信システムであって、
パケットがアップリンクまたはダウンリンクで送信されず、ステーションが関連付けられていない間の時間が事前設定された時間閾値より大きいことが検出される場合、前記無線ＡＰは送信チャネルを無効にし、受信チャネルのみを保持し、
前記無線ＡＰは、前記受信チャネルを介して、事前設定された間隔に従い、前記ＳｔａｔｉｏｎによってブロードキャストされるＰｒｏｂｅ  Ｒｅｑｕｅｓｔをリッスンし、
リッスンすることによって取得される前記Ｐｒｏｂｅ  Ｒｅｑｕｅｓｔが事前設定されたアクティベーション条件を満たす場合、前記無線ＡＰは前記送信チャネルを有効にする、通信システム。
【請求項２４】
無線ＡＰと、スニファ装置と、Ｓｔａｔｉｏｎと、を備える通信システムであって、
パケットがアップリンクまたはダウンリンクで送信されず、ステーションが関連付けられていない間の時間が事前設定された時間閾値より大きいことが検出される場合、前記無線ＡＰはパワーアップ命令を前記スニファ装置に送信し、前記無線ＡＰは電力を切断し、
前記無線ＡＰによって送信されるパワーアップ命令を受信した後、前記スニファ装置はパワーアップを開始し、
前記スニファ装置は、事前設定された間隔に従い、前記ＳｔａｔｉｏｎによってブロードキャストされるＰｒｏｂｅ  Ｒｅｑｕｅｓｔをリッスンし、
リッスンすることによって取得される前記Ｐｒｏｂｅ  Ｒｅｑｕｅｓｔが事前設定されたアクティベーション条件を満たす場合、前記無線ＡＰに対し、パワーアップするよう命令した後、前記スニファ装置は電力を切断する、通信システム。
【手続補正２】
【補正対象書類名】明細書
【補正対象項目名】全文
【補正方法】変更
【補正の内容】
【発明の詳細な説明】
【技術分野】
【０００１】
本発明は、通信分野に関し、具体的には、無線ＡＰのためのエネルギー節約方法およびウェイクアップ方法、並びに関連デバイスおよびシステムに関する。
【背景技術】
【０００２】
無線アクセスポイント（ＡＰ）は、無線ネットワークのアクセスポイントであり、ルーティング、切り替え、並びにアクセスおよびピュアアクセスポイントデバイスを統合する複数のデバイスを主に含む。統合されたデバイスは、アクセスおよびルーティング動作を実行し、ピュアアクセスポイントデバイスは無線クライアントのアクセスのみを担う。ピュアアクセスポイントデバイスは概して、無線ネットワークの拡張として使用され、無線カバレッジを増大させるべく、別のＡＰまたはメインＡＰに接続され、統合されたデバイスは概して無線ネットワークのコアである。
【０００３】
無線ＡＰは、アクセスポイントであり、そこを介して無線デバイス（携帯電話等のモバイルデバイスまたはノートブックコンピュータ等の無線デバイス）を使用するユーザは、有線ネットワークにアクセスし、無線ＡＰはブロードバンドネットワークが設置された自宅、ビル、スクールキャンパス、および公園並びにウェアハウスおよび工場等の無線モニタリングが必要な場所で主に使用される。カバレッジの通常の距離は、数十メートルから数百メートルである。無線ＡＰは長距離送信にも使用され得、現在、最大距離は約３０ｋｍに及ぶ可能性があり、主な技術はＩＥＥＥ８０２．１１シリーズである。多くの無線ＡＰはまた、アクセスポイントクライアントモード（ＡＰクライアント）を有し、ネットワークのカバレッジを拡張すべく、別のＡＰに無線接続され得る。
【０００４】
ステーションのバッテリ容量の制約が原因で、先行技術においては、Ｓｔａｔｉｏｎに対しエネルギー節約手段が通常取られ、その結果、Ｓｔａｔｉｏｎのサービス時間を延長している。しかしながら、無線ＡＰについては、エネルギー節約のための解決手段が存在していない。
【発明の概要】
【０００５】
本発明の複数の実施形態は、無線ＡＰのためのエネルギー節約方法およびウェイクアップ方法、並びに関連デバイスを提供し、その結果、無線ＡＰの電力消費量を効果的に低減し、無線ＡＰのサービス時間を延長する。
【０００６】
第１の態様によると、無線ＡＰがパケットをアップリンクまたはダウンリンクで送信せず、上記無線ＡＰがステーションに関連付けられていない間の時間が事前設定された時間閾値より大きいことが検出される場合、上記無線ＡＰによって、送信チャネルを無効にし、受信チャネルのみを保持する段階と、上記無線ＡＰによって、上記受信チャネルを介してＰｒｏｂｅ  Ｒｅｑｕｅｓｔをリッスンする段階と、リッスンすることによって取得される上記Ｐｒｏｂｅ  Ｒｅｑｕｅｓｔが事前設定されたアクティベーション条件を満たす場合、上記無線ＡＰによって、上記送信チャネルを有効にする段階と、を備える、無線ＡＰのためのエネルギー節約方法が提供される。
【０００７】
第１の態様に関し、第１の可能な実装方式において、リッスンすることによって取得される上記Ｐｒｏｂｅ  Ｒｅｑｕｅｓｔが事前設定されたアクティベーション条件を満たす場合、上記無線ＡＰによって、上記送信チャネルを有効にする上記段階は、上記無線ＡＰが、上記受信チャネルを介して、Ｐｒｏｂｅ  Ｒｅｑｕｅｓｔを検出する場合、上記無線ＡＰによって、上記送信チャネルを有効にする段階を含む。
【０００８】
第１の態様に関し、第２の可能な実装方式において、リッスンすることによって取得される上記Ｐｒｏｂｅ  Ｒｅｑｕｅｓｔが事前設定されたアクティベーション条件を満たす場合、上記無線ＡＰによって、上記送信チャネルを有効にする上記段階は、上記無線ＡＰがＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する段階と、上記ＭＡＣアドレスが事前設定された、承認されたデバイス情報内に存在する場合および／または上記信号強度が事前設定された強度閾値より大きい場合、上記無線ＡＰによって、上記送信チャネルを有効にする段階と、を含む。
【０００９】
第１の態様に係る第２の可能な実装方式に関し、第３の可能な実装方式において、上記無線ＡＰがＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する上記段階の前に、上記承認されたデバイス情報を構成する段階をさらに含み、上記承認されたデバイス情報は、上記無線ＡＰをウェイクアップすることが可能な複数のＳｔａｔｉｏｎのＭＡＣアドレスの一覧を含む。
【００１０】
第１の態様および第１の態様に係る第１から第３の可能な実装方式のいずれかに関し、第４の可能な実装方式において、無線アクセスポイントＡＰがパケットをアップリンクまたはダウンリンクで送信せず、上記無線ＡＰがステーションに関連付けられていない間の時間が事前設定された時間閾値より大きいことが検出される場合、上記無線ＡＰによって、送信チャネルを無効にし、受信チャネルのみを保持する上記段階の前に、上記事前設定された時間閾値を構成する段階をさらに備え、上記事前設定された時間閾値は、上記無線ＡＰのビーコン送信時間間隔の整数（１より大きい）倍に等しい。
【００１１】
第２の態様によると、無線ＡＰがパケットをアップリンクまたはダウンリンクで送信せず、上記無線ＡＰがステーションに関連付けられていない間の時間が事前設定された時間閾値より大きいことが検出される場合、上記無線ＡＰによって、パワーアップ命令をスニファ装置に送信する段階と、上記無線ＡＰによって、電力を切断する段階と、を備え、上記パワーアップ命令は、上記スニファ装置に対し、パワーアップするよう命令するために使用される、無線ＡＰのためのエネルギー節約方法が提供される。
【００１２】
第２の態様に関し、第１の可能な実装方式において、上記無線ＡＰによって、電力を切断する上記段階は、上記スニファ装置が正常にパワーアップされたことを確認するためのメッセージが受信される場合、上記無線ＡＰによって、電力を切断する上記段階を実行する段階を含む。
【００１３】
第３の態様によると、本発明の一実施形態は、スニファ装置が無線ＡＰによって送信されるパワーアップ命令を受信した後、パワーアップを開始する段階と、上記スニファ装置によって、Ｐｒｏｂｅ  Ｒｅｑｕｅｓｔをリッスンする段階と、リッスンすることによって取得される上記Ｐｒｏｂｅ  Ｒｅｑｕｅｓｔが事前設定されたアクティベーション条件を満たす場合、上記スニファ装置が上記無線ＡＰに対し、パワーアップするよう命令した後、電力を切断する段階と、を備える、無線ＡＰのためのウェイクアップ方法を提供する。
【００１４】
第３の態様に関し、第１の可能な実装方式において、リッスンすることによって取得される上記Ｐｒｏｂｅ  Ｒｅｑｕｅｓｔが事前設定されたアクティベーション条件を満たす場合、上記スニファ装置が上記無線ＡＰに対し、パワーアップするよう命令した後、電力を切断する上記段階は、上記スニファ装置がＰｒｏｂｅ  Ｒｅｑｕｅｓｔを検出する場合、上記スニファ装置が上記無線ＡＰに対し、パワーアップするよう命令した後、電力を切断する段階を含む。
【００１５】
第３の態様に関し、第２の可能な実装方式において、リッスンすることによって取得される上記Ｐｒｏｂｅ  Ｒｅｑｕｅｓｔが事前設定されたアクティベーション条件を満たす場合、上記スニファ装置が上記無線ＡＰに対し、パワーアップするよう命令した後、電力を切断する上記段階は、上記スニファ装置がＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する段階と、上記ＭＡＣアドレスが事前設定された、承認されたデバイス情報内に存在する場合および／または上記信号強度が事前設定された強度閾値より大きい場合、上記スニファ装置が上記無線ＡＰに対し、パワーアップするよう命令した後、電力を切断する段階と、を含む。
【００１６】
第２の可能な実装方式に関し、第３の可能な実装方式において、上記スニファ装置がＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する段階の前に、当該方法は、上記承認されたデバイス情報を構成する段階をさらに含み、上記承認されたデバイス情報は、上記無線ＡＰをウェイクアップすることが可能な複数のＳｔａｔｉｏｎのＭＡＣアドレスの一覧を含む。
【００１７】
第４の態様によると、本発明の一実施形態は、パケットがアップリンクまたはダウンリンクで送信されず、ステーションが関連付けられていない間の時間が事前設定された時間閾値より大きいことが検出される場合、送信チャネルを無効にし、受信チャネルのみを保持するよう構成された無効化モジュールと、上記受信チャネルを介して、Ｐｒｏｂｅ  Ｒｅｑｕｅｓｔをリッスンするよう構成された第１のリスニングモジュールと、リッスンすることによって取得される上記Ｐｒｏｂｅ  Ｒｅｑｕｅｓｔが事前設定されたアクティベーション条件を満たす場合、上記送信チャネルを有効にするよう構成された有効化モジュールと、を備える、無線ＡＰを提供する。
【００１８】
第４の態様に関し、第１の可能な実装方式において、上記有効化モジュールは、Ｐｒｏｂｅ  Ｒｅｑｕｅｓｔが上記受信チャネルを介して検出される場合、上記送信チャネルを有効にするよう構成されている。
【００１９】
第４の態様に関し、第２の可能な実装方式において、上記有効化モジュールは、Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得するよう構成された取得ユニットと、上記ＭＡＣアドレスが事前設定された、承認されたデバイス情報内に存在する場合および／または上記信号強度が事前設定された強度閾値より大きい場合、上記送信チャネルを有効にするよう構成された有効化ユニットと、を含む。
【００２０】
第４の態様に係る第２の可能な実装方式に関し、第３の可能な実装方式において、上記無線ＡＰは、上記承認されたデバイス情報を構成するよう構成された第１の構成モジュールをさらに備え、上記承認されたデバイス情報は、上記無線ＡＰをウェイクアップすることが可能な複数のＳｔａｔｉｏｎのＭＡＣアドレスの一覧を含む。
【００２１】
第４の態様または第４の態様に係る第１から第３の可能な実装方式のいずれかに関し、第４の可能な実装方式において、上記無線ＡＰは、上記事前設定された時間閾値を構成するよう構成された時間閾値構成モジュールをさらに備え、上記事前設定された時間閾値は、上記無線ＡＰのビーコン送信時間間隔の整数（１より大きい）倍に等しい。
【００２２】
第５の態様によると、本発明は、パケットがアップリンクまたはダウンリンクで送信されず、ステーションが関連付けられていない間の時間が事前設定された時間閾値より大きいことが検出される場合、パワーアップ命令をスニファ装置に送信するよう構成された命令モジュールと、電力を切断するよう構成された電源オフモジュールと、を備え、上記パワーアップ命令は、上記スニファ装置に対し、パワーアップするよう命令するために使用される、無線ＡＰを提供する。
【００２３】
第５の態様に関し、第１の可能な実装方式において、上記無線ＡＰは、上記スニファ装置が正常にパワーアップされたことを確認するためのメッセージが受信される場合、上記電源オフモジュールに対し、動作を開始するよう命令するように構成された判断モジュールをさらに備える。
【００２４】
第６の態様によると、本発明の一実施形態は、無線ＡＰによって送信されるパワーアップ命令が受信された後、パワーアップを開始するよう構成された受信モジュールと、Ｐｒｏｂｅ  Ｒｅｑｕｅｓｔをリッスンするよう構成された第２のリスニングモジュールと、リッスンすることによって取得される上記Ｐｒｏｂｅ  Ｒｅｑｕｅｓｔが事前設定されたアクティベーション条件を満たす場合、上記無線ＡＰがパワーアップするよう命令された後、電力を切断するよう構成されたパワーアップモジュールと、を備える、スニファ装置を提供する。
【００２５】
第６の態様に関し、第１の可能な実装方式において、Ｐｒｏｂｅ  Ｒｅｑｕｅｓｔが検出される場合、上記無線ＡＰがパワーアップするよう命令された後、電力を切断する。
【００２６】
第６の態様に関し、第２の可能な実装方式において、上記パワーアップモジュールは、Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得するよう構成された検出ユニットと、上記ＭＡＣアドレスが事前設定された、承認されたデバイス情報内に存在する場合および／または上記信号強度が事前設定された強度閾値より大きい場合、上記無線ＡＰがパワーアップするよう命令された後、電力を切断するよう構成されたパワーアップユニットと、を含む。
【００２７】
第６の態様に係る第２の可能な実装方式に関し、第３の可能な実装方式において、上記スニファ装置は、上記承認されたデバイス情報を構成するよう構成された第２の構成モジュールをさらに備え、上記承認されたデバイス情報は、上記無線ＡＰをウェイクアップすることが可能な複数のＳｔａｔｉｏｎのＭＡＣアドレスの一覧を含む。
【００２８】
第７の態様によると、本発明の一実施形態は、プロセッサと、メモリと、を備える無線ＡＰであって、
上記メモリはプログラムコードのセットを格納し、上記プロセッサは上記メモリ内に格納された上記プログラムコードを呼び出して、パケットがアップリンクまたはダウンリンクで送信されず、ステーションが関連付けられていない間の時間が事前設定された時間閾値より大きいことが検出される場合、送信チャネルを無効にし、受信チャネルのみを保持すること、上記受信チャネルを介して、Ｐｒｏｂｅ  Ｒｅｑｕｅｓｔをリッスンすること、およびリッスンすることによって取得される上記Ｐｒｏｂｅ  Ｒｅｑｕｅｓｔが事前設定されたアクティベーション条件を満たす場合、上記送信チャネルを有効にすること、を実行するよう構成されている、無線ＡＰを提供する。
【００２９】
第７の態様に関し、第１の可能な実装方式において、リッスンすることによって取得される上記Ｐｒｏｂｅ  Ｒｅｑｕｅｓｔが事前設定されたアクティベーション条件を満たす場合、上記プロセッサによって実行される、上記送信チャネルを有効にすることは、Ｐｒｏｂｅ  Ｒｅｑｕｅｓｔが上記受信チャネルを介して検出される場合、上記送信チャネルを有効にすることを含む。
【００３０】
第７の態様に関し、第２の可能な実装方式において、リッスンすることによって取得される上記Ｐｒｏｂｅ  Ｒｅｑｕｅｓｔが事前設定されたアクティベーション条件を満たす場合、上記プロセッサによって実行される、上記送信チャネルを有効にすることは、Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得することと、上記ＭＡＣアドレスが事前設定された、承認されたデバイス情報内に存在する場合および／または上記信号強度が事前設定された強度閾値より大きい場合、上記送信チャネルを有効にすることと、を含む。
【００３１】
第７の態様に係る第２の可能な実装方式に関し、第３の可能な実装方式において、上記プロセッサは、上記承認されたデバイス情報を構成するようさらに構成されており、上記承認されたデバイス情報は、上記無線ＡＰをウェイクアップすることが可能な複数のＳｔａｔｉｏｎのＭＡＣアドレスの一覧を含む。
【００３２】
第７の態様または第７の態様に係る第１から第３の可能な実装方式のいずれかに関し、第４の可能な実装方式において、上記プロセッサは、上記事前設定された時間閾値を構成するようさらに構成されており、上記事前設定された時間閾値は、上記無線ＡＰのビーコン送信時間間隔の整数（１より大きい）倍に等しい。
【００３３】
第８の態様によると、本発明の一実施形態は、プロセッサと、メモリと、を備える無線ＡＰであって、上記メモリはプログラムコードのセットを格納し、上記プロセッサは上記メモリ内に格納された上記プログラムコードを呼び出して、パケットがアップリンクまたはダウンリンクで送信されず、ステーションが関連付けられていない間の時間が事前設定された時間閾値より大きいことが検出される場合、パワーアップ命令をスニファ装置に送信すること、および電力を切断すること、を実行するよう構成されており、上記パワーアップ命令は、上記スニファ装置に対し、パワーアップするよう命令するために使用される、無線ＡＰを提供する。
【００３４】
第８の態様に関し、第１の可能な実装方式において、上記プロセッサは、上記スニファ装置が正常にパワーアップされたことを確認するためのメッセージが受信される場合、電力を切断することを実行するようさらに構成されている。
【００３５】
第９の態様によると、本発明の一実施形態は、プロセッサと、メモリと、を備えるスニファ装置であって、上記メモリはプログラムコードのセットを格納し、上記プロセッサは上記メモリ内に格納された上記プログラムコードを呼び出して、無線ＡＰによって送信されるパワーアップ命令が受信された後、パワーアップを開始すること、Ｐｒｏｂｅ  Ｒｅｑｕｅｓｔをリッスンすること、およびリッスンすることによって取得される上記Ｐｒｏｂｅ  Ｒｅｑｕｅｓｔが事前設定されたアクティベーション条件を満たす場合、上記無線ＡＰがパワーアップするよう命令された後、電力を切断すること、を実行するよう構成されている、スニファ装置を提供する。
【００３６】
第９の態様に関し、第１の可能な実装方式において、リッスンすることによって取得される上記Ｐｒｏｂｅ  Ｒｅｑｕｅｓｔが事前設定されたアクティベーション条件を満たす場合、上記プロセッサによって実行される、上記無線ＡＰがパワーアップするよう命令された後、電力を切断することは、Ｐｒｏｂｅ  Ｒｅｑｕｅｓｔが検出される場合、上記無線ＡＰがパワーアップするよう命令された後、電力を切断することを含む。
【００３７】
第９の態様に関し、第２の可能な実装方式において、リッスンすることによって取得される上記Ｐｒｏｂｅ  Ｒｅｑｕｅｓｔが事前設定されたアクティベーション条件を満たす場合、上記プロセッサによって実行される、上記無線ＡＰがパワーアップするよう命令された後、電力を切断することは、Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得することと、上記ＭＡＣアドレスが事前設定された、承認されたデバイス情報内に存在する場合および／または上記信号強度が事前設定された強度閾値より大きい場合、上記無線ＡＰがパワーアップするよう命令された後、電力を切断することと、を含む。
【００３８】
第９の態様に係る第２の可能な実装方式に関し、第３の可能な実装方式において、上記プロセッサは、上記承認されたデバイス情報を構成するようさらに構成されており、上記承認されたデバイス情報は、上記無線ＡＰをウェイクアップすることが可能な複数のＳｔａｔｉｏｎのＭＡＣアドレスの一覧を含む。
【００３９】
第１０の態様によると、本発明の一実施形態は、無線ＡＰと、Ｓｔａｔｉｏｎと、を備える通信システムであって、無線ＡＰがパケットをアップリンクまたはダウンリンクで送信せず、無線ＡＰがステーションに関連付けられていない間の時間が事前設定された時間閾値より大きいことが検出される場合、送信チャネルが無効にされ、受信チャネルのみが保持され、上記無線ＡＰは、上記受信チャネルを介して、事前設定された間隔に従い、上記ＳｔａｔｉｏｎによってブロードキャストされるＰｒｏｂｅ  Ｒｅｑｕｅｓｔをリッスンし、リッスンすることによって取得される上記Ｐｒｏｂｅ  Ｒｅｑｕｅｓｔが事前設定されたアクティベーション条件を満たす場合、上記無線ＡＰは上記送信チャネルを有効にする、通信システムを提供する。
【００４０】
第１１の態様によると、本発明の一実施形態は、無線ＡＰと、スニファ装置と、Ｓｔａｔｉｏｎと、を備える通信システムであって、無線ＡＰがパケットをアップリンクまたはダウンリンクで送信せず、無線ＡＰがステーションに関連付けられていない間の時間が事前設定された時間閾値より大きいことが検出される場合、上記無線ＡＰはパワーアップ命令を上記スニファ装置に送信し、上記無線ＡＰは電力を切断し、上記スニファ装置は、上記無線ＡＰによって送信されるパワーアップ命令を受信した後、パワーアップを開始し、上記スニファ装置は、事前設定された間隔に従い、上記ＳｔａｔｉｏｎによってブロードキャストされるＰｒｏｂｅ  Ｒｅｑｕｅｓｔをリッスンし、リッスンすることによって取得される上記Ｐｒｏｂｅ  Ｒｅｑｕｅｓｔが事前設定されたアクティベーション条件を満たす場合、上記スニファ装置が、上記無線ＡＰに対し、パワーアップするよう命令した後、電力を切断する、通信システムを提供する。
【００４１】
本発明の複数の実施形態に係る実装は、以下の複数の有益な効果を有する。
【００４２】
無線ＡＰがパケットをアップリンクまたはダウンリンクで送信せず、無線ＡＰがステーションに関連付けられていない間の時間が事前設定された時間閾値より大きい場合、無線ＡＰの送信チャネルは無効にされ、受信チャネルのみが保持され、無線ＡＰはスリープ状態に入る。無線ＡＰは、受信チャネルを介し、リッスンすることによって取得されるＰｒｏｂｅ  Ｒｅｑｕｅｓｔが事前設定されたアクティベーション条件を満たすことを判断し、送信チャネルは有効にされ、無線ＡＰは標準状態に入る。このようにして、無線ＡＰの電力消費量は効果的に低減可能であり、無線ＡＰの標準の通信は影響を受けない。
【００４３】
本発明の複数の実施形態または先行技術における技術的解決手段をより明確に記載すべく、以下に実施形態の記載に必要な添付図面を簡単に紹介する。以下の詳細な説明における添付図面は、本発明のいくつかの実施形態を示すにすぎないことは明らかであり、当業者であれば、創造的な取り組みなしに、これらの添付図面から他の図面をさらに導き出すであろう。
【図面の簡単な説明】
【００４４】
【図１】本発明の第１の実施形態による、無線ＡＰのためのエネルギー節約方法の概略フローチャートである。
【００４５】
【図２】本発明の第２の実施形態による、無線ＡＰのためのエネルギー節約方法の概略フローチャートである。
【００４６】
【図３】本発明の第３の実施形態による、無線ＡＰのためのエネルギー節約方法の概略フローチャートである。
【００４７】
【図４】本発明の第４の実施形態による、無線ＡＰのためのエネルギー節約方法の概略フローチャートである。
【００４８】
【図５】本発明の第５の実施形態による、無線ＡＰのためのエネルギー節約方法の概略フローチャートである。
【００４９】
【図６】本発明の第１の実施形態による、無線ＡＰのためのウェイクアップ方法の概略フローチャートである。
【００５０】
【図７】本発明の第２の実施形態による、無線ＡＰのためのウェイクアップ方法の概略フローチャートである。
【００５１】
【図８】本発明の第３の実施形態による、無線ＡＰのためのウェイクアップ方法の概略フローチャートである。
【００５２】
【図９】本発明の第１の実施形態による、無線ＡＰの概略構造図である。
【００５３】
【図１０】本発明の第２の実施形態による、無線ＡＰの概略構造図である。
【００５４】
【図１１】図１０中の有効化モジュールの概略構造図である。
【００５５】
【図１２】本発明の第３の実施形態による、無線ＡＰの概略構造図である。
【００５６】
【図１３】本発明の第４の実施形態による、無線ＡＰの概略構造図である。
【００５７】
【図１４】本発明の第５の実施形態による、無線ＡＰの概略構造図である。
【００５８】
【図１５】本発明の第６の実施形態による、無線ＡＰの概略構造図である。
【００５９】
【図１６】本発明の第１の実施形態による、スニファ装置の概略構造図である。
【００６０】
【図１７】本発明の第２の実施形態による、スニファ装置の概略構造図である。
【００６１】
【図１８】図１７中のパワーアップモジュールの概略構造図である。
【００６２】
【図１９】本発明の第３の実施形態による、スニファ装置の概略構造図である。
【００６３】
【図２０】本発明の一実施形態による、通信システムのやり取りの概略図である。
【００６４】
【図２１】本発明の一実施形態による、別の通信システムのやり取りの概略図である。
【発明を実施するための形態】
【００６５】
以下では、本発明の複数の実施形態における複数の技術的解決手段が、本発明の複数の実施形態における添付図面に関連し、明確かつ完全に説明される。記載される複数の実施形態は、本発明の複数の実施形態のうちすべてではなく、一部にすぎないことは明らかである。当業者が創造的な取り組みなしに本発明の複数の実施形態に基づき、得られるすべての他の実施形態は、本発明の保護範囲に属することとなる。
【００６６】
図１を参照すると、本発明の第１の実施形態による、無線ＡＰのためのエネルギー節約方法の概略フローチャートである。本発明のこの実施形態において、方法は以下を含む。
【００６７】
Ｓ１０１。無線ＡＰがパケットをアップリンクまたはダウンリンクを送信せず、無線ＡＰがステーションに関連付けられていない間の時間が、事前設定された時間閾値より大きいことが検出された場合、無線ＡＰは送信チャネルを無効にし、受信チャネルのみを保持する。
【００６８】
具体的には、本発明のこの実施形態において、無線ＡＰおよびＳｔａｔｉｏｎの両方が、８０２．１１プロトコルをサポートするデバイスである。無線ネットワークをスキャンすべく、Ｓｔａｔｉｏｎは定期的に、ブロードキャストプローブリクエストフレームＰｒｏｂｅ  Ｒｅｑｕｅｓｔをネットワークアダプタによってサポートされるチャネルの一覧内にあるチャネル上で送信する。プローブリクエストフレームを受信した後、無線ＡＰは、無線ＡＰによって提供される無線ネットワークに関する情報を通知すべく、プローブ応答フレームＰｒｏｂｅ  Ｒｅｓｐｏｎｓｅを戻す。Ｓｔａｔｉｏｎは、Ｐｒｏｂｅ  Ｒｅｓｐｏｎｓｅ内の無線ネットワークに関する情報に従い、関連を形成すべく、最も強い信号を有する無線ＡＰを選択する。
【００６９】
無線ＡＰの動作処理において、パケットがアップリンクまたはダウンリンクで送信されず、Ｓｔａｔｉｏｎが関連付けられていないことが検出された場合、時間を測定するためのタイマがオンにされる。パケットがアップリンクまたはダウンリンクで送信されず、Ｓｔａｔｉｏｎが関連付けられていない間の時間が、事前設定された時間閾値を超える場合、無線ＡＰは送信チャネルを無効にし、受信チャネルのみを保持する。この場合、無線ＡＰはスリープ状態に入り、受信チャネルのみが動作中である。無線ＡＰは、無線ＡＰの受信チャネルの標準の動作を維持するための電気量を供給されるのみでよく、無線ＡＰの送信チャネルの標準の動作を維持するための電気量は供給される必要がなく、従って、無線ＡＰの電力消費量は効果的に低減可能である。
【００７０】
無線ＡＰがパワーアップ処理を完了したばかりの場合、無線ＡＰのパワーアップの完了時にタイマが開始されることを理解されたい。無線ＡＰがパケットをアップリンクまたはダウンリンクで送信せず、無線ＡＰがＳｔａｔｉｏｎに関連付けられていない間の時間が、事前設定された時間閾値を超えることが検出される場合、無線ＡＰは送信チャネルを無効にし、受信チャネルのみを保持する。
【００７１】
例えば、無線ＡＰが一定時間実行中であり、事前設定された時間閾値が５分であると想定すると、無線ＡＰが、パケットがアップリンクまたはダウンリンクで送信されておらず、Ｓｔａｔｉｏｎが関連付けられていないことを検出する場合、現在の時間ポイント１０：３６：００が記録され、タイマが同時にオンにされる。無線ＡＰがパケットをアップリンクまたはダウンリンクで送信せず、無線ＡＰがＳｔａｔｉｏｎに関連付けられていない間の時間が５分の時間閾値を超える場合、無線ＡＰは送信チャネルを無効にし、受信チャネルのみを保持する。
【００７２】
Ｓ１０２。無線ＡＰは受信チャネルを介してＰｒｏｂｅ  Ｒｅｑｕｅｓｔをリッスンする。
【００７３】
具体的には、無線ＡＰは、保持された受信チャネルを介して、カバレッジ内のＳｔａｔｉｏｎによって送信されるＰｒｏｂｅ  Ｒｅｑｕｅｓｔをリッスンする。
【００７４】
Ｓ１０３。リッスンすることによって取得されるＰｒｏｂｅ  Ｒｅｑｕｅｓｔが事前設定されたアクティベーション条件を満たす場合、送信チャネルを有効にする。
【００７５】
具体的には、無線ＡＰがスリープ状態から標準状態へと切り替わることを可能にすべく、無線ＡＰは、Ｓ１０２におけるリッスンすることによって取得されるＰｒｏｂｅ  Ｒｅｑｕｅｓｔが事前設定されたアクティベーション条件を満たすかどうかを判断する。Ｓ１０２におけるリッスンすることによって取得されるＰｒｏｂｅ  Ｒｅｑｕｅｓｔが事前設定されたアクティベーション条件を満たす場合、無線ＡＰは送信チャネルを有効にする。この場合、無線ＡＰの送信チャネルおよび受信チャネルの両方が有効にされた状態であり、無線ＡＰはアップリンク方向およびダウンリンク方向において端末と標準で通信可能である。
【００７６】
上記より、本発明のこの実施形態の実装においては、無線ＡＰがパケットをアップリンクまたはダウンリンクで送信せず、無線ＡＰがステーションに関連付けられていない間の時間が事前設定された時間閾値より大きいことが検出された場合、無線ＡＰは送信チャネルを無効にし、受信チャネルのみを保持することが理解できる。この場合、無線ＡＰはスリープ状態に入る。無線ＡＰが受信チャネルを介して、リッスンすることによって取得されるＰｒｏｂｅ  Ｒｅｑｕｅｓｔが事前設定されたアクティベーション条件を満たすと判断する場合、送信チャネルが有効にされ、無線ＡＰは標準状態に入る。このようにして、無線ＡＰの電力消費量は効果的に低減可能であり、無線ＡＰの標準の通信は影響を受けない。
【００７７】
図２を参照すると、本発明の第２の実施形態による、無線ＡＰのためのエネルギー節約方法の概略フローチャートである。この実施形態において、方法は以下を含む。
【００７８】
Ｓ２０１。事前設定された時間閾値を構成する。
【００７９】
具体的には、無線ＡＰが事前設定された時間閾値を構成し、当該時間閾値は、無線ＡＰのビーコン送信時間間隔の整数（１より大きい）倍である。例えば、無線ＡＰのＢｅａｃｏｎ送信時間間隔が５０ｍｓであり、構成された時間閾値は、当該時間間隔の１００倍であり、すなわち構成された時間閾値は５０ｓである。必要に応じて、特定の整数倍が設定される必要があり、それは本発明において限定はされない。
【００８０】
Ｓ２０２。無線ＡＰがパケットをアップリンクまたはダウンリンクで送信せず、無線ＡＰがステーションに関連付けられていない間の時間が事前設定された時間閾値より大きいかどうかを検出する。
【００８１】
具体的には、本発明のこの実施形態において、無線ＡＰおよびＳｔａｔｉｏｎの両方が、８０２．１１プロトコルをサポートするデバイスである。無線ネットワークをスキャンすべく、Ｓｔａｔｉｏｎは定期的に、ブロードキャストプローブリクエストフレームＰｒｏｂｅ  Ｒｅｑｕｅｓｔをネットワークアダプタによってサポートされるチャネルの一覧内にあるチャネル上で送信する。プローブリクエストフレームを受信した後、無線ＡＰは、無線ＡＰによって提供される無線ネットワークに関する情報を通知すべく、プローブ応答フレームＰｒｏｂｅ  Ｒｅｓｐｏｎｓｅを戻す。Ｓｔａｔｉｏｎは、Ｐｒｏｂｅ  Ｒｅｓｐｏｎｓｅ内の無線ネットワークに関する情報に従い、関連を形成し、通信接続を確立すべく、最も強い信号を有する無線ＡＰを選択する。通信接続が、カバレッジ内の無線ＡＰおよびＳｔａｔｉｏｎ間に確立される場合、無線ＡＰは、関連リストに、通信接続の確立先のＳｔａｔｉｏｎを追加してよく、無線ＡＰは、関連リストをクエリすることによって、Ｓｔａｔｉｏｎが関連付けられているかどうかを判断してよい。
【００８２】
パケットが送信チャネルまたは受信チャネルで送信されず、Ｓｔａｔｉｏｎが関連付けられていないことが検出される場合、無線ＡＰはタイマを開始させる。パケットがアップリンクまたはダウンリンクで送信されず、ステーションが関連付けられていない間の時間が事前設定された時間閾値より大きい場合、Ｓ２０３が実行され、そうでない場合、処理は終了される。
【００８３】
無線ＡＰがパワーアップ時に、パワーアップ処理を完了させたばかりの場合、無線ＡＰはデータをアップリンクまたはダウンリンクで送信せず、無線ＡＰはいかなるＳｔａｔｉｏｎにも関連付けられず、無線ＡＰはタイマをオンにすることを理解されたい。無線ＡＰがパケットをアップリンクまたはダウンリンクで送信せず、無線ＡＰがＳｔａｔｉｏｎに関連付けられていない間の時間が事前設定された時間閾値より大きい場合、Ｓ２０３が実行され、そうでない場合、処理は終了される。
【００８４】
例えば、無線ＡＰが一定時間実行中であり、事前設定された時間閾値が５分であると想定すると、無線ＡＰがパケットがアップリンクまたはダウンリンクで送信されず、Ｓｔａｔｉｏｎが関連付けられていないことを検出する場合、無線ＡＰはタイマを開始させ、現在の時間ポイント１０：３６：００が記録される。パケットがアップリンクまたはダウンリンクで送信されず、ステーションが関連付けられていない間の時間が事前設定された５分の時間閾値を超える場合、Ｓ２０３が実行され、そうでない場合、処理は終了される。
【００８５】
本発明のこの実施形態において、無線ＡＰがＳｔａｔｉｏｎに関連付けられておらず、パケットをアップリンクまたはダウンリンクで送信していないという両方の条件を満たす間の時間が事前設定された時間閾値より大きい場合、それは無線ＡＰのカバレッジ内のＳｔａｔｉｏｎは通信の必要性がないことを示す。この場合、無線ＡＰは無線ＡＰの送信チャネルを無効にし、それによって、カバレッジ内のＳｔａｔｉｏｎの標準の通信に影響を与えることはない。
【００８６】
Ｓ２０３。無線ＡＰは送信チャネルを無効にし、受信チャネルのみを保持する。
【００８７】
具体的には、無線ＡＰは無線ＡＰの送信チャネルを無効にし、無線ＡＰの受信チャネルのみを保持し、無線ＡＰはスリープ状態に入る。この場合、無線ＡＰの受信チャネルのみが実行中であり、無線ＡＰは無線ＡＰの受信チャネルの標準の動作を維持するための電気量を供給されるのみでよく、従って、無線ＡＰの電力消費量は効果的に低減可能である。
【００８８】
Ｓ２０４。無線ＡＰは受信チャネルを介して、Ｐｒｏｂｅ  Ｒｅｑｕｅｓｔをリッスンする。
【００８９】
具体的には、無線ＡＰは、保持された受信チャネルを介して、カバレッジ内のＳｔａｔｉｏｎによって送信されるＰｒｏｂｅ  Ｒｅｑｕｅｓｔをリッスンする。
【００９０】
Ｓ２０５。無線ＡＰがＰｒｏｂｅ  Ｒｅｑｕｅｓｔを検出するかどうか。
【００９１】
具体的には、無線ＡＰがカバレッジ内の任意のＳｔａｔｉｏｎによって送信されるＰｒｏｂｅ  Ｒｅｑｕｅｓｔを検出する場合、それは、当該Ｓｔａｔｉｏｎは無線ＡＰと標準の通信を開始する必要があることを示しており、Ｓ２０６が実行され、そうでない場合、Ｓ２０４が実行される。
【００９２】
Ｓ２０６。無線ＡＰは、無線ＡＰの送信チャネルを有効にする。
【００９３】
具体的には、無線ＡＰが検出されるＰｒｏｂｅ  Ｒｅｑｕｅｓｔのアクティベーション条件を満たす場合、無線ＡＰは、無線ＡＰの送信チャネルを有効にする。この場合、無線ＡＰの送信チャネルおよび受信チャネルの両方が標準の動作状態にある。
【００９４】
例えば、パブリックな場所に配備される無線ＡＰの場合、無線ＡＰによってサービス提供されることになるステーションは限定されず、無線ＡＰはカバレッジ内の任意のＳｔａｔｉｏｎによって送信されるＰｒｏｂｅ  Ｒｅｑｕｅｓｔに応答する必要がある。ひとたび、任意のＳｔａｔｉｏｎによって送信されるＰｒｏｂｅ  Ｒｅｑｕｅｓｔを検出すると、無線ＡＰは直ちに、無線ＡＰの送信チャネルを有効にし、現在のスリープ状態から標準状態に切り替わる。
【００９５】
オプションとして、Ｐｒｏｂｅ  Ｒｅｑｕｅｓｔの検出時、無線ＡＰは、検出されるＰｒｏｂｅ  Ｒｅｑｕｅｓｔの信号強度を取得する。信号強度が事前設定された強度閾値より大きい場合、無線ＡＰは、無線ＡＰの送信チャネルを有効にし、そうでない場合、無線ＡＰはＰｒｏｂｅ  Ｒｅｑｕｅｓｔの検出を続行する。このように、無線ＡＰは高い信号強度を有するＳｔａｔｉｏｎにのみ通信サービスを提供する結果、Ｓｔａｔｉｏｎに所望のサービスの品質を提供する。
【００９６】
この実施形態において、上記処理を完了するためには、無線ＡＰのソフトウェアのみが変更される必要があり、無線ＡＰのハードウェアは変更される必要がない。無線ＡＰが、パケットがアップリンクまたはダウンリンクで送信されず、Ｓｔａｔｉｏｎが関連付けられていない間の時間が事前設定された時間閾値より大きいことを検出する場合、無線ＡＰの送信チャネルは無効にされ、無線ＡＰはスリープ状態に入る。この場合、無線ＡＰの受信チャネルのみが実行中である。このようにして、無線ＡＰの電力消費量は約５０％低減可能である。また、無線ＡＰは、標準状態に入るべく、受信チャネルを介してＰｒｏｂｅ  Ｒｅｑｕｅｓｔをリッスンすることによって、送信チャネルが有効かどうかを判断し、無線ＡＰは高速な応答速度でスリープ状態から標準状態に切り替わり、それによって、無線ＡＰのカバレッジ内のＳｔａｔｉｏｎの標準の通信に影響を与えることはない。
【００９７】
図３を参照すると、本発明の第３の実施形態による、無線ＡＰのためのエネルギー節約方法の概略フローチャートである。この実施形態において、方法は以下を含む。
【００９８】
Ｓ３０１。承認されたデバイス情報を構成する。ここで承認されたデバイス情報は、無線ＡＰをウェイクアップすることが可能な複数のＳｔａｔｉｏｎのＭＡＣアドレスの一覧を含む。
【００９９】
具体的には、無線ＡＰは、承認されたデバイス情報を用いて構成され、承認されたデバイス情報は、無線ＡＰをウェイクアップすることが可能な複数のＳｔａｔｉｏｎのＭＡＣアドレスの一覧を含み、ＭＡＣアドレスの一覧は、一意および変更不能という複数の特徴を有し、無線ＡＰはＭＡＣアドレスの一覧を使用することによってＳｔａｔｉｏｎに対し、ウェイクアップ権限制御を実行してよい。
【０１００】
例えば、承認されたデバイス情報内に含まれるＭＡＣアドレスの一覧が、０５−１６−ＤＣ−５９−Ｃ２−３４、５０−６１−ＣＤ−５９−２Ｃ−４３、および０６−２６−ＤＣ−６９−Ｃ３−４４の場合、一覧の３つのＭＡＣアドレスに対応する複数のＳｔａｔｉｏｎが、無線ＡＰをウェイクアップする権限を有することを示す。
【０１０１】
Ｓ３０２。無線ＡＰがパケットをアップリンクまたはダウンリンクで送信せず、無線ＡＰがステーションに関連付けられていない間の時間が事前設定された時間閾値より大きいかどうかを検出する。
【０１０２】
具体的には、本発明のこの実施形態において、無線ＡＰおよびＳｔａｔｉｏｎの両方が、８０２．１１プロトコルをサポートするデバイスである。無線ネットワークをスキャンすべく、Ｓｔａｔｉｏｎは定期的に、ブロードキャストプローブリクエストフレームＰｒｏｂｅ  Ｒｅｑｕｅｓｔをネットワークアダプタによってサポートされるチャネルの一覧内にあるチャネル上で送信する。プローブリクエストフレームを受信した後、無線ＡＰは、無線ＡＰによって提供される無線ネットワークに関する情報を通知すべく、プローブ応答フレームＰｒｏｂｅ  Ｒｅｓｐｏｎｓｅを戻す。Ｓｔａｔｉｏｎは、Ｐｒｏｂｅ  Ｒｅｓｐｏｎｓｅ内の無線ネットワークに関する情報に従い、関連を形成し、通信接続を確立すべく、最も強い信号を有する無線ＡＰを選択する。通信接続が、カバレッジ内の無線ＡＰおよびＳｔａｔｉｏｎ間に確立される場合、無線ＡＰは、関連リストに、通信接続の確立先のＳｔａｔｉｏｎを追加してよく、無線ＡＰは、関連リストをクエリすることによって、Ｓｔａｔｉｏｎが関連付けられているかどうかを判断してよい。
【０１０３】
パケットが送信チャネルまたは受信チャネルで送信されず、Ｓｔａｔｉｏｎが関連付けられていないことが検出される場合、無線ＡＰはタイマを開始させる。パケットがアップリンクまたはダウンリンクで送信されず、Ｓｔａｔｉｏｎが関連付けられていない間の時間が事前設定された時間閾値より大きい場合、Ｓ３０３が実行され、そうでない場合、処理は終了される。
【０１０４】
無線ＡＰがパワーアップ時に、パワーアップ処理を完了させたばかりの場合、無線ＡＰはデータをアップリンクまたはダウンリンクで送信せず、無線ＡＰはいかなるＳｔａｔｉｏｎにも関連付けられず、無線ＡＰはタイマを開始させることを理解されたい。無線ＡＰがパケットをアップリンクまたはダウンリンクで送信せず、Ｓｔａｔｉｏｎに関連付けられていない間の時間が事前設定された時間閾値より大きい場合、Ｓ３０３が実行され、そうでない場合、処理は終了される。
【０１０５】
例えば、無線ＡＰが一定時間実行中であり、事前設定された時間閾値が５分であると想定すると、パケットがアップリンクまたはダウンリンクで送信されず、Ｓｔａｔｉｏｎが関連付けられていないことを検出する場合、無線ＡＰはタイマを開始させ、現在の時間ポイント１０：３６：００が記録される。パケットがアップリンクまたはダウンリンクで送信されず、ステーションが関連付けられていない間の時間が事前設定された５分の時間閾値を超える場合、Ｓ３０３が実行され、そうでない場合、処理は終了される。
【０１０６】
本発明のこの実施形態において、無線ＡＰがＳｔａｔｉｏｎに関連付けられておらず、パケットをアップリンクまたはダウンリンクで送信していないという両方の条件を満たす間の時間が事前設定された時間閾値より大きい場合、それは無線ＡＰのカバレッジ内のＳｔａｔｉｏｎは通信の必要性がないことを示す。この場合、無線ＡＰは無線ＡＰの送信チャネルを無効にし、それによって、カバレッジ内のＳｔａｔｉｏｎの標準の通信に影響を与えることはない。
【０１０７】
Ｓ３０３。無線ＡＰは、送信チャネルを無効にし、受信チャネルのみを保持する。
【０１０８】
具体的には、無線ＡＰは無線ＡＰの送信チャネルを無効にし、無線ＡＰの受信チャネルのみを保持する。この場合、無線ＡＰはスリープ状態に入り、無線ＡＰの受信チャネルのみが実行中である。無線ＡＰは無線ＡＰの受信チャネルの標準の動作を維持するための電気量を供給されるのみでよく、これによって、無線ＡＰの電力消費量は効果的に低減される。
【０１０９】
Ｓ３０４。無線ＡＰは受信チャネルを介して、Ｐｒｏｂｅ  Ｒｅｑｕｅｓｔをリッスンする。
【０１１０】
具体的には、無線ＡＰは、保持された受信チャネルを介して、カバレッジ内のＳｔａｔｉｏｎによって送信されるＰｒｏｂｅ  Ｒｅｑｕｅｓｔをリッスンする。
【０１１１】
Ｓ３０５。無線ＡＰがＰｒｏｂｅ  Ｒｅｑｕｅｓｔを検出するかどうか。
【０１１２】
具体的には、無線ＡＰがカバレッジ内のＳｔａｔｉｏｎによって送信されるＰｒｏｂｅ  Ｒｅｑｕｅｓｔを検出する場合、それは、当該Ｓｔａｔｉｏｎは無線ＡＰと標準の通信を開始する必要があることを示しており、Ｓ３０６が実行され、そうでない場合、Ｓ３０４が実行される。
【０１１３】
Ｓ３０６。検出されるＰｒｏｂｅ  Ｒｅｑｕｅｓｔの信号強度を取得する。
【０１１４】
具体的には、無線ＡＰは、検出されるＰｒｏｂｅ  ＲｅｑｕｅｓｔのＲＳＳＩ値を取得する。ＲＳＳＩ値は、Ｐｒｏｂｅ  Ｒｅｑｕｅｓｔの信号強度を示す。より大きいＲＳＳＩ値は、より高い信号強度を示し、より小さいＲＳＳＩ値は、より低い信号強度を示す。
【０１１５】
Ｓ３０７。信号強度が事前設定された強度閾値より大きいかどうか。
【０１１６】
具体的には、無線ＡＰが、検出されるＰｒｏｂｅ  Ｒｅｑｕｅｓｔの信号強度が、事前設定された強度閾値より大きいと判断する場合、Ｓ３０９が実行され、そうでない場合、処理は終了される。
【０１１７】
Ｓ３０８。検出されるＰｒｏｂｅ  ＲｅｑｕｅｓｔのＭＡＣアドレスを取得する。
【０１１８】
具体的には、Ｓｔａｔｉｏｎによって送信されるＰｒｏｂｅ  Ｒｅｑｕｅｓｔは、Ｐｒｏｂｅ  ＲｅｑｕｅｓｔのＭＡＣアドレスを搬送し、Ｐｒｏｂｅ  Ｒｅｑｕｅｓｔを受信した後、無線ＡＰは、Ｐｒｏｂｅ  ＲｅｑｕｅｓｔからＰｒｏｂｅ  Ｒｅｑｕｅｓｔを送信するＳｔａｔｉｏｎのＭＡＣアドレスを抽出する。
【０１１９】
Ｓ３０９。ＭＡＣアドレスが事前設定された、承認されたデバイス情報内にあるかどうか。
【０１２０】
具体的には、無線ＡＰは、抽出されたＭＡＣアドレスがＳ３０１において、事前設定された、承認されたデバイス情報内にあるかどうかを判断し、抽出されたＭＡＣアドレスがＳ３０１において事前設定された、承認されたデバイス情報内にある場合、Ｓ３１０が実行され、そうでない場合、処理は終了される。
【０１２１】
例えば、無線ＡＰによって抽出された、受信されるＰｒｏｂｅ  Ｒｅｑｕｅｓｔ内のＭＡＣアドレスの一覧が０５−１６−ＤＣ−５９−Ｃ２−３４であり、そのＭＡＣアドレスの一覧はＳ３０１において構成された承認されたデバイス情報内に存在し、それは、ＭＡＣアドレスの一覧に対応するＳｔａｔｉｏｎが、無線ＡＰをウェイクアップする権限を有することを示す。
【０１２２】
Ｓ３１０。無線ＡＰは、送信チャネルを有効にする。
【０１２３】
具体的には、検出されるＰｒｏｂｅ  Ｒｅｑｕｅｓｔの信号強度が事前設定された強度閾値より大きく、ＭＡＣアドレスの一覧が、事前設定された、承認されたデバイス情報内に存在するというアクティベーション条件を満たす場合、無線ＡＰは無線ＡＰの送信チャネルを有効にする。この場合、無線ＡＰの送信チャネルおよび受信チャネルの両方が標準の動作状態にあり、無線ＡＰはカバレッジ内のＳｔａｔｉｏｎと標準で通信可能である。
【０１２４】
例えば、プライベートな場所に配備される無線ＡＰの場合、無線ＡＰはカバレッジ内のＳｔａｔｉｏｎによるウェイクアップを制限する。受信されるＰｒｏｂｅ  Ｒｅｑｕｅｓｔの信号強度が、事前設定された強度閾値より大きく、Ｐｒｏｂｅ  Ｒｅｑｕｅｓｔを送信するＳｔａｔｉｏｎがウェイクアップ権限を有することを検出する場合、無線ＡＰは直ちに無線ＡＰの送信チャネルを有効にし、無線ＡＰは現在のスリープ状態から標準状態へ切り替わる。このようにして、無線ＡＰはＳｔａｔｉｏｎに高品質な通信サービスを提供可能であり、ウェイクアップ権限を有さないＳｔａｔｉｏｎによって誤ってウェイクアップされるのを回避可能である。
【０１２５】
本発明のいくつかの実施形態において、Ｓｔａｔｉｏｎがサービス品質に対する高い要求を有さないシナリオでは、無線ＡＰはＰｒｏｂｅ  Ｒｅｑｕｅｓｔの信号強度を判断する必要はなく、Ｐｒｏｂｅ  ＲｅｑｕｅｓｔのＭＡＣアドレスが事前設定された、承認されたデバイス情報内に存在するかどうかを判断する必要があるのみで、Ｐｒｏｂｅ  ＲｅｑｕｅｓｔのＭＡＣアドレスが当該承認されたデバイス情報内に存在する場合、無線ＡＰは無線ＡＰの送信チャネルを有効にする。
【０１２６】
この実施形態において、上記処理を完了するためには、無線ＡＰのソフトウェアのみが変更される必要があり、無線ＡＰのハードウェアは変更される必要がない。無線ＡＰが、パケットがアップリンクまたはダウンリンクで送信されず、Ｓｔａｔｉｏｎが関連付けられていない間の時間が事前設定された時間閾値より大きいことを検出する場合、無線ＡＰの送信チャネルは無効にされ、無線ＡＰはスリープ状態に入る。この場合、無線ＡＰの受信チャネルのみが実行中である。このようにして、無線ＡＰの電力消費量は約５０％低減可能である。また、無線ＡＰは、標準状態に入るべく、受信チャネルを介してＰｒｏｂｅ  Ｒｅｑｕｅｓｔをリッスンすることによって、送信チャネルが有効かどうかを判断し、無線ＡＰは高速な応答速度でスリープ状態から標準状態に切り替わり、それによって、無線ＡＰのカバレッジ内のＳｔａｔｉｏｎの標準の通信に影響を与えることはない。
【０１２７】
図４を参照すると、本発明の第４の実施形態による、無線ＡＰのためのエネルギー節約方法の概略フローチャートである。この実施形態において、方法は以下を含む。
【０１２８】
Ｓ４０１。無線ＡＰがパケットをアップリンクまたはダウンリンクで送信せず、無線ＡＰがステーションに関連付けられていない間の時間が事前設定された時間閾値より大きいことが検出された場合、無線ＡＰは、スニファ装置にパワーアップ命令を送信し、ここでパワーアップ命令は、スニファ装置に対し、パワーアップするよう命令するために使用される。
【０１２９】
具体的には、本発明のこの実施形態において、無線ＡＰおよびＳｔａｔｉｏｎの両方が、８０２．１１プロトコルをサポートするデバイスである。無線ネットワークをスキャンすべく、Ｓｔａｔｉｏｎは定期的に、ブロードキャストプローブリクエストフレームＰｒｏｂｅ  Ｒｅｑｕｅｓｔをネットワークアダプタによってサポートされるチャネルの一覧内にあるチャネル上で送信する。プローブリクエストフレームを受信した後、無線ＡＰは、無線ＡＰによって提供される無線ネットワークに関する情報を通知すべく、プローブ応答フレームＰｒｏｂｅ  Ｒｅｓｐｏｎｓｅを戻す。Ｓｔａｔｉｏｎは、Ｐｒｏｂｅ  Ｒｅｓｐｏｎｓｅ内の無線ネットワークに関する情報に従い、関連を形成すべく、最も強い信号を有する無線ＡＰを選択する。
【０１３０】
無線ＡＰの動作処理において、パケットがアップリンクまたはダウンリンクで送信されず、Ｓｔａｔｉｏｎが関連付けられていないことを検出する場合、無線ＡＰはタイマを開始させる。パケットがアップリンクまたはダウンリンクで送信されず、Ｓｔａｔｉｏｎが関連付けられていない間の時間が事前設定された時間閾値より大きい場合、無線ＡＰは、スニファ装置にパワーアップ命令を送信し、ここでパワーアップ命令は、スニファ装置に対し、パワーアップするよう命令するために使用される。
【０１３１】
無線ＡＰがパワーアップ時に、パワーアップ処理を完了させたばかりの場合、無線ＡＰはデータをアップリンクまたはダウンリンクで送信せず、いかなるＳｔａｔｉｏｎにも関連付けられず、無線ＡＰはタイマを開始させることを理解されたい。パケットがアップリンクまたはダウンリンクで送信されず、ステーションが関連付けられていない間の時間が、事前設定された時間閾値より大きい場合、無線ＡＰは、スニファ装置に対し、パワーアップを開始するよう命令すべく、スニファ装置にパワーアップ命令を送信する。
【０１３２】
例えば、無線ＡＰが一定時間実行中であり、事前設定された時間閾値が５分であると想定すると、無線ＡＰが、パケットがアップリンクまたはダウンリンクで送信されておらず、ステーションが関連付けられていないことを検出する場合、無線ＡＰはタイマをオンにし、現在の時間ポイント１０：３６：００が記録される。タイマの記録時間が、事前設定された５分の時間閾値を超える場合、無線ＡＰは、スニファ装置にパワーアップ命令を送信し、スニファ装置はパワーアップ命令を受信し、スニファ装置は電源に接続され、パワーアップを開始する。
【０１３３】
Ｓ４０２。無線ＡＰは電力を切断する。
【０１３４】
具体的には、スニファ装置にパワーアップを開始するよう命令した後、無線ＡＰは電力を切断する。この場合、無線ＡＰは電源オフ状態にあり、無線ＡＰは電力を一切消費せず、スニファ装置のみが電力を消費し、その結果、無線ＡＰの電力消費量は効果的に低減されてよい。
【０１３５】
スニファ装置は無線ＡＰ内に位置付けられてよく、無線ＡＰに統合されてよく、または無線ＡＰとは別個の独立したコンポーネントであってよいことに留意されたい。好ましくは、動作時の電力消費量がさらに低減可能となるよう、低電力消費要素がスニファ装置において使用されてよい。
【０１３６】
上記より、本発明のこの実施形態の実装においては、無線ＡＰがパケットをアップリンクまたはダウンリンクで送信せず、無線ＡＰがステーションに関連付けられていない間の時間が事前設定された時間閾値より大きいことが検出された場合、無線ＡＰは、スニファ装置に対し、パワーアップ動作の実行を開始するよう命令し、無線ＡＰの電力を切断することが理解できる。このように、無線ＡＰが電力を消費せず、スニファ装置のみが電力を消費する結果、電力消費量が大きく低減可能である。
【０１３７】
図５を参照すると、本発明の第５の実施形態による、無線ＡＰのためのエネルギー節約方法の概略フローチャートである。この実施形態において、方法は以下を含む。
【０１３８】
Ｓ５０１。無線ＡＰは、事前設定された時間閾値を構成する。
【０１３９】
具体的には、無線ＡＰは事前設定された時間閾値を構成し、当該時間閾値は、無線ＡＰのビーコン送信時間間隔の整数（１より大きい）倍である。例えば、無線ＡＰのＢｅａｃｏｎ送信時間間隔が５０ｍｓの場合、構成された時間閾値は、当該時間間隔の１００倍であり、すなわち、構成された時間閾値は５０ｓである。必要に応じて、特定の整数倍が設定される必要があり、それは本発明において限定はされない。
【０１４０】
Ｓ５０２。無線ＡＰがパケットをアップリンクまたはダウンリンクで送信せず、無線ＡＰがステーションに関連付けられていない間の時間が事前設定された時間閾値より大きいことが検出された場合、無線ＡＰは、スニファ装置にパワーアップ命令を送信し、ここでパワーアップ命令は、スニファ装置に対し、パワーアップするよう命令するために使用される。
【０１４１】
具体的には、本発明のこの実施形態において、無線ＡＰおよびＳｔａｔｉｏｎの両方が、８０２．１１プロトコルをサポートするデバイスである。無線ネットワークをスキャンすべく、Ｓｔａｔｉｏｎは定期的に、ブロードキャストプローブリクエストフレームＰｒｏｂｅ  Ｒｅｑｕｅｓｔをネットワークアダプタによってサポートされるチャネルの一覧内にあるチャネル上で送信する。プローブリクエストフレームを受信した後、無線ＡＰは、無線ＡＰによって提供される無線ネットワークに関する情報を通知すべく、プローブ応答フレームＰｒｏｂｅ  Ｒｅｓｐｏｎｓｅを戻す。Ｓｔａｔｉｏｎは、Ｐｒｏｂｅ  Ｒｅｓｐｏｎｓｅ内の無線ネットワークに関する情報に従い、関連を形成すべく、最も強い信号を有する無線ＡＰを選択する。
【０１４２】
無線ＡＰの動作処理において、パケットがアップリンクまたはダウンリンクで送信されず、Ｓｔａｔｉｏｎが関連付けられていないことを検出する場合、無線ＡＰはタイマを開始させる。パケットがアップリンクまたはダウンリンクで送信されず、Ｓｔａｔｉｏｎが関連付けられていない間の時間が事前設定された時間閾値より大きい場合、無線ＡＰは、スニファ装置にパワーアップ命令を送信し、ここでパワーアップ命令は、スニファ装置に対し、パワーアップするよう命令するために使用される。
【０１４３】
無線ＡＰがパワーアップ時に、パワーアップ処理を完了させたばかりの場合、無線ＡＰはデータをアップリンクまたはダウンリンクで送信せず、いかなるＳｔａｔｉｏｎにも関連付けられず、無線ＡＰはタイマを開始させることを理解されたい。パケットがアップリンクまたはダウンリンクで送信されず、ステーションが関連付けられていない間の時間が、事前設定された時間閾値より大きい場合、無線ＡＰは、スニファ装置に対し、パワーアップを開始するよう命令すべく、スニファ装置にパワーアップ命令を送信する。
【０１４４】
例えば、無線ＡＰが一定時間実行中であり、事前設定された時間閾値が５分であると想定すると、パケットがアップリンクまたはダウンリンクで送信されず、ステーションが関連付けられていないことを検出する場合、無線ＡＰはタイマをオンにし、現在の時間ポイント１０：３６：００が記録される。タイマの記録時間が、事前設定された５分の時間閾値を超える場合、無線ＡＰは、スニファ装置にパワーアップ命令を送信し、スニファ装置はパワーアップ命令を受信し、スニファ装置は電源に接続され、パワーアップを開始する。
【０１４５】
Ｓ５０３。無線ＡＰが、スニファ装置が正常にパワーアップされたことを確認するためのメッセージを受信するかどうか。
【０１４６】
具体的には、無線ＡＰによって送信されるパワーアップ命令を受信した後、スニファ装置はパワーアップする。パワーアップ後、スニファ装置は、無線ＡＰに対し、スニファ装置が正常にパワーアップされたことを示す確認メッセージを送信する。無線ＡＰは、確認メッセージが受信されたかどうかを判断し、確認メッセージが受信された場合、Ｓ５０４が実行され、そうでない場合、処理は終了される。
【０１４７】
Ｓ５０４。無線ＡＰは電力を切断する。
【０１４８】
具体的には、確認メッセージを受信した後、無線ＡＰは、スニファ装置が正常にパワーアップされたことを判断する。この場合、無線ＡＰは無線ＡＰの電力を切断し、無線ＡＰは電源オフ状態にあり、無線ＡＰは電力を一切消費せず、スニファ装置のみが電力を消費し、その結果、電力消費量は効果的に低減されてよい。
【０１４９】
スニファ装置は無線ＡＰ内に位置付けられてよく、無線ＡＰに統合されてよく、または無線ＡＰとは別個の独立したコンポーネントであってよいことに留意されたい。好ましくは、動作時の電力消費量がさらに低減可能となるよう、低電力消費要素がスニファ装置において使用されてよい。
【０１５０】
上記より、本発明のこの実施形態の実装においては、無線ＡＰがパケットをアップリンクまたはダウンリンクで送信せず、無線ＡＰがステーションに関連付けられていない間の時間が事前設定された時間閾値より大きいことが検出された場合、無線ＡＰは、スニファ装置に対し、パワーアップ動作の実行を開始するよう命令し、無線ＡＰの電力を切断することが理解できる。このように、無線ＡＰが電力を消費せず、スニファ装置のみが電力を消費する結果、電力消費量が大きく低減可能である。
【０１５１】
図６を参照すると、本発明の第１の実施形態による、無線ＡＰのためのウェイクアップ方法の概略フローチャートである。この実施形態において、方法は以下を含む。
【０１５２】
Ｓ６０１。スニファ装置が、無線ＡＰによって送信されるパワーアップ命令を受信した後、パワーアップを開始する。
【０１５３】
具体的には、パワーアップ命令が受信される前、スニファ装置は電源オフ状態にあり、電力を消費していない。無線ＡＰは、パワーアップ命令をスニファ装置に送信し、スニファ装置の電源スイッチを駆動して、有効状態から無効状態に切り替える。このようにして、スニファ装置はパワーアップ可能である。例えば、スニファ装置の電源スイッチは、リレーによって実装されてよい。スニファ装置がパワーアップ命令を受信した後、標準では有効なリレーのコンタクトが無効にされ、その結果、スニファ装置がパワーアップを開始する。
【０１５４】
Ｓ６０２。スニファ装置はＰｒｏｂｅ  Ｒｅｑｕｅｓｔをリッスンする。
【０１５５】
Ｓ６０３。リッスンすることによって取得されるＰｒｏｂｅ  Ｒｅｑｕｅｓｔが事前設定されたアクティベーション条件を満たす場合、スニファ装置が無線ＡＰに対し、パワーアップするよう命令した後、電力を切断する。
【０１５６】
具体的には、スニファ装置は、リッスンすることによって取得されるＰｒｏｂｅ  Ｒｅｑｕｅｓｔが事前設定されたアクティベーション条件を満たすかどうかを判断し、リッスンすることによって取得されるＰｒｏｂｅ  Ｒｅｑｕｅｓｔが事前設定されたアクティベーション条件を満たす場合、スニファ装置は無線ＡＰにパルス信号を送信し、無線ＡＰの電源スイッチを駆動して、有効にされた状態から無効にされた状態に切り替える。このように、無線ＡＰはパワーアップされる。無線ＡＰがパワーアップされた後、無線ＡＰは、カバレッジ内のＳｔａｔｉｏｎに関連付けられた後、標準の通信を実行可能である。スニファ装置が無線ＡＰに対し、パワーアップするよう命令した後、スニファ装置はスニファ装置の電力を切断する。この場合、スニファ装置は電源オフ状態にあり、もはや電力を消費しなくなる。
【０１５７】
本発明のこの実施形態の実装において、無線ＡＰによって送信されるパワーアップ命令を受信した後、スニファ装置はパワーアップを開始する。スニファ装置によってリッスンされることにより取得されるＰｒｏｂｅ  Ｒｅｑｕｅｓｔが事前設定されたアクティベーション条件を満たす場合、無線ＡＰはパワーアップするよう命令され、その結果、無線ＡＰはカバレッジ内のＳｔａｔｉｏｎと通信し、その後、スニファ装置はスニファ装置の電力を切断する。このように、無線ＡＰの電力消費量は効果的に低減可能であり、無線ＡＰの標準の通信ニーズは影響を受けない。
【０１５８】
図７を参照すると、本発明の第２の実施形態による、無線ＡＰのためのウェイクアップ方法の概略フローチャートである。本発明のこの実施形態において、方法は以下を含む。
【０１５９】
Ｓ７０１。スニファ装置が無線ＡＰによって送信されるパワーアップ命令を受信した後、パワーアップを開始する。
【０１６０】
具体的には、パワーアップ命令を受信する前、スニファ装置は電源オフ状態にあり、電力を消費していない。無線ＡＰは、パワーアップ命令をスニファ装置に送信し、スニファ装置の電源スイッチを駆動して、有効状態から無効状態に切り替える。このようにして、スニファ装置はパワーアップ可能である。例えば、スニファ装置の電源スイッチは、リレーによって実装されてよい。スニファ装置がパワーアップ命令を受信した後、標準では有効なリレーのコンタクトが無効にされ、その結果、スニファ装置がパワーアップを開始する。
【０１６１】
Ｓ７０２。スニファ装置はＰｒｏｂｅ  Ｒｅｑｕｅｓｔをリッスンする。
【０１６２】
Ｓ７０３。スニファ装置がＰｒｏｂｅ  Ｒｅｑｕｅｓｔを検出する場合、スニファ装置は無線ＡＰに対し、パワーアップするよう命令した後、電力を切断する。
【０１６３】
具体的には、スニファ装置が任意のＳｔａｔｉｏｎによって送信されるＰｒｏｂｅ  Ｒｅｑｕｅｓｔを検出する場合、それは、Ｓｔａｔｉｏｎが無線ＡＰとの標準の通信を開始する必要があることを示す。検出されるＰｒｏｂｅ  Ｒｅｑｕｅｓｔのアクティベーション条件が満たされると判断される場合、スニファ装置は無線ＡＰに対し、パワーアップを命令する。無線ＡＰがパワーアップされた後、無線ＡＰの送信チャネルおよび受信チャネルの両方は標準の動作状態にあり、その後、スニファ装置はスニファ装置の電力を切断する。
【０１６４】
例えば、パブリックな場所に配備される無線ＡＰの場合、無線ＡＰによってサービス提供されことになるＳｔａｔｉｏｎは限定されず、無線ＡＰはカバレッジ内の任意のＳｔａｔｉｏｎによって送信されるＰｒｏｂｅ  Ｒｅｑｕｅｓｔに応答する必要がある。任意のＳｔａｔｉｏｎによって送信されるＰｒｏｂｅ  Ｒｅｑｕｅｓｔを検出した後、スニファ装置は無線ＡＰに対し、パワーアップするよう命令する。無線ＡＰがパワーアップされた後、スニファ装置はスニファ装置の電力を切断し、このようにして、無線ＡＰは現在の電源オフ状態から標準状態に切り替わる。
【０１６５】
オプションとして、スニファ装置はＰｒｏｂｅ  Ｒｅｑｕｅｓｔを検出し、検出されるＰｒｏｂｅ  Ｒｅｑｕｅｓｔの信号強度を取得し、信号強度が事前設定された強度閾値より大きい場合、無線ＡＰにパワーアップするよう命令した後、スニファ装置はスニファ装置の電力を切断し、そうでない場合、スニファ装置はＰｒｏｂｅ  Ｒｅｑｕｅｓｔの検出を続行する。このように、無線ＡＰは高い信号強度を有するＳｔａｔｉｏｎにのみ通信サービスを提供する結果、Ｓｔａｔｉｏｎに所望のサービスの品質を提供する。
【０１６６】
図８を参照すると、本発明の第３の実施形態による、無線ＡＰのためのウェイクアップ方法の概略フローチャートである。本発明のこの実施形態において、方法は以下を含む。
【０１６７】
Ｓ８０１。承認されたデバイス情報を構成する。ここで承認されたデバイス情報は、無線ＡＰをウェイクアップすることが可能な複数のＳｔａｔｉｏｎのＭＡＣアドレスの一覧を含む。
【０１６８】
具体的には、承認されたデバイス情報がスニファ装置において構成され、承認されたデバイス情報は、無線ＡＰをウェイクアップする権限を有するステーションのＭＡＣアドレスの一覧を含み、ＭＡＣアドレスの一覧は、一意および変更不能という複数の特徴を有し、スニファ装置は、ＭＡＣアドレスの一覧を使用することによって無線ＡＰに対し、ウェイクアップ制御を実行してよい。
【０１６９】
例えば、承認されたデバイス情報内に含まれるＭＡＣアドレスの一覧が０５−１６−ＤＣ−５９−Ｃ２−３４、５０−６１−ＣＤ−５９−２Ｃ−４３、および０６−２６−ＤＣ−６９−Ｃ３−４４の場合、一覧の３つのＭＡＣアドレスに対応する複数のＳｔａｔｉｏｎが、無線ＡＰをウェイクアップする権限を有することを示す。
【０１７０】
Ｓ８０２。スニファ装置が無線ＡＰによって送信されるパワーアップ命令を受信した後、パワーアップを開始する。
【０１７１】
Ｓ８０３。スニファ装置はＰｒｏｂｅ  Ｒｅｑｕｅｓｔをリッスンする。
【０１７２】
Ｓ８０４。スニファ装置がＰｒｏｂｅ  Ｒｅｑｕｅｓｔを検出するかどうか。スニファ装置がＰｒｏｂｅ  Ｒｅｑｕｅｓｔを検出する場合、Ｓ５０８が実行され、そうでない場合、処理は終了される。
【０１７３】
Ｓ８０５。検出されるＰｒｏｂｅ  Ｒｅｑｕｅｓｔの信号強度を取得する。
【０１７４】
Ｓ８０６。信号強度が事前設定された強度閾値より大きいかどうか。
【０１７５】
Ｓ８０７。検出されるＰｒｏｂｅ  ＲｅｑｕｅｓｔのＭＡＣアドレスを取得する。
【０１７６】
Ｓ８０８。ＭＡＣアドレスが事前設定された、承認されたデバイス情報内に存在するかどうか。
【０１７７】
Ｓ８０９。スニファ装置が無線ＡＰに対し、パワーアップを命令した後、電力を切断する。
【０１７８】
具体的には、スニファ装置が、検出されるＰｒｏｂｅ  Ｒｅｑｕｅｓｔの信号強度が事前設定された強度閾値より大きく、ＭＡＣアドレスの一覧が、事前設定された、承認されたデバイス情報内に存在するというアクティベーション条件を満たす場合、スニファ装置は無線ＡＰに対し、パワーアップするよう命令する。無線ＡＰがパワーアップされた後、スニファ装置はスニファ装置の電力を切断する。この場合、無線ＡＰの送信チャネルおよび受信チャネルの両方が標準の動作状態にある。
【０１７９】
例えば、プライベートな場所に配備される無線ＡＰの場合、無線ＡＰはカバレッジ内のＳｔａｔｉｏｎによるウェイクアップを制限する。受信されるＰｒｏｂｅ  Ｒｅｑｕｅｓｔの信号強度が十分強く、Ｐｒｏｂｅ  Ｒｅｑｕｅｓｔを送信するＳｔａｔｉｏｎがウェイクアップ権限を有することが検出される場合、スニファ装置は直ちに無線ＡＰに対し、パワーアップするよう命令し、次に、スニファ装置はスニファ装置の電力を切断し、無線ＡＰは現在の電源オフ状態から標準状態に切り替わり、無線ＡＰはＳｔａｔｉｏｎに高品質な通信サービスを提供し、ウェイクアップ権限を有さないＳｔａｔｉｏｎによって誤ってウェイクアップされるのを回避する。
【０１８０】
本発明のこの実施形態の実装において、無線ＡＰによって送信されるパワーアップ命令を受信した後、スニファ装置はパワーアップを開始する。スニファ装置によってリッスンされることにより取得されるＰｒｏｂｅ  Ｒｅｑｕｅｓｔが事前設定されたアクティベーション条件を満たす場合、無線ＡＰはパワーアップするよう命令され、その結果、無線ＡＰはカバレッジ内のＳｔａｔｉｏｎと通信し、その後、スニファ装置はスニファ装置の電力を切断する。このように、無線ＡＰの電力消費量は効果的に低減可能であり、無線ＡＰの標準の通信ニーズは影響を受けない。
【０１８１】
図９を参照すると、本発明の第１の実施形態による、無線ＡＰの概略構造図である。この実施形態において、無線ＡＰは、無効化モジュール１０、第１のリスニングモジュール１１、および有効化モジュール１２を含む。
【０１８２】
無効化モジュール１０はパケットがアップリンクまたはダウンリンクで送信されず、ステーションが関連付けられていない間の時間が事前設定された時間閾値より大きい場合、送信チャネルを無効にし、受信チャネルのみを保持するよう構成される。
【０１８３】
無効化モジュール１０はパケットがアップリンクまたはダウンリンクで送信されず、ステーションが関連付けられていない間の時間が事前設定された時間閾値より大きいことが検出される場合、送信チャネルを無効にし、受信チャネルのみを保持するよう構成される。
【０１８４】
第１のリスニングモジュール１１は、受信チャネルを介して、Ｐｒｏｂｅ  Ｒｅｑｕｅｓｔをリッスンするよう構成される。
【０１８５】
有効化モジュール１２はリッスンすることによって取得されるＰｒｏｂｅ  Ｒｅｑｕｅｓｔが事前設定されたアクティベーション条件を満たす場合、送信チャネルを有効にするよう構成される。
【０１８６】
本発明のこの実施形態は、図１の方法の実施形態と同一概念に属し、本発明のこの実施形態によりもたらされる複数の技術的効果も、図１の方法の実施形態のそれと同一である。具体的な処理については、図１の方法の実施形態に関する記載を参照することとし、本明細書に再度記載しない。
【０１８７】
図１０および図１１を参照すると、本発明の第２の実施形態による、無線ＡＰの概略構造図である。本発明のこの実施形態において、無効化モジュール１０、第１のリスニングモジュール１１、および有効化モジュール１２を含むことに加え、無線ＡＰは第１の構成モジュール１３および時間閾値構成モジュール１４をさらに含む。
【０１８８】
第１の構成モジュール１３は、承認されたデバイス情報を構成するよう構成されており、ここで承認されたデバイス情報は、無線ＡＰをウェイクアップすることが可能な複数のＳｔａｔｉｏｎのＭＡＣアドレスの一覧を含む。
【０１８９】
時間閾値構成モジュール１４は、事前設定された時間閾値を構成するよう構成されており、ここで事前設定された時間閾値は、無線ＡＰのビーコン送信時間間隔の整数（１より大きい）倍に等しい。
【０１９０】
オプションとして、有効化モジュール１２はＰｒｏｂｅ  Ｒｅｑｕｅｓｔが受信チャネルを介して検出される場合、送信チャネルを有効にするよう構成される。
【０１９１】
オプションとして、有効化モジュール１２は、取得ユニット１２１および有効化ユニット１２２を含む。
【０１９２】
取得ユニット１２１は、Ｐｒｏｂｅ  Ｒｅｑｕｅｓｔが検出される場合、検出されるＰｒｏｂｅ  Ｒｅｑｕｅｓｔの信号強度および／またはＭＡＣアドレスを取得するよう構成される。
【０１９３】
有効化ユニット１２２は、ＭＡＣアドレスが事前設定された、承認されたデバイス情報内に存在する場合および／または信号強度が事前設定された強度閾値より大きい場合、送信チャネルを有効にするよう構成される。
【０１９４】
本発明のこの実施形態は、図２および図３の方法の実施形態と同一概念に属し、本発明のこの実施形態によってもたらされる複数の技術的効果も、図２および図３の方法の実施形態のそれと同一である。詳細については、図２および図３の方法の実施形態の記載を参照することとし、本明細書では再度記載しない。
【０１９５】
図１２を参照すると、本発明の第３の実施形態による、無線ＡＰの概略構造図である。この実施形態において、無線ＡＰ１はプロセッサ６１、メモリ６２、および通信インタフェース６３を含む。通信インタフェース６３は、外部デバイスと通信するよう構成されており、無線ＡＰ１内に１または複数のプロセッサ６１が存在してよく、図１２では１つのプロセッサの例が使用されている。本発明のいくつかの実施形態において、プロセッサ６１、メモリ６２、および通信インタフェース６３はバスを介してまたは別の態様で接続されてよく、図１２ではプロセッサ６１、メモリ６２、および通信インタフェース６３がバスを介して接続される例が使用されている。
【０１９６】
メモリ６２は、プログラムコードのセットを格納し、プロセッサ６１はメモリ６２内に格納されたプログラムコードを呼び出し、以下の複数の動作を実行すべく接続される。パケットがアップリンクまたはダウンリンクで送信されず、ステーションが関連付けられていない間の時間が、事前設定された時間閾値より大きいことが検出された場合、送信チャネルを無効にし、受信チャネルのみを保持する。受信チャネルを介して、Ｐｒｏｂｅ  Ｒｅｑｕｅｓｔをリッスンする。リッスンすることによって取得されるＰｒｏｂｅ  Ｒｅｑｕｅｓｔが事前設定されたアクティベーション条件を満たす場合、送信チャネルを有効にする。
【０１９７】
本発明のいくつかの実施形態において、プロセッサ６１によって実行される、リッスンすることによって取得されるＰｒｏｂｅ  Ｒｅｑｕｅｓｔが事前設定されたアクティベーション条件を満たす場合、送信チャネルを有効にする段階は、以下を含む。Ｐｒｏｂｅ  Ｒｅｑｕｅｓｔが受信チャネルを介して検出される場合、送信チャネルを有効にする。
【０１９８】
本発明のいくつかの実施形態において、プロセッサ６１によって実行される、リッスンすることによって取得されるＰｒｏｂｅ  Ｒｅｑｕｅｓｔが事前設定されたアクティベーション条件を満たす場合、送信チャネルを有効にする段階は、以下を含む。Ｐｒｏｂｅ  Ｒｅｑｕｅｓｔが検出される場合、検出されるＰｒｏｂｅ  Ｒｅｑｕｅｓｔの信号強度および／またはＭＡＣアドレスを取得する。ＭＡＣアドレスが事前設定された、承認されたデバイス情報内に存在する場合および／または信号強度が事前設定された強度閾値寄り大きい場合、送信チャネルを有効にする。
【０１９９】
本発明のいくつかの実施形態において、プロセッサ６１は、以下を実行するようさらに構成される。すなわち、承認されたデバイス情報を構成し、ここで、承認されたデバイス情報は、無線ＡＰをウェイクアップすることが可能な複数のＳｔａｔｉｏｎのＭＡＣアドレスの一覧を含む。
【０２００】
本発明のいくつかの実施形態において、プロセッサ６１は、以下を実行するようさらに構成される。すなわち、事前設定された時間閾値を構成し、ここで、事前設定された時間閾値は、無線ＡＰのビーコン送信時間間隔の整数（１より大きい）倍に等しい。
【０２０１】
図１３を参照すると、本発明の第４の実施形態による、無線ＡＰの概略構造図である。本発明のこの実施形態において、無線ＡＰは、命令モジュール２０および電源オフモジュール２１を含む。
【０２０２】
命令モジュール２０は、パケットがアップリンクまたはダウンリンクで送信されず、ステーションが関連付けられていない間の時間が、事前設定された時間閾値より大きいことが検出された場合、パワーアップ命令をスニファ装置に送信するよう構成され、ここでパワーアップ命令は、スニファ装置に対し、パワーアップするよう命令するために使用される。
【０２０３】
電源オフモジュール２１は電力を切断するよう構成される。
【０２０４】
本発明のこの実施形態は、図４の方法の実施形態と同一概念に属し、本発明のこの実施形態によってもたらされる複数の技術的効果も、図４の方法の実施形態のそれと同一である。詳細については、図４の方法の実施形態の記載を参照することとし、本明細書では再度記載しない。
【０２０５】
図１４を参照すると、本発明の第５の実施形態による、無線ＡＰの概略構造図である。この実施形態において、命令モジュール２０および電源オフモジュール２１に加え、無線ＡＰは判断モジュール２２をさらに含む。
【０２０６】
判断モジュール２２は、スニファ装置が正常にパワーアップされたことを確認するためのメッセージが受信される場合、電源オフモジュールに対し、動作を開始するよう命令するよう構成される。
【０２０７】
本発明のこの実施形態は、図５の方法の実施形態と同一概念に属し、本発明のこの実施形態によってもたらされる複数の技術的効果も、図５の方法の実施形態のそれと同一である。詳細については、図５の方法の実施形態の記載を参照することとし、本明細書では再度記載しない。
【０２０８】
図１５を参照すると、本発明の第６の実施形態による、無線ＡＰの概略構造図である。この実施形態において、無線ＡＰ  ２は、プロセッサ７１、メモリ７２、および通信インタフェース７３を含む。通信インタフェース７３は、外部デバイスと通信するよう構成されており、無線ＡＰ  ２内に１または複数のプロセッサ７１が存在してよく、図１５では、１つのプロセッサの例が使用されている。本発明のいくつかの実施形態において、プロセッサ７１、メモリ７２、および通信インタフェース７３は、バスを介してまたは別の態様において接続されてよく、図１５では、プロセッサ７１、メモリ７２、および通信インタフェース７３がバスを介して接続されている例が使用されている。
【０２０９】
メモリ７２は、プログラムコードのセットを格納し、プロセッサ７１はメモリ７２内に格納されたプログラムコードを呼び出して、以下の複数の動作、すなわち、パケットがアップリンクまたはダウンリンクで送信されず、ステーションが関連付けられていない間の時間が事前設定された時間閾値より大きいことが検出される場合、パワーアップ命令をスニファ装置に送信すること、電力を切断することを実行すべく接続されており、ここでパワーアップ命令は、スニファ装置に対し、パワーアップするよう命令するために使用される。
【０２１０】
本発明のいくつかの実施形態において、プロセッサ７１は、スニファ装置が正常にパワーアップされたことを確認するためのメッセージが受信される場合、電力を切断することを実行するようさらに構成されている。
【０２１１】
図１６を参照すると、本発明の第１の実施形態による、スニファ装置の概略構造図である。本発明のこの実施形態において、スニファ装置は、受信モジュール３０、第２のリスニングモジュール３１、およびパワーアップモジュール３２を含む。
【０２１２】
受信モジュール３０は、無線ＡＰによって送信されるパワーアップ命令を受信した後、パワーアップを開始するよう構成されている。
【０２１３】
第２のリスニングモジュール３１は、Ｐｒｏｂｅ  Ｒｅｑｕｅｓｔをリッスンするよう構成されている。
【０２１４】
パワーアップモジュール３２は、リッスンすることによって取得されるＰｒｏｂｅ  Ｒｅｑｕｅｓｔが事前設定されたアクティベーション条件を満たす場合、無線ＡＰがパワーアップするよう命令された後、電力を切断するよう構成されている。
【０２１５】
本発明のこの実施形態は、図６の方法の実施形態と同一概念に属し、本発明のこの実施形態によってもたらされる複数の技術的効果も、図６の方法の実施形態のそれと同一である。詳細については、図６の方法の実施形態の記載を参照することとし、本明細書では再度記載しない。
【０２１６】
図１７および図１８を参照すると、本発明の第２の実施形態による、スニファ装置の概略構造図である。本発明のこの実施形態において、受信モジュール３０、第２のリスニングモジュール３１、およびパワーアップモジュール３２を含むことに加え、スニファ装置は第２の構成モジュール３３をさらに含む。
【０２１７】
第２の構成モジュール３３は、承認されたデバイス情報を構成するよう構成されており、ここで承認されたデバイス情報は、無線ＡＰをウェイクアップすることが可能な複数のＳｔａｔｉｏｎのＭＡＣアドレスの一覧を含む。
【０２１８】
オプションとして、パワーアップモジュール３２は、Ｐｒｏｂｅ  Ｒｅｑｕｅｓｔが検出される場合、無線ＡＰがパワーアップするよう命令された後、電力を切断するよう構成される。
【０２１９】
オプションとして、パワーアップモジュール３２は、検出ユニット３２１およびパワーアップユニット３２２を含む。
【０２２０】
検出ユニット３２１は、Ｐｒｏｂｅ  Ｒｅｑｕｅｓｔが検出される場合、検出されるＰｒｏｂｅ  Ｒｅｑｕｅｓｔの信号強度および／またはＭＡＣアドレスを取得するよう構成される。
【０２２１】
パワーアップユニット３２２は、ＭＡＣアドレスが事前設定された、承認されたデバイス情報内に存在する場合および／または信号強度が事前設定された強度閾値より大きい場合、無線ＡＰがパワーアップするよう命令された後、電力を切断するよう構成される。
【０２２２】
本発明のこの実施形態は、図７および図８の方法の実施形態と同一概念に属し、本発明のこの実施形態によってもたらされる複数の技術的効果も、図７および図８の実施形態のそれと同一である。詳細については、図７および図８の実施形態の記載を参照することとし、本明細書では再度記載しない。
【０２２３】
図１９を参照すると、本発明の第３の実施形態による、スニファ装置の概略構造図である。本発明のこの実施形態において、スニファ装置３は、プロセッサ８１、メモリ８２、および通信インタフェース８３を含む。通信インタフェース８３は、外部デバイスと通信するよう構成されており、スニファ装置３内に１または複数のプロセッサ８１が存在してよく、図１９では、１つのプロセッサの例が使用されている。本発明のいくつかの実施形態において、プロセッサ８１、メモリ８２、および通信インタフェース８３は、バスを介してまたは別の態様において接続されてよく、図１９では、プロセッサ８１、メモリ８２、および通信インタフェース８３がバスを介して接続されている例が使用されている。
【０２２４】
メモリ８２はプログラムコードのセットを格納し、プロセッサ８１はメモリ８２内に格納されたプログラムコードを呼び出して、以下の複数の動作、すなわち、無線ＡＰによって送信されるパワーアップ命令が受信された後、パワーアップを開始すること、Ｐｒｏｂｅ  Ｒｅｑｕｅｓｔをリッスンすること、リッスンすることによって取得されるＰｒｏｂｅ  Ｒｅｑｕｅｓｔが事前設定されたアクティベーション条件を満たす場合、無線ＡＰがパワーアップするよう命令された後、電力を切断すること、を実行すべく接続される。
【０２２５】
本発明のいくつかの実施形態において、プロセッサ８１が特に実行するよう構成されている、リッスンすることによって取得されるＰｒｏｂｅ  Ｒｅｑｕｅｓｔが事前設定されたアクティベーション条件を満たす場合、無線ＡＰがパワーアップするよう命令された後、電力を切断することは、以下を含む。Ｐｒｏｂｅ  Ｒｅｑｕｅｓｔが検出される場合、無線ＡＰはパワーアップするよう命令された後、電力を切断する。
【０２２６】
本発明のいくつかの実施形態において、リッスンすることによって取得されるＰｒｏｂｅ  Ｒｅｑｕｅｓｔが事前設定されたアクティベーション条件を満たす場合、プロセッサ８１によって実行される、無線ＡＰがパワーアップするよう命令された後、電力を切断することは、Ｐｒｏｂｅ  Ｒｅｑｕｅｓｔが検出される場合、検出されるＰｒｏｂｅ  Ｒｅｑｕｅｓｔの信号強度および／またはＭＡＣアドレスを取得することと、ＭＡＣアドレスが事前設定された、承認されたデバイス情報内に存在する場合および／または信号強度が事前設定された強度閾値より大きい場合、無線ＡＰがパワーアップするよう命令された後、電力を切断することと、を含む。
【０２２７】
本発明のいくつかの実施形態において、プロセッサ８１は、承認されたデバイス情報を構成するようさらに構成され、ここで、承認されたデバイス情報は、無線ＡＰをウェイクアップすることが可能な複数のＳｔａｔｉｏｎのＭＡＣアドレスの一覧を含む。
【０２２８】
図２０を参照すると、本発明の一実施形態による、通信システムにおけるやり取りの概略図である。この実施形態において、通信システムは、無線ＡＰおよびＳｔａｔｉｏｎを含み、無線ＡＰ１およびＳｔａｔｉｏｎ４の動作手順は以下の通りである。
【０２２９】
Ｓ１。Ｓｔａｔｉｏｎは定期的にＰｒｏｂｅ  Ｒｅｑｕｅｓｔをブロードキャストする。
【０２３０】
Ｓ２。パケットがアップリンクまたはダウンリンクで送信されず、ステーションが関連付けられていない間の時間が事前設定された時間閾値より大きいことが検出される場合、無線ＡＰは送信チャネルを無効にし、受信チャネルのみを保持する。
【０２３１】
Ｓ３。無線ＡＰは、受信チャネルを介して、Ｓｔａｔｉｏｎによって送信されるＰｒｏｂｅ  Ｒｅｑｕｅｓｔをリッスンする。
【０２３２】
Ｓ４。リッスンすることによって取得されるＰｒｏｂｅ  Ｒｅｑｕｅｓｔが事前設定されたアクティベーション条件を満たす場合、無線ＡＰは送信チャネルを有効にする。
【０２３３】
本発明のこの実施形態の実装において、パケットがアップリンクまたはダウンリンクで送信されず、ステーションが関連付けられていない間の時間が事前設定された時間閾値より大きい場合、無線ＡＰは無線ＡＰの送信チャネルを無効にし、受信チャネルのみを保持し、無線ＡＰはスリープ状態に入る。無線ＡＰは、受信チャネルを介して、リッスンすることによって取得されるＰｒｏｂｅ  Ｒｅｑｕｅｓｔが事前設定されたアクティベーション条件を満たすと判断し、送信チャネルを有効にし、標準状態に入る。このようにして、無線ＡＰの電力消費量は効果的に低減可能であり、無線ＡＰの標準の通信は影響を受けない。
【０２３４】
図２１を参照すると、本発明の一実施形態による、別の通信システムのやり取りの概略図である。この実施形態において、通信システムは、無線ＡＰ２、スニファ装置１、およびＳｔａｔｉｏｎ３を含み、ここで無線ＡＰ２、スニファ装置１、およびＳｔａｔｉｏｎ３の動作手順は以下の通りである。
【０２３５】
Ｓ１。Ｓｔａｔｉｏｎは定期的にＰｒｏｂｅ  Ｒｅｑｕｅｓｔをブロードキャストする。
【０２３６】
Ｓ２。無線ＡＰが、パケットがアップリンクまたはダウンリンクで送信されず、ステーションが関連付けられていない間の時間が事前設定された時間閾値より大きいことを検出する。
【０２３７】
Ｓ３。無線ＡＰがパワーアップ命令をスニファ装置に送信する。
【０２３８】
Ｓ４。パワーアップ命令を受信した後、スニファ装置は、パワーアップを開始する。
【０２３９】
Ｓ５。無線ＡＰは、電力を切断する。
【０２４０】
Ｓ６。スニファ装置は、Ｓｔａｔｉｏｎによって送信されるＰｒｏｂｅ  Ｒｅｑｕｅｓｔをリッスンする。
【０２４１】
Ｓ７。リッスンすることによって取得されるＰｒｏｂｅ  Ｒｅｑｕｅｓｔが事前設定されたアクティベーション条件を満たす場合。
【０２４２】
Ｓ８。スニファ装置は無線ＡＰに対し、パワーアップするよう命令する。
【０２４３】
Ｓ９。無線ＡＰはパワーアップを開始する。
【０２４４】
Ｓ１０。スニファ装置は電力を切断する。
【０２４５】
本発明のこの実施形態の実装において、無線ＡＰが、パケットがアップリンクまたはダウンリンクで送信されず、ステーションが関連付けられていない間の時間が事前設定された時間閾値より大きいことを検出する場合、無線ＡＰは、スニファ装置に対し、パワーアップ動作の実行を開始するよう命令し、無線ＡＰの電力を切断する。このように、無線ＡＰが電力を消費せず、スニファ装置のみが電力を消費する結果、電力消費量が大きく低減可能である。
【０２４６】
当業者は、複数の実施形態における複数の方法に係る処理の全部または一部は、関連のハードウェアに命令するコンピュータプログラムによって実装可能であることを理解可能である。プログラムは、コンピュータ可読記憶媒体に格納されてよい。プログラムの実行時、複数の実施形態における複数の方法に係る処理が実行される。記憶媒体としては、磁気ディスク、光ディスク、リードオンリメモリ（ＲＯＭ）またはランダムアクセスメモリ（ＲＡＭ）が含まれてよい。
【０２４７】
上記開示内容は、本発明の例示的な実施形態にすぎず、本発明の保護範囲を限定する意図でないことは明らかである。当業者は、上記の複数の実施形態を実装する処理の全部または一部および本発明の特許請求の範囲に従い成される均等な修正は、本発明の範囲に属することを理解できる。
（項目１）
無線アクセスポイント（Ａｃｃｅｓｓ  Ｐｏｉｎｔ，ＡＰ）がパケットをアップリンクまたはダウンリンクで送信せず、上記無線ＡＰがステーションＳｔａｔｉｏｎに関連付けられていない間の時間が事前設定された時間閾値より大きいことが検出される場合、上記無線ＡＰによって、送信チャネルを無効にし、受信チャネルのみを保持する段階と、
上記無線ＡＰによって、上記受信チャネルを介してＰｒｏｂｅ  Ｒｅｑｕｅｓｔをリッスンする段階と、
リッスンすることによって取得される上記Ｐｒｏｂｅ  Ｒｅｑｕｅｓｔが事前設定されたアクティベーション条件を満たす場合、上記無線ＡＰによって、上記送信チャネルを有効にする段階と、を備える、無線ＡＰのためのエネルギー節約方法。
（項目２）
リッスンすることによって取得される上記Ｐｒｏｂｅ  Ｒｅｑｕｅｓｔが事前設定されたアクティベーション条件を満たす場合、上記無線ＡＰによって、上記送信チャネルを有効にする上記段階は、
上記無線ＡＰが、上記受信チャネルを介して、Ｐｒｏｂｅ  Ｒｅｑｕｅｓｔを検出する場合、上記無線ＡＰによって、上記送信チャネルを有効にする段階を含む、項目１に記載の方法。
（項目３）
リッスンすることによって取得される上記Ｐｒｏｂｅ  Ｒｅｑｕｅｓｔが事前設定されたアクティベーション条件を満たす場合、上記無線ＡＰによって、上記送信チャネルを有効にする上記段階は、
上記無線ＡＰがＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する段階と、
上記ＭＡＣアドレスが事前設定された、承認されたデバイス情報内に存在する場合および／または上記信号強度が事前設定された強度閾値より大きい場合、上記無線ＡＰによって、上記送信チャネルを有効にする段階と、を含む、項目１に記載の方法。
（項目４）
上記無線ＡＰがＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する上記段階の前に、
上記承認されたデバイス情報を構成する段階をさらに含み、
上記承認されたデバイス情報は、上記無線ＡＰをウェイクアップすることが可能な複数のＳｔａｔｉｏｎのＭＡＣアドレスの一覧を含む、項目３に記載の方法。
（項目５）
無線アクセスポイントＡＰがパケットをアップリンクまたはダウンリンクで送信せず、上記無線ＡＰがステーションＳｔａｔｉｏｎに関連付けられていない間の時間が事前設定された時間閾値より大きいことが検出される場合、上記無線ＡＰによって、送信チャネルを無効にし、受信チャネルのみを保持する上記段階の前に、
上記事前設定された時間閾値を構成する段階をさらに備え、
上記事前設定された時間閾値は、上記無線ＡＰのビーコンＢｅａｃｏｎ送信時間間隔の整数（１より大きい）倍に等しい、項目１から４のいずれか一項に記載の方法。
（項目６）
無線ＡＰがパケットをアップリンクまたはダウンリンクで送信せず、上記無線ＡＰがステーションＳｔａｔｉｏｎに関連付けられていない間の時間が事前設定された時間閾値より大きいことが検出される場合、上記無線ＡＰによって、パワーアップ命令をスニファ装置に送信する段階と、
上記無線ＡＰによって、電力を切断する段階と、を備え、
上記パワーアップ命令は、上記スニファ装置に対し、パワーアップするよう命令するために使用される、無線ＡＰのためのエネルギー節約方法。
（項目７）
上記無線ＡＰによって、電力を切断する上記段階は、
上記スニファ装置が正常にパワーアップされたことを確認するためのメッセージが受信される場合、上記無線ＡＰによって、電力を切断する上記段階を実行する段階を含む、項目６に記載の方法。
（項目８）
スニファ装置が無線ＡＰによって送信されるパワーアップ命令を受信した後、パワーアップを開始する段階と、
上記スニファ装置によって、Ｐｒｏｂｅ  Ｒｅｑｕｅｓｔをリッスンする段階と、
リッスンすることによって取得される上記Ｐｒｏｂｅ  Ｒｅｑｕｅｓｔが事前設定されたアクティベーション条件を満たす場合、上記スニファ装置が上記無線ＡＰに対し、パワーアップするよう命令した後、電力を切断する段階と、を備える、無線ＡＰのためのウェイクアップ方法。
（項目９）
リッスンすることによって取得される上記Ｐｒｏｂｅ  Ｒｅｑｕｅｓｔが事前設定されたアクティベーション条件を満たす場合、上記スニファ装置が上記無線ＡＰに対し、パワーアップするよう命令した後、電力を切断する上記段階は、
上記スニファ装置がＰｒｏｂｅ  Ｒｅｑｕｅｓｔを検出する場合、上記スニファ装置が上記無線ＡＰに対し、パワーアップするよう命令した後、電力を切断する段階を含む、項目８に記載の方法。
（項目１０）
リッスンすることによって取得される上記Ｐｒｏｂｅ  Ｒｅｑｕｅｓｔが事前設定されたアクティベーション条件を満たす場合、上記スニファ装置が上記無線ＡＰに対し、パワーアップするよう命令した後、電力を切断する上記段階は、
上記スニファ装置がＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する段階と、
上記ＭＡＣアドレスが事前設定された、承認されたデバイス情報内に存在する場合および／または上記信号強度が事前設定された強度閾値より大きい場合、上記スニファ装置が上記無線ＡＰに対し、パワーアップするよう命令した後、電力を切断する段階と、を含む、項目８に記載の方法。
（項目１１）
上記スニファ装置がＰｒｏｂｅ  Ｒｅｑｕｅｓｔを検出する場合、検出される上記Ｐｒｏｂｅ  Ｒｅｑｕｅｓｔの信号強度および／またはＭＡＣアドレスを取得する上記段階の前に、
上記承認されたデバイス情報を構成する段階をさらに含み、
上記承認されたデバイス情報は、上記無線ＡＰをウェイクアップすることが可能な複数のＳｔａｔｉｏｎのＭＡＣアドレスの一覧を含む、項目１０に記載の方法。
（項目１２）
パケットがアップリンクまたはダウンリンクで送信されず、ステーションＳｔａｔｉｏｎが関連付けられていない間の時間が事前設定された時間閾値より大きいことが検出される場合、送信チャネルを無効にし、受信チャネルのみを保持するよう構成された無効化モジュールと、
上記受信チャネルを介して、Ｐｒｏｂｅ  Ｒｅｑｕｅｓｔをリッスンするよう構成された第１のリスニングモジュールと、
リッスンすることによって取得される上記Ｐｒｏｂｅ  Ｒｅｑｕｅｓｔが事前設定されたアクティベーション条件を満たす場合、上記送信チャネルを有効にするよう構成された有効化モジュールと、を備える、無線ＡＰ。
（項目１３）
上記有効化モジュールは、Ｐｒｏｂｅ  Ｒｅｑｕｅｓｔが上記受信チャネルを介して検出される場合、上記送信チャネルを有効にするよう構成されている、項目１２に記載の無線ＡＰ。
（項目１４）
上記有効化モジュールは、
Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得するよう構成された取得ユニットと、
上記ＭＡＣアドレスが事前設定された、承認されたデバイス情報内に存在する場合および／または上記信号強度が事前設定された強度閾値より大きい場合、上記送信チャネルを有効にするよう構成された有効化ユニットと、を含む、項目１２に記載の無線ＡＰ。
（項目１５）
上記承認されたデバイス情報を構成するよう構成された第１の構成モジュールをさらに備え、
上記承認されたデバイス情報は、上記無線ＡＰをウェイクアップすることが可能な複数のＳｔａｔｉｏｎのＭＡＣアドレスの一覧を含む、項目１４に記載の無線ＡＰ。
（項目１６）
上記事前設定された時間閾値を構成するよう構成された時間閾値構成モジュールをさらに備え、
上記事前設定された時間閾値は、上記無線ＡＰのビーコンＢｅａｃｏｎ送信時間間隔の整数（１より大きい）倍に等しい、項目１２から１５のいずれか一項に記載の無線ＡＰ。
（項目１７）
パケットがアップリンクまたはダウンリンクで送信されず、ステーションＳｔａｔｉｏｎが関連付けられていない間の時間が事前設定された時間閾値より大きいことが検出される場合、パワーアップ命令をスニファ装置に送信するよう構成された命令モジュールと、
電力を切断するよう構成された電源オフモジュールと、を備え、
上記パワーアップ命令は、上記スニファ装置に対し、パワーアップするよう命令するために使用される、無線ＡＰ。
（項目１８）
上記スニファ装置が正常にパワーアップされたことを確認するためのメッセージが受信される場合、上記電源オフモジュールに対し、動作を開始するよう命令するように構成された判断モジュールをさらに備える、項目１７に記載の無線ＡＰ。
（項目１９）
無線ＡＰによって送信されるパワーアップ命令が受信された後、パワーアップを開始するよう構成された受信モジュールと、
Ｐｒｏｂｅ  Ｒｅｑｕｅｓｔをリッスンするよう構成された第２のリスニングモジュールと、
リッスンすることによって取得される上記Ｐｒｏｂｅ  Ｒｅｑｕｅｓｔが事前設定されたアクティベーション条件を満たす場合、上記無線ＡＰがパワーアップするよう命令された後、電力を切断するよう構成されたパワーアップモジュールと、を備える、スニファ装置。
（項目２０）
上記パワーアップモジュールは、Ｐｒｏｂｅ  Ｒｅｑｕｅｓｔが検出される場合、上記無線ＡＰがパワーアップするよう命令された後、電力を切断するよう構成されている、項目１９に記載のスニファ装置。
（項目２１）
上記パワーアップモジュールは、
Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得するよう構成された検出ユニットと、
上記ＭＡＣアドレスが事前設定された、承認されたデバイス情報内に存在する場合および／または上記信号強度が事前設定された強度閾値より大きい場合、上記無線ＡＰがパワーアップするよう命令された後、電力を切断するよう構成されたパワーアップユニットと、を含む、項目１９に記載のスニファ装置。
（項目２２）
上記承認されたデバイス情報を構成するよう構成された第２の構成モジュールをさらに備え、
上記承認されたデバイス情報は、上記無線ＡＰをウェイクアップすることが可能な複数のＳｔａｔｉｏｎのＭＡＣアドレスの一覧を含む、項目２１に記載のスニファ装置。
（項目２３）
プロセッサと、メモリと、を備える無線ＡＰであって、
上記メモリはプログラムコードのセットを格納し、上記プロセッサは上記メモリ内に格納された上記プログラムコードを呼び出して、
パケットがアップリンクまたはダウンリンクで送信されず、ステーションＳｔａｔｉｏｎが関連付けられていない間の時間が事前設定された時間閾値より大きいことが検出される場合、送信チャネルを無効にし、受信チャネルのみを保持すること、
上記受信チャネルを介して、Ｐｒｏｂｅ  Ｒｅｑｕｅｓｔをリッスンすること、および
リッスンすることによって取得される上記Ｐｒｏｂｅ  Ｒｅｑｕｅｓｔが事前設定されたアクティベーション条件を満たす場合、上記送信チャネルを有効にすること、を実行するよう構成されている、無線ＡＰ。
（項目２４）
リッスンすることによって取得される上記Ｐｒｏｂｅ  Ｒｅｑｕｅｓｔが事前設定されたアクティベーション条件を満たす場合、上記プロセッサによって実行される、上記送信チャネルを有効にすることは、
Ｐｒｏｂｅ  Ｒｅｑｕｅｓｔが上記受信チャネルを介して検出される場合、上記送信チャネルを有効にすることを含む、項目２３に記載の無線ＡＰ。
（項目２５）
リッスンすることによって取得される上記Ｐｒｏｂｅ  Ｒｅｑｕｅｓｔが事前設定されたアクティベーション条件を満たす場合、上記プロセッサによって実行される、上記送信チャネルを有効にすることは、
Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得することと、
上記ＭＡＣアドレスが事前設定された、承認されたデバイス情報内に存在する場合および／または上記信号強度が事前設定された強度閾値より大きい場合、上記送信チャネルを有効にすることと、を含む、項目２３に記載の無線ＡＰ。
（項目２６）
上記プロセッサは、上記承認されたデバイス情報を構成するようさらに構成されており、
上記承認されたデバイス情報は、上記無線ＡＰをウェイクアップすることが可能な複数のＳｔａｔｉｏｎのＭＡＣアドレスの一覧を含む、項目２５に記載の無線ＡＰ。
（項目２７）
上記プロセッサは、上記事前設定された時間閾値を構成するようさらに構成されており、
上記事前設定された時間閾値は、上記無線ＡＰのビーコンＢｅａｃｏｎ送信時間間隔の整数（１より大きい）倍に等しい、項目２３から２６のいずれか一項に記載の無線ＡＰ。
（項目２８）
プロセッサと、メモリと、を備える無線ＡＰであって、上記メモリはプログラムコードのセットを格納し、上記プロセッサは上記メモリ内に格納された上記プログラムコードを呼び出して、
パケットがアップリンクまたはダウンリンクで送信されず、ステーションＳｔａｔｉｏｎが関連付けられていない間の時間が事前設定された時間閾値より大きいことが検出される場合、パワーアップ命令をスニファ装置に送信すること、および
電力を切断すること、を実行するよう構成されており、
上記パワーアップ命令は、上記スニファ装置に対し、パワーアップするよう命令するために使用される、無線ＡＰ。
（項目２９）
上記プロセッサは、
上記スニファ装置が正常にパワーアップされたことを確認するためのメッセージが受信される場合、電力を切断することを実行するようさらに構成されている、項目２８に記載の無線ＡＰ。
（項目３０）
プロセッサと、メモリと、を備えるスニファ装置であって、上記メモリはプログラムコードのセットを格納し、上記プロセッサは上記メモリ内に格納された上記プログラムコードを呼び出して、
無線ＡＰによって送信されるパワーアップ命令が受信された後、パワーアップを開始すること、
Ｐｒｏｂｅ  Ｒｅｑｕｅｓｔをリッスンすること、および
リッスンすることによって取得される上記Ｐｒｏｂｅ  Ｒｅｑｕｅｓｔが事前設定されたアクティベーション条件を満たす場合、上記無線ＡＰがパワーアップするよう命令された後、電力を切断すること、
を実行するよう構成されている、スニファ装置。
（項目３１）
リッスンすることによって取得される上記Ｐｒｏｂｅ  Ｒｅｑｕｅｓｔが事前設定されたアクティベーション条件を満たす場合、上記プロセッサによって実行される、上記無線ＡＰがパワーアップするよう命令された後、電力を切断することは、
Ｐｒｏｂｅ  Ｒｅｑｕｅｓｔが検出される場合、上記無線ＡＰがパワーアップするよう命令された後、電力を切断することを含む、項目３０に記載のスニファ装置。
（項目３２）
リッスンすることによって取得される上記Ｐｒｏｂｅ  Ｒｅｑｕｅｓｔが事前設定されたアクティベーション条件を満たす場合、上記プロセッサによって実行される、上記無線ＡＰがパワーアップするよう命令された後、電力を切断することは、
Ｐｒｏｂｅ  Ｒｅｑｕｅｓｔが検出される場合、検出される上記Ｐｒｏｂｅ  Ｒｅｑｕｅｓｔの信号強度および／またはＭＡＣアドレスを取得することと、
上記ＭＡＣアドレスが事前設定された、承認されたデバイス情報内に存在する場合および／または上記信号強度が事前設定された強度閾値より大きい場合、上記無線ＡＰがパワーアップするよう命令された後、電力を切断することと、を含む、項目３０に記載のスニファ装置。
（項目３３）
上記プロセッサは、
上記承認されたデバイス情報を構成するようさらに構成されており、
上記承認されたデバイス情報は、上記無線ＡＰをウェイクアップすることが可能な複数のＳｔａｔｉｏｎのＭＡＣアドレスの一覧を含む、項目３２に記載のスニファ装置。
（項目３４）
無線ＡＰと、Ｓｔａｔｉｏｎと、を備える通信システムであって、
パケットがアップリンクまたはダウンリンクで送信されず、ステーションＳｔａｔｉｏｎが関連付けられていない間の時間が事前設定された時間閾値より大きいことが検出される場合、上記無線ＡＰは送信チャネルを無効にし、受信チャネルのみを保持し、
上記無線ＡＰは、上記受信チャネルを介して、事前設定された間隔に従い、上記ＳｔａｔｉｏｎによってブロードキャストされるＰｒｏｂｅ  Ｒｅｑｕｅｓｔをリッスンし、
リッスンすることによって取得される上記Ｐｒｏｂｅ  Ｒｅｑｕｅｓｔが事前設定されたアクティベーション条件を満たす場合、上記無線ＡＰは上記送信チャネルを有効にする、通信システム。
（項目３５）
無線ＡＰと、スニファ装置と、Ｓｔａｔｉｏｎと、を備える通信システムであって、
パケットがアップリンクまたはダウンリンクで送信されず、ステーションＳｔａｔｉｏｎが関連付けられていない間の時間が事前設定された時間閾値より大きいことが検出される場合、上記無線ＡＰはパワーアップ命令を上記スニファ装置に送信し、上記無線ＡＰは電力を切断し、
上記無線ＡＰによって送信されるパワーアップ命令を受信した後、上記スニファ装置はパワーアップを開始し、
上記スニファ装置は、事前設定された間隔に従い、上記ＳｔａｔｉｏｎによってブロードキャストされるＰｒｏｂｅ  Ｒｅｑｕｅｓｔをリッスンし、
リッスンすることによって取得される上記Ｐｒｏｂｅ  Ｒｅｑｕｅｓｔが事前設定されたアクティベーション条件を満たす場合、上記無線ＡＰに対し、パワーアップするよう命令した後、上記スニファ装置は電力を切断する、通信システム。
【国際調査報告】
2017515324.tif 000024
2017515324.tif 000025
2017515324.tif 000026
2017515324.tif 000027